(57)【要約】ＡＰ／ＰＣＰは、アナログ伝送（例えば、信号対雑音比または信号対干渉雑音比（ＳＩＮＲ）の測定値に基づいて、ユーザ選択／ペアリング／グルーピングを実行することができる。ＳＮＲは、例えば、最良のビームおよび／もしくはビームのペア、ならびに／または最悪のビームおよび／もしくはビームのペアを決定するためにステーションによって使用されてもよい。ステーションは、ＴｘおよびＲｘ仮想アンテナのペアに対する最良のいくつかのビームおよび／／またはビームのペアをフィードバックすることができる。ステーションは、ＴｘおよびＲｘ仮想アンテナのペアに対する最悪のいくつかのビームをフィードバックすることができる。ＡＰ／ＰＣＰは、ステーションをグループ化するためのインジケーション（複数可）を受信することができ、および／／またはインジケーション（複数可）を使用することができる。
2019528595.tif 000002
【特許請求の範囲】
【請求項１】
マルチユーザ多入力多出力（ＭＵ−ＭＩＭＯ）と関連付けられたアクセスポイント（ＡＰ）であって、
メモリと、
プロセッサと、を備え、前記プロセッサは、
複数の仮想アンテナを有する前記ＡＰの仮想アンテナから、複数のアナログ伝送を送信し、各々のそれぞれのアナログ伝送は、前記仮想アンテナからのそれぞれのビームと関連付けられ、
第１のステーションから、前記第１のステーションについての最良のビームのインジケーションを受信し、前記第１のステーションについての前記最良のビームは、前記ＡＰの第１の仮想アンテナと関連付けられ、
第２のステーションから、前記第２のステーションについての最良のビームのインジケーションを受信し、前記第２のステーションについての前記最良のビームは、前記ＡＰの第２の仮想アンテナと関連付けられ、
前記インジケーションのうちの１つまたは複数に基づいて、前記第１のステーションおよび第２のステーションのグルーピングを決定し、前記グルーピングは、前記第１のステーションおよび前記第２のステーションについてのビーム割り当てを含む
ように構成されていることを特徴とするＡＰ。
【請求項２】
前記プロセッサは、
前記第１のステーションから、前記第１のステーションについての最悪のビームのインジケーションを受信し、
前記第２のステーションから、前記第２のステーションについての最悪のビームのインジケーションを受信する
ようにさらに構成されていることを特徴とする請求項１に記載のＡＰ。
【請求項３】
前記プロセッサは、
前記第１のステーションから、前記第１のステーションについての複数のインジケーションを受信し、前記第１のステーションについての各々のインジケーションは、前記ＡＰの各々の仮想アンテナと関連付けられた第１のステーションの最良のビームを示し、
前記第２のステーションから、前記第２のステーションについての複数のインジケーションを受信し、前記第２のステーションについての各々のインジケーションは、前記ＡＰの各々の仮想アンテナと関連付けられた第２のステーションの最良のビームを示す
ようにさらに構成されていることを特徴とする請求項１に記載のＡＰ。
【請求項４】
前記プロセッサは、
前記第１のステーションから、前記第１のステーションについての複数のインジケーションを受信し、前記第１のステーションについての各々のインジケーションは、前記ＡＰの各々の仮想アンテナと関連付けられた第１のステーションの最悪のビームを示し、
前記第２のステーションから、前記第２のステーションについての複数のインジケーションを受信し、前記第２のステーションについての各々のインジケーションは、前記ＡＰの各々の仮想アンテナと関連付けられた第２のステーションの最悪のビームを示す
ようにさらに構成されていることを特徴とする請求項１に記載のＡＰ。
【請求項５】
前記グルーピングは、グループに前記第１のステーションおよび前記第２のステーションを割り当てることを特徴とする請求項１に記載のＡＰ。
【請求項６】
前記ビーム割り当ては、前記第１のステーションについての３つの組＜Ｔｘアンテナ識別（ＩＤ）、ＴｘビームＩＤ、ＲｘアンテナＩＤ＞、または前記３つの組を識別するＩＤのうちの１つまたは複数を含むことを特徴とする請求項１に記載のＡＰ。
【請求項７】
前記プロセッサは、前記第１のステーションおよび前記第２のステーションにＭＵ−ＭＩＭＯセットアップフレームを送信するようにさらに構成され、前記ＭＵ−ＭＩＭＯセットアップフレームは、前記ビーム割り当てを示すことを特徴とする請求項１に記載のＡＰ。
【請求項８】
前記ＭＵ−ＭＩＭＯセットアップフレームは、前記第１のステーションおよび前記第２のステーションへの前記仮想アンテナの割り当てを示すことを特徴とする請求項７に記載のＡＰ。
【請求項９】
前記プロセッサは、
前記ＭＵ−ＭＩＭＯセットアップフレームと関連付けられた応答フレームを受信し、
前記ビーム割り当てに応答して、前記第１のステーションに第１のダウンリンク（ＤＬ）ＭＵ−ＭＩＭＯ伝送を送信し、
前記ビーム割り当てに従って、前記第２のステーションに第２のダウンリンク（ＤＬ）ＭＵ−ＭＩＭＯ伝送を送信する
ようにさらに構成されていることを特徴とする請求項８に記載のＡＰ。
【請求項１０】
前記プロセッサは、指向性マルチギガビット物理レイヤコンバージェンスプロシージャプロトコルデータユニット（ＤＭＧ  ＰＰＤＵ）に基づいて、前記第１のステーションおよび前記第２のステーションにＭＵ−ＭＩＭＯセットアップフレームを送信するようにさらに構成されていることを特徴とする請求項１に記載のＡＰ。
【請求項１１】
マルチユーザ多入力多出力（ＭＵ−ＭＩＭＯ）と関連付けられたステーション（ＳＴＡ）であって、
メモリと、
プロセッサと、を備え、前記プロセッサは、
複数の仮想アンテナを有するステーションの仮想アンテナにおいて、ＡＰから、第１のアナログ伝送および第２のアナログ伝送を含む複数のアナログ伝送を受信し、各々のそれぞれのアナログ伝送は、ＡＰからのそれぞれのビームと関連付けられ、
前記第１のアナログ伝送の信号対雑音比（ＳＮＲ）に基づいて、前記第１のアナログ伝送が最良のアナログ伝送であると決定し、
前記第１のアナログ伝送が前記最良のアナログ伝送であるとの前記決定に基づいて、それを介して前記ステーションが前記第１のアナログ伝送を受信する第１のビームが前記ステーションに対する最良のビームであると決定し、
前記ＡＰに、前記ステーションに対する前記最良のビームのインジケーションを送信し、
前記ステーションにおいて、前記ステーションの前記仮想アンテナへのグルーピングのインジケーションおよびビーム割り当てを受信する
ように構成されていることを特徴とするＳＴＡ。
【請求項１２】
前記プロセッサは、
前記第２のアナログ伝送の信号対雑音比（ＳＮＲ）に基づいて、前記第２のアナログ伝送が最悪のアナログ伝送であると決定し、
前記第２のアナログ伝送が前記最悪のアナログ伝送であるとの前記決定に基づいて、それを介して前記ステーションが前記第２のアナログ伝送を受信する第２のビームが前記ステーションに対する最悪のビームであると決定し、
前記ＡＰに、前記ステーションに対する前記最悪のビームのインジケーションを送信する
ように構成されていることを特徴とする請求項１１に記載のＳＴＡ。
【請求項１３】
前記プロセッサは、ＳＮＲ閾値を受信するように構成され、前記第２のアナログ伝送が前記最悪のアナログ伝送であるとの前記決定は、前記第２のアナログ伝送の前記ＳＮＲが前記ＳＮＲ閾値未満であると決定することを含むことを特徴とする請求項１１に記載のＳＴＡ。
【請求項１４】
前記プロセッサは、前記ＡＰと関連付けられた仮想アンテナから、前記第１のビームを介して前記第１のアナログ伝送を受信するように構成され、前記プロセッサは、前記ＡＰに、前記ＡＰと関連付けられた前記仮想アンテナのインジケーションを送信するように構成されていることを特徴とする請求項１１に記載のＳＴＡ。
【請求項１５】
前記プロセッサは、ＭＵ−ＭＩＭＯセットアップフレームを介して、グルーピングの前記インジケーションおよび前記最良のビームの前記ビーム割り当てを受信するように構成されていることを特徴とする請求項１１に記載のＳＴＡ。
【請求項１６】
前記プロセッサは、前記ＡＰに、前記複数の仮想アンテナを有する前記ステーションの前記仮想アンテナのインジケーションを送信するように構成されていることを特徴とする請求項１１に記載のＳＴＡ。
【発明の詳細な説明】
【技術分野】
【０００１】
本出願は、無線通信の分野に関し、特に、ＭＭＷ  ＷＬＡＮシステム内のＭＩＭＯの技術に関する。
【背景技術】
【０００２】
関連出願の相互参照
本願は、２０１６年７月２１日に出願された米国特許仮出願第６２／３６５１４１号明細書の特典を主張し、その内容が参照により組み込まれる。
【０００３】
無線ローカルエリアネットワーク（ＷＬＡＮ）は、インフラストラクチャ基本サービスセット（ＢＳＳ）モードや独立ＢＳＳ（ＩＢＳＳ）モードなどの複数の動作モードを有することがある。インフラストラクチャＢＳＳモードでのＷＬＡＮは、ＢＳＳのためのアクセスポイント（ＡＰ）を有することがある。１つまたは複数の無線送受信ユニット（ＷＴＲＵ）、例えばステーション（ＳＴＡ）がＡＰに関連付けられることがある。ＡＰは、トラフィックをＢＳＳ内およびＢＳＳ外に搬送する配信システム（ＤＳ）または他のタイプの有線／無線ネットワークに対するアクセスまたはインターフェースを有することがある。ＢＳＳ外部から発信されるＳＴＡへのトラフィックはＡＰを通じて到着することがあり、ＡＰはトラフィックをＳＴＡに配信することがある。いくつかのＷＬＡＮシステムでは、ＳＴＡ−ＳＴＡ通信が行われることがある。いくつかのＷＬＡＮシステムでは、ＡＰがＳＴＡの役割を果たすことがある。ＷＬＡＮデバイスによってビームフォーミングが使用されることがある。現在のビームフォーミング技法は限定されることがある。
【発明の概要】
【０００４】
ＭＩＭＯ伝送のための多入力多出力（ＭＩＭＯ）フレームをセットアップするためのシステム、方法、および装置が開示される。
【０００５】
ＡＰ／ＰＣＰが、アナログ伝送の測定値（例えば、信号対雑音比（ＳＮＲ）または信号対干渉雑音比（ＳＩＮＲ））に基づいてユーザ選択／ペアリング／グルーピングを実施してもよい。ＳＮＲ／ＳＩＮＲはアナログビームトレーニングによって取得されてもよい。アナログビームトレーニングの間に、ＡＰは、ＡＰの仮想アンテナから１つまたは複数のアナログ伝送を送信してもよい。ＡＰの仮想アンテナは、１つまたは複数のアナログビーム（例えば、ビーム当たりの伝送）を介して送信してもよい。ステーションは、ステーションの仮想アンテナを介して１つまたは複数のアナログ伝送を受信してもよい。ステーションの仮想アンテナは、１つまたは複数のアナログビームを介して１つまたは複数のアナログ伝送を受信してもよい。例えば、ステーションの仮想アンテナのビームは、いくつかの、またはすべてのアナログ伝送をＡＰから受信してもよい。１つまたは複数のアナログ伝送のアナログ伝送は、ＡＰの仮想アンテナのビームから、ステーションの仮想アンテナのビームに通信されてもよい。ＡＰの仮想アンテナのビームと、ステーションの仮想アンテナのビームとは、ＴＸおよびＲＸビームのペアを形成してもよい。ＡＰの仮想アンテナのビームは、ビームのペアにおけるＴＸビームであってもよい。ステーションの仮想アンテナのビームは、ビームにおけるＲＸビームであってもよい。異なるＴＸおよびＲＸビームのペアがＳＮＲに関連付けられてもよい。ＳＮＲは、ＴＸおよびＲＸビームのペアの間で通信されるアナログ伝送に基づいて、例えばステーションによって測定されてもよい。
【０００６】
ＳＮＲは、例えばステーションによって使用され、最良のビームおよび／またはビームのペアならびに／あるいは最悪のビームおよび／またはビームのペアが決定されてもよい。一例では、ビームおよび／またはビームのペアを特徴付けるためのＳＮＲ閾値が使用されてもよい。ＳＮＲ閾値以上であるＳＮＲに関連付けられるビームおよび／またはビームのペアが、最良のビームおよび／またはビームのペアとして特徴付けられてもよい。ＳＮＲ閾値未満であるＳＮＲに関連付けられるビームおよび／またはビームのペアが、最悪のビームおよび／またはビームのペアとして特徴付けられてもよい。
【０００７】
ステーションは、ＴｘおよびＲｘ仮想アンテナのペアについての最良のいくつかのビームおよび／またはビームのペアをフィードバックしてもよい。ステーションは、ＴｘおよびＲｘ仮想アンテナのペアについての最悪のいくつかのビームをフィードバックしてもよい。例えば、ステーションは、インジケーションを介してＡＰ／ＰＣＰに最良および／または最悪のいくつかのビームをフィードバックしてもよい。インジケーションはＭＵ  ＭＩＭＯセットアップフレームを含んでもよい。
【０００８】
ＡＰ／ＰＣＰはインジケーションを受信してもよく、かつ／またはインジケーションを使用してステーションをグルーピングしてもよい。例えば、ＡＰ／ＰＣＰは、あるステーションから、そのステーションについての最良のビームおよび／または最悪のビームのインジケーションを受信してもよい。ＡＰ／ＰＣＰは、別のステーションから、その別のステーションについての最良のビームおよび／または最悪のビームのインジケーションを受信してもよい。ＡＰ／ＰＣＰは、複数のステーションについてのインジケーションのうちの１つまたは複数に基づいて、あるステーションについての最良のビームが別のステーションについての最悪のビームの中のものであってもよいと決定してもよい。ＡＰ／ＰＣＰは、伝送（例えば、ＤＬ  ＭＵ−ＭＩＭＯ伝送）のために２つのステーションをグルーピングするように決定してもよい。ＡＰ／ＰＣＰは、グルーピングについて両方のステーションに示してもよい。この例では、ＡＰ／ＰＣＰは、それぞれのステーションへのそれぞれのビーム／ＲＦチェーン／仮想アンテナ割り当てについて両方のステーションに示してもよい。
【０００９】
添付の図面と共に例として与えられる以下の説明から、本明細書で開示される実施形態のより詳細な理解を得ることができる。
【図面の簡単な説明】
【００１０】
【図１】例示的なセクタレベルスウィープ（ＳＬＳ）トレーニングである。
【図２】例示的なセクタスウィープ（ＳＳＷ）フレームフォーマットである。
【図３】ＳＳＷフレーム内の例示的なＳＳＷフィールドである。
【図４】ＩＳＳの部分として送信されないときの、ＳＳＷフレーム内の例示的なＳＳＷフィードバックフィールドである。
【図５】ＩＳＳの部分として送信されるときの、ＳＳＷフレーム内の例示的なＳＳＷフィードバックフィールドである。
【図６】ビーム改善プロトコル（ＢＲＰ）フレームおよびトレーニング（ＴＲＮ）フィールドを搬送する例示的な物理レイヤコンバージェンスプロシージャ（ＰＬＣＰ）プロトコロルデータユニット（ＰＰＤＵ）である。
【図７】例示的なデジタルマルチメディアブロードキャスティング（ＤＭＢ）ＰＰＤＵフォーマットである。
【図８】例示的な拡張指向性マルチギガビット（ＥＤＭＧ）ＰＰＤＵフォーマットである。
【図９】ＭＵ−ＭＩＭＯアナログビームトレーニング選択の例示的な図を示す。
【図１０Ａ】例示的なマルチユーザ（ＭＵ）−ＭＩＭＯセットアップ実装を示す図である。
【図１０Ｂ】部分伝送障害スキーム１についての例示的な実装を示す図である。
【図１０Ｃ】部分伝送障害スキーム２についての例示的な実装を示す図である。
【図１１】例示的な単一ユーザＳＵ−ＭＩＭＯセットアップ実装を示す図である。
【図１２】ベースバンド／デジタルビームフォーミング（ＢＦ）／ＭＩＭＯトレーニングを伴う例示的なＭＩＭＯセットアップ実装を示す図である。
【図１３Ａ】意図しないビームフォーミングを回避するための線形シフト技法を示す図である。
【図１３Ｂ】いくつかの、またはすべてのレガシーフィールドを含む、意図しないビームフォーミングブロックベースのシフトを回避するための技法を示す図である。
【図１３Ｃ】サブフィールドおよびその目的を考慮して、意図しないビームフォーミングブロックベースのシフトを回避するための技法を示す図である。
【図１４】チャネル推定フィールド（ＣＥＦ）を用いる８０２．１１ａｄでのチャネル推定動作を示す図である。ＣＥＦは、Ｇａ１２８およびＧｂ１２８と表されるＧｏｌａｙシーケンスを含む。
【図１５Ａ】２つのストリームについての循環シフトされるＣＥＦを示す図である。
【図１５Ｂ】２つのストリームについての循環シフトされるＣＥＦおよび自己／相互相関結果を示す図である。
【図１６Ａ】例示的な無線ローカルエリアネットワーク（ＷＬＡＮ）デバイスを示す図である。
【図１６Ｂ】１つまたは複数の開示される特徴が実装されてもよい例示的な通信システムの図である。
【図１６Ｃ】例示的な無線送受信ユニット（ＷＴＲＵ）を示す図である。
【発明を実施するための形態】
【００１１】
次に、例示的な実施形態の詳細な説明が、様々な図を参照しながら説明される。この説明は可能な実装の詳細な例を与えるが、詳細は例示的なものであり、本明細書で説明される例の範囲を決して限定しないものとすることを留意されたい。
【００１２】
無線ローカルエリアネットワーク（ＷＬＡＮ）は、インフラストラクチャ基本サービスセット（ＢＳＳ）モードや独立ＢＳＳ（ＩＢＳＳ）モードなどの複数の動作モードを有してもよい。ＢＳＳモードでのＷＬＡＮは、ＢＳＳのためのアクセスポイント（ＡＰ／ＰＣＰ）を有してもよい。１つまたは複数のステーション（ＳＴＡ）がＡＰ／ＰＣＰに関連付けられてもよい。ＡＰ／ＰＣＰは、トラフィックをＢＳＳ内およびＢＳＳ外に搬送する配信システム（ＤＳ）または別のタイプの有線／無線ネットワークに対するアクセスまたはインターフェースを有してもよい。ＢＳＳ外部から発信されるＳＴＡへのトラフィックはＡＰ／ＰＣＰを通じて到着してもよく、ＡＰ／ＰＣＰはトラフィックをＳＴＡに配信してもよい。ＳＴＡからＢＳＳ外部の宛先に発信されるトラフィックは、ＡＰ／ＰＣＰに送信されてもよく、ＡＰ／ＰＣＰは、トラフィックをそれぞれの宛先に配信してもよい。ＢＳＳ内のＳＴＡ間のトラフィックは、ＡＰ／ＰＣＰを通じて、例えばソースＳＴＡからＡＰ／ＰＣＰに、ＡＰ／ＰＣＰから宛先ＳＴＡに送信されてもよい。ＢＳＳ内のＳＴＡ間のトラフィックは、ピアツーピアトラフィックであってもよい。ピアツーピアトラフィックは、例えば８０２．１１ｅ  ＤＬＳまたは８０２．１１ｚトンネルドＤＬＳ（ＴＤＬＳ）を使用する直接リンクセットアップ（ＤＬＳ）で、ソースＳＴＡと宛先ＳＴＡとの間で直接的に送信されてもよい。ＩＢＳＳモードでのＷＬＡＮはＡＰ／ＰＣＰを有さないことがあり、かつ／またはＳＴＡは互いに直接的に通信してもよい。ＩＢＳＳ通信モードは「アドホック」通信モードと称されてもよい。
【００１３】
ＡＰ／ＰＣＰは、固定チャネル（例えば、プライマリチャネル）上で、例えば８０２．１１ａｃインフラストラクチャ動作モードで、ビーコンを送信してもよい。チャネルは例えば２０ＭＨｚの幅であってもよい。チャネルは、ＢＳＳの動作チャネルであってもよい。チャネルは、例えばＳＴＡによって使用され、ＡＰ／ＰＣＰとの接続が確立されてもよい。８０２．１１システム内のチャネルアクセス機構は、搬送波検知多元接続／衝突回避（ＣＳＭＡ／ＣＡ）である。ＡＰ／ＰＣＰを含むＳＴＡは、プライマリチャネルを例えばＣＳＭＡ／ＣＡ動作モードで感知してもよい。所与のＢＳＳ内で一度に（例えば、ただ１つの）ＳＴＡが送信してもよいように、ＳＴＡは、例えばチャネルがビジーであると検出されるときにバックオフしてもよい。
【００１４】
高スループット（ＨＴ）ＳＴＡが、例えば８０２．１１ｎでの通信のために、例えば４０ＭＨｚ幅のチャネルを使用してもよい。１次２０ＭＨｚチャネルが隣接する２０ＭＨｚチャネルと組み合わされ、４０ＭＨｚ幅の連続するチャネルが形成されてもよい。
【００１５】
超高スループット（ＶＨＴ）ＳＴＡが、例えば８０２．１１ａｃで、例えば２０ＭＨｚ、４０ＭＨｚ、８０ＭＨｚ、および１６０ＭＨｚ幅のチャネルをサポートすることができる。４０ＭＨｚおよび８０ＭＨｚチャネルは、例えば連続する２０ＭＨｚチャネルを組み合わせることによって形成されてもよい。１６０ＭＨｚチャネルは、例えば、８つの連続する２０ＭＨｚチャネルを組み合わせることによって、または８０＋８０構成と称されてもよい、２つの非連続の８０ＭＨｚチャネルを組み合わせることによって形成されてもよい。８０＋８０構成は、例えばチャネル符号化の後に、データを２つのストリームに分割するセグメントパーサを通過してもよい。ＩＦＦＴおよび時間領域処理が、例えば（例えばそれぞれの）ストリームに対して別々に実施されてもよい。ストリームが２つのチャネル上にマッピングされてもよい。データが２つのチャネル上で送信されてもよい。受信機が送信機機構を反転してもよい。受信機は、複数のチャネル上で送信されたデータを再び組み合わせてもよい。再び組み合わされたデータがメディアアクセス制御（ＭＡＣ）に送信されてもよい。
【００１６】
サブ１ＧＨｚ（例えば、ＭＨｚ）動作モードが、例えば８０２．１１ａｆ、８０２．１１ａｈによってサポートされてもよい。チャネル動作帯域幅および搬送波が、例えば８０２．１１ｎおよび８０２．１１ａｃで使用される帯域幅および搬送波に比べて削減されてもよい。８０２．１１ａｆは、ＴＶホワイトスペース（ＴＶＷＳ）スペクトル内の５ＭＨｚ、１０ＭＨｚ、および２０ＭＨｚ帯域幅をサポートすることができる。８０２．１１ａｈは、非ＴＶＷＳスペクトル内の１ＭＨｚ、２ＭＨｚ、４ＭＨｚ、８ＭＨｚ、および１６ＭＨｚ帯域幅をサポートすることができる。８０２．１１ａｈについての使用ケースの一例は、マクロカバレッジエリア内のメートルタイプ制御（ＭＴＣ）デバイスのサポートであってもよい。ＭＴＣデバイスは、限定された機能（例えば、限定された帯域幅）を有してもよく、非常に長い電池寿命を有するように設計されてもよい。
【００１７】
ＷＬＡＮシステム（例えば、８０２．１１ｎ、８０２．１１ａｃ、８０２．１１ａｆ、および８０２．１１ａｈシステム）は、プライマリチャネルとして指定されるチャネルなどの複数のチャネルおよびチャネル幅をサポートすることができる。プライマリチャネルは、例えば、ＢＳＳ内のＳＴＡによってサポートされる最大の共通動作帯域幅に等しい帯域幅を有してもよい。プライマリチャネルの帯域幅は、最小の帯域幅動作モードをサポートするＳＴＡによって限定されてもよい。８０２．１１ａｈの例では、１ＭＨｚモードをサポートする１つまたは複数のＳＴＡ（例えば、ＭＴＣタイプデバイス）があると共に、ＡＰ／ＰＣＰおよび他のＳＴＡが２ＭＨｚ、４ＭＨｚ、８ＭＨｚ、１６ＭＨｚ、または他のチャネル帯域幅動作モードをサポートすることができる場合、プライマリチャネルは、例えば１ＭＨｚの幅であってもよい。搬送波検知およびＮＡＶ設定は、プライマリチャネルのステータスに依存してもよい。一例として、例えば、プライマリチャネル上でＡＰ／ＰＣＰに送信する１ＭＨｚ動作モードをサポートするＳＴＡのためにプライマリチャネルがビジーステータスを有するとき、いくつかの、またはすべての利用可能な周波数帯がビジーと見なされ、利用可能であるにも関わらずアイドル状態のままであってもよい。
【００１８】
利用可能な周波数帯は、相互に異なる領域間で変動してもよい。一例として、米国では、８０２．１１ａｈによって使用される利用可能な周波数帯は９０２ＭＨｚから９２８ＭＨｚであってもよい。別の例では、韓国では、利用可能な周波数帯は９１７．５ＭＨｚから９２３．５ＭＨｚであってもよい。別の例として、日本では、利用可能な周波数帯は９１６．５ＭＨｚから９２７．５ＭＨｚであってもよい。８０２．１１ａｈのために利用可能な全帯域幅は、国名コードに応じて６ＭＨｚから２６ＭＨｚであってもよい。
【００１９】
８０２．１１ａｃは、同一シンボルの時間フレーム内の、例えばダウンリンク直交周波数分割多重化（ＯＦＤＭ）シンボルの間の、複数のＳＴＡへのダウンリンクマルチユーザＭＩＭＯ（ＭＵ−ＭＩＭＯ）伝送をサポートすることができる。ＭＵ−ＭＩＭＯ伝送はスペクトル効率を改善してもよい。８０２．１１ａｈはダウンリンクＭＵ−ＭＩＭＯをサポートすることができる。ダウンリンクＭＵ−ＭＩＭＯは、複数のＳＴＡに対する同一のシンボルタイミングを使用してもよく、複数のＳＴＡへの波形伝送は互いに干渉しないことがある。ＡＰ／ＰＣＰとのＭＵ−ＭＩＭＯ伝送中の１つまたは複数のＳＴＡは、同一のチャネルまたは帯域を使用してもよく、そのことは、選択されたチャネル幅（例えば、ＡＰ／ＰＣＰとのＭＵ−ＭＩＭＯ伝送中の１つまたは複数のＳＴＡによってサポートされる最小のチャネル帯域幅）に動作帯域幅を限定してもよい。
【００２０】
８０２．１１ａｄは、６０ＧＨｚ帯域内の超高スループット（ＶＨＴ）のためのメディアアクセス制御（ＭＡＣ）および物理（ＰＨＹ）レイヤを指定する、ＷＬＡＮ規格に対する改訂である。８０２．１１ａｄは、最大７Ｇビット／秒のデータ転送速度をサポートすることができる。８０２．１１ａｄは、３つの異なる変調モードをサポートすることができる。８０２．１１ａｄは、シングルキャリアおよびスペクトラム拡散を伴うＰＨＹの制御をサポートすることができる。８０２．１１ａｄはシングルキャリアＰＨＹをサポートすることができる。８０２．１１ａｄはＯＦＤＭ  ＰＨＹをサポートすることができる。８０２．１１ａｄは、グローバルに利用可能であってもよい６０ＧＨｚ非認可帯域を使用してもよい。６０ＧＨｚでは、波長は５ｍｍであってもよく、それはコンパクトかつ競争力のあるアンテナまたはアンテナアレイを可能にしてもよい。コンパクトかつ競争力のあるアンテナは、送信機および受信機で狭無線周波数（ＲＦ）ビームを生み出してもよく、それは、効果的にカバレッジ範囲を向上させ、かつ／または干渉を低減してもよい。
【００２１】
８０２．１１ａｄのフレーム構造は、ビームフォーミングトレーニング（例えば、発見および追跡）を容易にしてもよい。ビームフォーミング（ＢＦ）トレーニングプロトコルは、セクタレベルスウィープ（ＳＬＳ）および／またはビーム改善プロトコル（ＢＲＰ）などの２つ以上の構成要素を含んでもよい。ＳＬＳは、ビームフォーミングトレーニングを送信するために使用されてもよい。ＢＲＰは、受信ビームフォーミングトレーニングおよび／または送信ビームと受信ビームの両方の反復的改善を可能にしてもよい。
【００２２】
ＳＵ−ＭＩＭＯとＭＵ−ＭＩＭＯをどちらも含むＭＩＭＯ伝送は、８０２．１１ａｄによってサポートされないことがある。
【００２３】
図１は、例示的なセクタレベルスウィープ（ＳＬＳ）トレーニングを示す。ＳＬＳトレーニングは、ビーコンフレームおよび／またはセクタスウィープ（ＳＳＷ）フレームを使用して実施されてもよい。ビーコンフレームが利用されるとき、ＡＰ／ＰＣＰは、（例えば、各）ビーコン間隔（ＢＩ）内の複数のビーム／セクタと共にビーコンフレームを反復してもよい。例えば、ＡＰ／ＰＣＰは、ＳＳフレーム１０２およびＳＳフレーム１０６でビーコンフレームを反復してもよい。複数のＳＴＡが、ＢＦトレーニングを同時に実施してもよい。例えば、ＳＴＡがフレーム１０４を介して応答してもよく、別のＳＴＡがフレーム１０８を介して応答してもよい。ＡＰ／ＰＣＰは、例えばビーコンフレームのサイズのために、１つのＢＩ内ですべてのセクタ／ビームをスウィープしないことがある。ＳＴＡは、ＩＳＳトレーニングを完了するために複数のＢＩを待機する必要があってもよい。待ち時間が問題となることがある。ＳＳＷフレームがポイントツーポイントＢＦトレーニングのために利用されてもよい。ＳＳＷフレームは制御ＰＨＹを使用して送信されてもよい。
【００２４】
図２は例示的なＳＳＷフレームフォーマットを示す。ＳＳＷフレームは、１つまたは複数のフレーム制御２０２（２オクテット）、持続時間２０４（２オクテット）、ＲＡ２０６（６オクテット）、ＴＡ２０８（６オクテット）、ＳＳＷ２１０（３オクテット）、ＳＳＷフィードバック２１２（３オクテット）、またはＦＣＳ２１４（４オクテット）を含んでもよい。
【００２５】
図３は、ＳＳＷフレーム内の例示的なＳＳＷフィールドを示す。ＳＳＷフレームは、１つまたは複数の方向３０２（１ビット）、ＣＤＯＷＮ３０４（９ビット）、セクタＩＤ３０６（６ビット）、ＤＭＧアンテナＩＤ３０８（２ビット）、ＲＸＳＳ長さ３１０（６ビット）のフィールドまたはサブフィールドを含んでもよい。
【００２６】
図４は、ＩＳＳの部分として送信されるときのＳＳＷフレーム内の例示的なＳＳＷフィードバックフィールドを示す。ＳＳＷフレーム内のＳＳＷフィードバックフィールドは、ＩＳＳ内の１つまたは複数の総セクタ４０２（９ビット）、ＲＸ  ＤＭＧアンテナ数４０４（２ビット）、予約済み４０６（５ビット）、要ポーリング４０８（１ビット）、および予約済み４１０（７ビット）のフィールドおよびサブフィールドを含んでもよい。
【００２７】
図５は、イニシエータセクタスウィープ（例えば、ＩＳＳ）の部分として送信されないときの、ＳＳＷフレーム内の例示的なＳＳＷフィードバックフィールドを示す。ＳＳＷフィードバックフィールドは、１つまたは複数のセクタ選択５０２（６ビット）、ＤＭＧアンテナ選択５０４（２ビット）、ＳＮＲレポート５０６（８ビット）、要ポーリング５０８（１ビット）、または予約済み５１０（７ビット）のフィールドおよびサブフィールドを含んでもよい。
【００２８】
ビーム改善は、送信および／または受信のためにＳＴＡがＳＴＡアンテナ構成（例えば、アンテナ重みベクトル）を改善することを可能にしてもよい。ビーム改善は、ＢＲＰパケットを使用して受信機および／または送信機アンテナをトレーニングすることを含んでもよい。ＢＲＰ受信機（ＲＸ）パケットおよびＢＲＰ送信機（ＴＸ）パケットという２つのタイプのビームフォーミング改善プロトコル（ＢＲＰ）パケットがあってもよい。図６は、ＢＲＰフレームおよびトレーニング（ＴＲＮ）フィールドを搬送する例示的な物理レイヤコンバージェンスプロシージャ（ＰＬＣＰ）プロトコロルデータユニット（ＰＰＤＵ）である。ＢＲＰパケット６０２が、例えば指向性マルチギガビット（ＤＭＧ）ＰＰＤＵによって搬送されてもよく、ＢＲＰパケット６０２の後に、自動利得制御（ＡＧＣ）フィールド６０６を含むトレーニングフィールド６０４が続いてもよい。図６に示されるように、ＤＭＧ  ＰＰＤＵによって搬送されるＢＲＰパケット６０２の後に、送信機または受信機トレーニングフィールド６０８が続いてもよい。
【００２９】
図６に示されるように、Ｎの値は、ヘッダフィールド内で与えられるトレーニング長であってもよく、それは、ＡＧＣが４Ｎ個のサブフィールドを有すること、およびＴＲＮ受信機／送信機（Ｒ／Ｔ）フィールドが５Ｎ個のサブフィールドを有することを示してもよい。チャネル推定（ＣＥ）サブフィールド６１２は、（例えば、本明細書で説明される）プリアンブル内のものと同一でよい。ビームトレーニングフィールド６０４内のサブフィールドは、回転π／２  ２進位相偏移変調（ＢＰＳＫ）変調を使用して送信されてもよい。
【００３０】
ＢＲＰ  ＭＡＣフレームは、以下のフィールドのうちの１つまたは複数を含むＡｃｔｉｏｎ  Ｎｏ  ＡＣＫフレームであってもよい。Ｃａｔｅｇｏｒｙ、Ｕｎｐｒｏｔｅｃｔｅｄ  ＤＭＧ  Ａｃｔｉｏｎ、Ｄｉａｌｏｇ  Ｔｏｋｅｎ、ＢＲＰ  Ｒｅｑｕｅｓｔフィールド、ＤＭＧ  Ｂｅａｍ  Ｒｅｆｉｎｅｍｅｎｔ要素、またはＣｈａｎｎｅｌ  Ｍｅａｓｕｒｅｍｅｎｔ  Ｆｅｅｄｂａｃｋ要素１．．．Ｃｈａｎｎｅｌ  Ｍｅａｓｕｒｅｍｅｎｔ  Ｆｅｅｄｂａｃｋ要素ｋ。
【００３１】
８０２．１１ａｄは、シングルキャリア（ＳＣ）ＰＨＹ、ＯＦＤＭ  ＰＨＹ、Ｃｏｎｔｒｏｌ  ＰＨＹ、および低電力ＳＣ  ＰＨＹを含む４つのＰＨＹをサポートすることができる。ＰＨＹは同一のパケット構造を共有してもよいが、各フィールドについての詳細な設計は異なってもよい。図７は例示的なデジタルマルチメディアブロードキャスティング（ＤＭＢ）ＰＰＤＵフォーマットである。ＤＭＢ  ＰＰＤＵフォーマットは、ショートトレーニングフィールド７０２、ＣＥ７０４、ヘッダ７０６、データ７０８、およびＴＲＮ−Ｒ／Ｔサブフィールド７１０を含んでもよい。
【００３２】
タスクグループａｙ（ＴＧａｙ）が、（例えば、ＭＡＣデータサービスアクセスポイントで測定される）少なくとも毎秒２０ギガビットの最大スループットをサポートすると共に、ステーション当たりの電力効率を維持または改善することのできる少なくとも１つの動作モードを可能にする、ＩＥＥＥ  ８０２．１１物理レイヤ（ＰＨＹ）とＩＥＥＥ  ８０２．１１メディアアクセス制御レイヤ（ＭＡＣ）の両方に対する修正を導入してもよい。ＴＧａｙは、同一帯域内で動作する（例えば、ＩＥＥＥ  ８０２．１１ａｄ−２０１２改訂によって定義されるような）レガシー指向性マルチギガビットステーションとの後方互換性および共存を保証しながら、４５ＧＨｚより上の非認可帯域上の動作のサポートを導入してもよい。
【００３３】
８０２．１１ａｙはモビリティおよび／または屋外サポートを含んでもよい。８０２．１１ａｙは、レガシー規格と同一の帯域内で動作してもよく、同一帯域内のレガシーとの後方互換性および共存のサポートを含んでもよい。８０２．１１ａｙはＭＩＭＯおよびチャネルボンディングを含んでもよい。ＭＩＭＯ伝送をサポートするために、複数のフェイズドアンテナアレイ（ＰＡＡ）または複数の偏波を伴うＰＡＡが、８０２．１１ａｙ互換デバイスで実装されてもよい。
【００３４】
ＥＤＭＧ  Ｃａｐａｂｉｌｉｔｙ要素が、ＥＤＭＧ  ＳＴＡのアンテナ偏波機能を含んでもよい。ＥＤＭＧ  ＳＴＡが、ＳＵまたはＭＵ  ＭＩＭＯ  ＰＰＤＵの送信前に、ＭＩＭＯセットアップフレーム（例えば、ｒｅｑｕｅｓｔ  ｔｏ  ｓｅｎｄ（ＲＴＳ）またはＤＭＧ  ｃｌｅａｒ  ｔｏ  ｓｅｎｄ（ＣＴＳ）−ｔｏ−ｓｅｌｆ）を送信してもよい。ＭＩＭＯセットアップフレームは、ＰＰＤＵによってアドレス指定された１つまたは複数の宛先ＳＴＡを示してもよい。ＭＩＭＯセットアップフレーム（例えば、ＲＴＳ）伝送は、１つまたは複数の宛先ＳＴＡからの応答（例えば、ＤＭＧ  ＣＴＳまたはＡｃｋｎｏｗｌｅｄｇｍｅｎｔ（ＡＣＫ））をトリガしてもよい。
【００３５】
図８は例示的なＥＤＭＧ  ＰＰＤＵフォーマットである。ＥＤＭＧ  ＰＰＤＵフォーマットは、１つまたは複数のＬ−ＳＴＦ８０２、Ｌ−ＣＥＦ８０４、Ｌ−ＨＥＡＤＥＲ８０６、ＥＤＭＧ−ＨＥＡＤＥＲ−Ａ８０８、ＥＤＭＧ−ＳＴＦ８１０、ＥＤＭＧ−ＣＥＦ８１２、ＥＤＭＧ−ＨＥＡＤＥＲ−Ｂ８１４、データ８１６、ＡＧＣ８１８、またはＴＲＮ８２０のフィールド／サブフィールドを含んでもよい。
【００３６】
多入力多出力（ＭＩＭＯ）セットアップ機構が提供されてもよい。複数ユーザ（ＭＵ）−ＭＩＭＯセットアップフレームおよび単一ユーザ（ＳＵ）−ＭＩＭＯセットアップフレームのためにＭＩＭＯセットアップフレームが使用されてもよい。ＭＩＭＯセットアップフレームは、（例えば、８０２．１１ａｙで）ＳＵ−ＭＩＭＯおよび／またはダウンリンク（ＤＬ）ＭＵ−ＭＩＭＯ伝送をセットアップしてもよい。サブ６ＧＨｚ伝送では、ＭＩＭＯ伝送をセットアップするためにフレームを送信する必要はないことがある。ｍｍＷ環境では、伝送は非常に指向性であってもよい。単入力単出力（ＳＩＳＯ）のケースでは、送信機および／または受信機は、送信機および／または受信機のＴｘ／Ｒｘビーム（例えば、互いに対して向く送信機および／または受信機自体の固定Ｔｘ／Ｒｘビーム）を準備してもよい（例えば、準備する必要があってもよい）。ＭＩＭＯ伝送では、ビーム設定が、異なる空間／ＭＩＭＯスキームについて異なってもよい。制御フレームが、送信機側および／または受信機側で１つまたは複数のビームをセットアップするために使用されてもよい。フレームは、いくつかの、またはすべてのＭＩＭＯ伝送シナリオを実現するように設計されてもよい。
【００３７】
意図しないビームフォーミングが生じることがある。同一のレガシーフィールド（例えば、レガシーショートトレーニングフィールド（ＳＴＦ）、チャネル推定フィールド（ＣＥＦ）、およびヘッダ）を含む複数のストリームが複数のアンテナから送信されるとき、例えば送信される信号間の強い相関のために、受信される信号に関する電力変動（例えば、意図しないビームフォーミング）が生じることがある。受信される信号電力の変動が、次善のＡＧＣ設定がレガシーデバイスでレガシーヘッダを復号化することがある（例えば、引き起こすことがある）。これは、準無指向性アンテナパターンを形成することによって、例えばＳＴＡ自体のＰＡＡ構成を変更することによってＳＴＡが無指向性伝送を目指すときに問題となることがある。送信信号を無相関にするために、異なる巡回シフトが（例えば、それぞれの）送信される信号に適用されてもよい。異なる巡回シフトを（例えば、それぞれの）送信される信号に適用する操作は、信号搬送波システムを対象としてもよい巡回プレフィックス（ＣＰ）−ＯＦＤＭ伝送と互換性があってもよい。シングルキャリアはＩＥＥＥ  ８０２．１１ａｄで採用されてもよい。ＩＥＥＥ  ８０２．１１ａｙは８０２．１１ａｄ受信機と互換性があってもよい。
【００３８】
複数ストリーム（ＭＩＭＯ）伝送についてのチャネル推定フィールドが使用されてもよい。高スループット（例えば、２０Ｇｂｐｓを超えるスループット）に達するための技術は、複数の送信アンテナを介して複数ストリーム伝送（例えば、ＳＵ−ＭＩＭＯ）を使用することを含んでもよい。相互に直交するチャネル推定フィールドが、ＳＵ−ＭＩＭＯを可能にするために、例えば、（例えば、それぞれの）送信アンテナについて１つ構築されてもよい。互いに直交し、かつ／または８０２．１１ａｄで使用されるチャネル推定フィールドと同一または同様の特性を有する１つまたは複数のチャネル推定フィールドが識別されてもよい（例えば、識別される必要があってもよい）。
【００３９】
ＭＩＭＯ伝送およびセットアップ実装が提供されてもよい。ｍｍＷでは、ＭＩＭＯ伝送（例えば、ＳＩＳＯとは異なるＭＩＭＯ伝送）は、Ｔｘ／Ｒｘ側またはその両方で複数の無線周波数（ＲＦ）チェーンを使用してもよい。Ｔｘおよび／またはＲｘ側で採用されるべき１つまたは複数のビームパターンがあってもよい。Ｒｘビームパターンは、例えば良好なＢＦ性能を達成するために、Ｔｘ側で使用されるビームパターンに合致してもよく、または（例えば、合致する必要がある）。送信機側で使用されるビームは、例えばＭＩＭＯ伝送前に、合致する受信ビームを受信機が選択してもよいようにシグナリングされてもよい。１つまたは複数のビームモード、例えばタイプＩビームモードおよび／またはタイプＩＩビームモードと、ビームモードの使用法が、本明細書で指定されてもよい。例えば、以下のビームモード（例えば、タイプＩビームモード）のうちの１つまたは複数が使用されてもよい。
【００４０】
タイプＩビームモードは、単一データストリーム伝送のための基本準無指向性モードおよび／または準無指向性モードを含んでもよい。１つまたは複数のＲＦチェーンが使用されてもよい。複数のＲＦチェーンでは、（例えば、それぞれの）ＲＦチェーンが、ＲＦチェーン自体の準無指向性ビームを形成してもよい。２つのＲＦチェーンを有する例では、準無指向性アナログ重みが
【００４１】
【数１】
2019528595.tif 000003
と表されてもよく、ただし
【００４２】
【数２】
2019528595.tif 000004
、ｋ＝１，２は、サイズＮ×１のベクトルであってもよく、Ｎは、ＲＦチェーンによって制御されるアンテナ素子のサイズである。
【００４３】
単一データストリーム伝送のための基本準無指向性モードおよび／または準無指向性モードでは、ベースバンド処理が、ベースバンド／デジタルドメインプリコーディング、ベースバンド／デジタルドメイン空間−時間コーディング、ベースバンド／デジタルドメイン循環シフトダイバーシティ（ＣＳＤ）、および／またはベースバンド／デジタルドメインアンテナ／偏波選択などのうちの１つまたは複数を含んでもよい。ベースバンド／デジタルドメインプリコーディングが使用されてもよい。本明細書の例のうちの１つまたは複数では、ベースバンドウェイトはＷBBであってもよい。単一データストリームが送信されてもよいケースでは、ＷBBはサイズ２×１であってもよい。送信信号は、例えば
【００４４】
【数３】
2019528595.tif 000005
と表されてもよい。ベースバンドプリコーディングベクトルは、例えばＷBBと表されてもよく、かつ／または例えばプリコーディングスキームが設定された後は、実装ベースでよい。例えばベースバンドプリコーディングベクトルがデータ部分に適用されてもよいのと同様に、ベースバンドプリコーディングベクトル（例えば、ＷBB）がＣＥＦフィールドに適用されてもよい。ベースバンドプリコーディングベクトルは受信機には透過的であってもよい。ベースバンド／デジタルドメイン空間−時間コーディングが使用されてもよい。本明細書の例のうちの１つまたは複数では、２つのベースバンドシンボルが使用されてもよく、かつ／または異なる時刻および／または周波数で割り振られてもよい。
【００４５】
タイプＩビームモードは、単一データストリーム伝送を伴うＳＵ−ＭＩＭＯのための指向性モード、マルチデータストリーム伝送を伴うＳＵ−ＭＩＭＯのための指向性モード、（例えば、それぞれの）ユーザのための単一データストリーム伝送を伴うＭＵ−ＭＩＭＯのための指向性モード、および／または（例えば、それぞれの）ユーザについてのマルチデータストリーム伝送を伴うＭＵ−ＭＩＭＯのための指向性モードを含んでもよい。
【００４６】
例えばハイブリッドビームフォーミングがシステムで利用されてもよいとき、アナログビームモードがセットアップおよび／または指定されてもよい。デジタルプリコーディング／ビームがオンザフライで変更されてもよい。例えば、タイプＩＩビームモードと称されてもよい、以下のビームモードのうちの１つまたは複数が使用されてもよい。タイプＩＩビームモードは、Ｋ個の準無指向性ビームを含んでもよく、ただしＫ≦Ｋｍａｘは、伝送のために使用されるＲＦチェーン数および／またはアナログビーム数である。Ｋｍａｘは、利用可能な最大ＲＦチェーン数および／またはデバイスによって形成される最大アナログビーム数であってもよい。Ｋの値はシステムで指定され、かつ／またはシグナリングされてもよい。タイプＩＩビームモードは、ＳＵ−ＭＩＭＯのためのＫ個の指向性ビームを含んでもよく、ただしＫ≦Ｋｍａｘは、伝送のために使用されるＲＦチェーン数および／またはアナログビーム数である。Ｋｍａｘは、利用可能な最大ＲＦチェーン数および／またはデバイスによって形成される最大アナログビーム数である。Ｋの値はシステムで指定され、かつ／またはシグナリングされてもよい。例えばＫ＜Ｋｍａｘのケースでは、アナログビーム（例えば、選択されたアナログビーム）のインデックスがシグナリングされてもよい。タイプＩＩビームモードは、ＤＬ  ＭＵ−ＭＩＭＯのためのＫ個の指向性ビームを含んでもよく、ただし
【００４７】
【数４】
2019528595.tif 000006
は、Ｎｕ人のユーザへの伝送のために使用されるＲＦチェーンの総数および／またはアナログビーム数である。Ｋｍａｘは、利用可能な最大ＲＦチェーン数および／または送信機デバイスによって形成される最大アナログビーム数であってもよい。Ｋおよび／またはＫｕ，ｕ＝１，．．．，Ｎｕの値はシステムで指定され、かつ／またはシグナリングされてもよい。選択されたアナログビームおよび／または（例えば、それぞれの）ユーザに対して割り振られたアナログビームのインデックスがシグナリングされてもよい。例えば、送信すべきデータストリーム数が本明細書で説明されるＫ未満であってもよい場合、デジタル／ベースバンドドメイン空間スキームが適用されてもよい。使用すべきアナログビームが、Ｋ個の指定されたビームに固定されてもよい。
【００４８】
ＤＭＧおよび／またはＥＤＭＧフレームの伝送が、ビームモード（例えば、本明細書で説明されるビームモード）間で切り替わってもよい。例えばＥＤＭＧ  ＰＰＤＵ伝送で、レガシープリアンブル部分（例えば、レガシーショートトレーニングフィールド（Ｌ−ＳＴＦ）、レガシーチャネル推定（Ｌ−ＣＥ）、Ｌ−Ｈｅａｄｅｒ、ＥＤＭＧ−Ｈｅａｄｅｒ−Ａフィールドを含む）からＥＤＭＧ部分（例えば、ＥＤＭＧ−ＳＴＦ、ＥＤＭＧ−ＣＥ、ＥＤＭＧ−Ｈｅａｄｅｒ−Ｂ、およびデータフィールドを含む）にビームモードを切り換えることが可能であってもよい。例えばＢＲＰＴＲＮフィールドがＰＰＤＵの終わりに付加されてもよいケースでは、トレーニング（ＴＲＮ）フィールドのためのビームモードが、ＰＨＹヘッダ内でシグナリングされてもよい。
【００４９】
いくつかのビームモードがデフォルトビームモードとして指定されてもよい。デフォルトビームモードは、（例えば、任意の）明示的ビームセットアップを必要としないことがあるいくつかの伝送のために使用されてもよい。例えばビームモードの使用法を明示的にシグナリングするためのシグナリングがほとんどない、または全くない場合、受信機は、デフォルトモードでの伝送を予期してもよい。いくつかのビームモードでいくつかのフレームを送信する使用法が指定されてもよい。例えば、デフォルトビームモード選択は、以下のルールのうちの１つまたは複数に従ってもよい。
【００５０】
デフォルトビームモード選択は、例えばブロードキャストもしくはマルチキャスト管理および／または制御フレーム（例えば、ビーコンフレーム、告知フレームなど）のために、タイプＩビームモードが採用される場合、ビームモードが固定ベースバンドスキームを用いる単一データストリーム伝送のための基本準無指向性モードまたは準無指向性モードであってもよいというルールに従ってもよい。例えば、ベースバンドプリコーディングを伴う単一データストリーム伝送（例えば、ベースバンドプリコーディングを伴う準無指向性アナログビーム）のための基本準無指向性モードまたは準無指向性モードが、ブロードキャストおよび／またはマルチキャスト管理および／または制御フレームのためのデフォルトビームモードとして指定されてもよい。ベースバンド／デジタルドメイン空間−時間コーディングを伴う単一データストリーム伝送のための基本準無指向性モードまたは準無指向性モード（例えば、ベースバンド空間−時間ブロックコード（ＳＴＢＣ）のようなビームモードを有する準無指向性アナログビーム）が指定されてもよい。単一データストリーム伝送のための任意の基本準無指向性モードまたは準無指向性モードが使用されてもよい。タイプＩＩビームモードが採用される場合、Ｋ＜＝Ｋｍａｘが、伝送のために使用されるＲＦチェーン数またはアナログビーム数であるとして（例えば、Ｋ＝ＫｍａｘまたはＫ＝１）、Ｋ個の準無指向性ビームが、管理／制御フレームをブロードキャストおよび／またはマルチキャストするために使用されてもよい。ビームモードが標準で指定されてもよく、かつ／またはビームモードがビーコンフレーム内にセットアップされてもよい。例えば、ビームモードがビーコンフレーム内にセットアップされてもよいとき、デフォルトビームモードがビーコン間隔内で固定され、かつ／または使用されてもよい。ビーコン間隔（例えば、デフォルトビームモードが固定され、使用されてもよい場合のビーコン間隔とは異なるビーコン間隔）では、デフォルトビームモードがＡＰ／ＰＣＰによって（例えば、やはりビーコンフレーム内で）告知されてもよい。例えば、異なる（例えば、新しい）デフォルトビームモードが告知されない場合、前のビーコン間隔内で使用されたデフォルトビームモードが利用されてもよい。
【００５１】
デフォルトビームモード選択は、ユニキャスト管理／制御フレームについて、デフォルトビームモードがブロードキャスト／マルチキャスト管理／制御フレーム（例えば、準全方向ベースのビーム）と同一であってもよいというルールに従ってもよい。デフォルトビームモードは指向性ビームであってもよい。例えば、タイプＩビームモードが採用されるとき、単一データストリーム伝送を伴うＳＵ−ＭＩＭＯについての指向性モードが利用されてもよい。タイプＩＩビームモードが採用されるとき、Ｋ＜＝Ｋｍａｘが伝送のために使用されるＲＦチェーン数またはアナログビーム数であるとして（例えば、Ｋ＝ＫｍａｘまたはＫ＝１）、ＳＵ−ＭＩＭＯについてのＫ個の指向性ビームが使用されてもよい。
【００５２】
デフォルトビームモード選択は、明示的なビームセットアップのないデータフレームについて、デフォルトビームモードが指向性ビームであってもよいというルールに従ってもよい。例えば、タイプＩビームモードが採用されるとき、単一データストリーム伝送を伴うＳＵ−ＭＩＭＯについての指向性モードが利用されてもよい。タイプＩＩビームモードが採用されるとき、Ｋ＜＝Ｋｍａｘが伝送のために使用されるＲＦチェーン数またはアナログビーム数であるとして（例えば、Ｋ＝ＫｍａｘまたはＫ＝１）、ＳＵ−ＭＩＭＯについてのＫ個の指向性ビームが使用されてもよい。
【００５３】
デフォルトビームモード選択は、明示的なビームセットアップを有するデータフレームについて、ビームモードがビームセットアップフィールドに従ってもよいというルールに従ってもよい。ビームセットアップフィールドが、ＭＩＭＯセットアップフレーム、多重チャネルセットアップフレーム、ビーコンフレーム、割り当てフィールド、スケジュール要素、および／または拡張スケジュール要素などのうちの１つまたは複数の中で搬送されてもよい。
【００５４】
ＭＵ−ＭＩＭＯ実装が提供されてもよい。ネットワークエンティティ（例えば、アクセスポイント）が、例えばビームの特徴付けおよび／またはビームのランク付けに基づいて、ＭＵ−ＭＩＭＯユーザをグルーピングしてもよい。ビームの特徴付けは、良好なビーム（例えば、最良のビーム）および／または不良なビーム（例えば、最悪のビーム）を含んでもよい。良好なビームおよび最良のビームは、互換的に使用されてもよい。不良なビームおよび最悪のビームは、互換的に使用されてもよい。ＡＰは、ビーム（例えば、アナログビーム）および／またはアンテナ（例えば、仮想アンテナ）割り当てを提供してもよい。ステーション（例えば、ユーザに関連付けられるステーション）のグルーピングまたは分離が、異なる伝送のために様々な方式で実施されてもよい。例えば、ＤＬ  ＭＵ−ＭＩＭＯ伝送では、ＡＰは、空間ドメイン内でステーションのグルーピングまたは分離を実施してもよい。一例では、アナログビームフォーミングおよび／またはハイブリッドビームフォーミングが、ステーションをグルーピングまたは分離するために適用されてもよい。ハイブリッドビームフォーミングはアナログおよびデジタルビームフォーミング技法を含んでもよい。ｍｍＷ伝送では（例えば、ハイブリッドビームフォーミングが適用されるとき）、１つまたは複数の技法が、ステーションをグルーピングまたは分離するために使用されてもよい。例えば、アナログビームフォーミングが使用されてもよく、アナログ／デジタルビームフォーミングが使用されてもよく、以下同様である。
【００５５】
アナログビームフォーミングが、ステーション（例えば、ユーザに関連付けられるステーション）を分離および／またはグルーピングするために使用されてもよい。ビームフォーミングは、伝送がより指向性となるように、送信機（例えば、仮想アンテナ）からの伝送を集束してもよい。アナログビームフォーミングは、送信機が複数のビームおよび／またはＲＦチェーンから送信することを可能にしてもよい。ＡＰ／ＰＣＰは、１つまたは複数のアンテナ（例えば、仮想アンテナ）を含んでもよい。ステーション（例えば、ユーザに関連付けられるステーション）は、１つまたは複数のアンテナ（例えば、仮想アンテナ）を含んでもよい。アナログビームフォーミングおよび／またはハイブリッドビームフォーミングを使用して、アンテナ（例えば、仮想アンテナ）が、１つまたは複数のビーム（例えば、アナログビーム）および／またはＲＦチェーンを介して送信してもよい。
【００５６】
ＡＰ／ＰＣＰは、ユーザ間干渉情報を使用して、ユーザ選択／ペアリング／グルーピングを実施してもよい。ユーザ間干渉情報は、異なるステーション（例えば、ユーザに関連付けられるステーション）への伝送および／または異なるステーションからの伝送の間の干渉を含んでもよい。ユーザ間干渉またはユーザ間干渉の範囲を示すために、様々なパラメータまたはメトリックが使用されてもよい。例えば、ユーザ間干渉またはユーザ間干渉の範囲を特徴付けるために、信号対雑音比（ＳＮＲ）または信号対干渉雑音比（ＳＩＮＲ）が使用されてもよい。ユーザ間干渉情報は様々な方式で取得されてもよい。例えば、ユーザ間干渉情報はアナログビームトレーニング、アナログビーム追跡、および／またはアナログビームダウン選択などによって取得されてもよい。
【００５７】
ユーザ間干渉情報はアナログビームトレーニングによって取得されてもよい。アナログビームトレーニング（例えば、拡張ＳＬＳ実装）の間、送信機（例えば、ＡＰ）は、送信機のアンテナ（例えば、仮想アンテナ）から１つまたは複数のアナログ伝送を送信してもよい。例えば、アナログ伝送は、仮想アンテナで形成されるアナログビームを介する伝送を含んでもよい。
【００５８】
アナログ伝送は様々なシグナリングを含んでもよい。例えば、アナログ伝送はサウンディングフレームまたは信号であってもよい。送信機の仮想アンテナは、１つまたは複数のアナログビームを介して送信してもよい（例えば、ビーム当たりの伝送）。受信機（例えば、ステーション）は、受信機のアンテナ（例えば、仮想アンテナ）を介して１つまたは複数のアナログ伝送を受信してもよい。受信機の仮想アンテナは、１つまたは複数のアナログビームを介して１つまたは複数のアナログ伝送を受信してもよい。例えば、ステーションの仮想アンテナのビームが、いくつかの、またはすべてのアナログ伝送をＡＰから受信してもよい。１つまたは複数のアナログ伝送のアナログ伝送が、ＡＰの仮想アンテナのビームから、ステーションの仮想アンテナのビームに通信されてもよい。ＡＰの仮想アンテナのビームと、ステーションの仮想アンテナのビームとが、ＴＸおよびＲＸビームのペアを形成してもよい。例えば、ＡＰの仮想アンテナのビームは、ビームにおけるＴＸビームであってもよい。ステーションの仮想アンテナのビームは、ビームにおけるＲＸビームであってもよい。異なるＴＸおよびＲＸビームのペアが、異なるユーザ間干渉情報に関連付けられてもよい。ユーザ間干渉情報は、例えばステーションによって測定されてもよく、ＴＸおよびＲＸビームまたはビームのペアの間で通信されるアナログ伝送に基づいてもよい。ＡＰの仮想アンテナおよびステーションの仮想アンテナは、ＴｘおよびＲｘ仮想アンテナのペアを形成してもよい。例えば、ＡＰの仮想アンテナは、仮想アンテナのペアのＴＸ仮想アンテナであってもよい。ステーションの仮想アンテナは、仮想アンテナのペアのＲＸ仮想アンテナであってもよい。
【００５９】
ユーザ間干渉情報がアナログビーム追跡によって取得されてもよい。例えば、アナログビーム追跡は、ＡＰとＳＴＡとの間の１対多セクタレベルスウィープ、および／またはＡＰとＳＴＡとの間の１対１セクタレベルスウィープとして実施されてもよい。アナログビーム追跡が、ＳＴＡとＳＴＡとの間の１対多セクタレベルスウィープ、および／またはＳＴＡと別のＳＴＡとの間の１対１セクタレベルスウィープとして実施されてもよい。アナログビーム追跡はＭＩＭＯ  ＢＦトレーニング実装の部分であってもよい。例えば、アナログビーム追跡は、拡張ＢＦトレーニングのＳＩＳＯ段階であってもよい。アナログビーム追跡（例えば、拡張ＢＲＰ実装）の間、ＡＰ／ＰＣＰは、１つまたは複数のビームまたはビーム組合せを使用して、トレーニングシーケンスを１回または複数回送信してもよい。トレーニングシーケンスは、１つまたは複数のアナログビームまたはビーム組合せを介する１つまたは複数のアナログ伝送を含んでもよい。ＡＰ／ＰＣＰは、１つまたは複数のビームまたはビーム組合せを追跡するように構成されてもよい。ＡＰ／ＰＣＰは、追跡する１つまたは複数のビームまたはビーム組合せを決定および／または識別してもよい。
【００６０】
ユーザ間干渉情報はアナログビームダウン選択によって取得されてもよい。アナログビームダウン選択（例えば、拡張ＳＬＳ実装および／または拡張ＢＲＰ実装および／またはＢＲＰフレームを使用するＳＬＳ実装）の間、ＡＰ／ＰＣＰは、１つまたは複数のビームまたはビーム組合せを使用してトレーニングシーケンスまたはトレーニングフレームを送信してもよい。トレーニングシーケンスまたはトレーニングフレームは１つまたは複数のアナログ伝送を含んでもよい。ＳＴＡは、ＡＰ／ＰＣＰにフィードバック（例えば、ＳＮＲやＣＳＩなどのチャネル測定値）をレポートしてもよい。ＡＰ／ＰＣＰは、フィードバックに基づいて１つまたは複数のビームまたはビーム組合せをダウン選択するように構成されてもよい。ＡＰ／ＰＣＰは、１つまたは複数のビームまたはビーム組合せを決定および／または識別して、ＳＵ／ＭＵ−ＭＩＭＯＢＦトレーニング（例えば、別のＳＵ／ＭＵ−ＭＩＭＯＢＦトレーニング）をダウン選択および／または実施してもよい。
【００６１】
取得されたユーザ間干渉情報が、例えばステーションによって使用され、ビームおよび／またはビームのペアの特徴付けが決定されてもよい。いくつかのビームおよび／またはビームのペアが、良好な（例えば、最良の）ビームおよび／またはビームのペアとして特徴付けられてもよい。いくつかのビームおよび／またはビームのペアが、不良な（例えば、最悪の）ビームおよび／またはビームのペアとして特徴付けられてもよい。ユーザ間干渉情報は、１つまたは複数の閾値（例えば、比較的高い閾値および／または比較的低い閾値）と比較するために使用され、最良および／または最悪のビーム／ビームのペアが決定されてもよい。ユーザ間干渉情報は、異なるビーム／ビームのペアを介する、および／または異なるアンテナ／アンテナのペアを介する伝送に基づいて測定された異なるユーザ間干渉情報と比較するために使用され、最良および／または最悪のビーム／ビームのペアが決定されてもよい。ビームおよび／またはビームのペアならびに／あるいはアンテナ／アンテナのペアが、ユーザ間干渉情報に基づいてランク付けされてもよい。
【００６２】
一例では、ビームおよび／またはビームのペアを特徴付けるためにＳＮＲ閾値が使用されてもよい。ＳＮＲ閾値以上のＳＮＲに関連付けられるビームおよび／またはビームのペアが、最良のビームおよび／またはビームのペアとして特徴付けられてもよい。ＳＮＲ閾値未満のＳＮＲに関連付けられるビームおよび／またはビームのペアが、最悪のビームおよび／またはビームのペアとして特徴付けられてもよい。本明細書で説明されるように、ＴｘおよびＲｘ仮想アンテナのペアが１つまたは複数のビームおよび／またはビームのペアを含んでもよい。
【００６３】
ビームフォーミー（beamformee）（例えば、ステーション）が、（例えば、それぞれの）ＴｘおよびＲｘ仮想アンテナのペアについての最良のいくつかのビームおよび／またはビームのペアを含み、または示す情報をフィードバックしてもよい。ビームフォーミー（例えば、ステーション）が、（例えば、それぞれの）ＴｘおよびＲｘ仮想アンテナのペアについての最悪のいくつかのビームを含み、または示す情報をフィードバックしてもよい。例えば、ステーションは、インジケーションを介してＡＰ／ＰＣＰに最良および／または最悪のいくつかのビームをフィードバックしてもよい。インジケーションはフレームを含んでもよく、またはフレームを介して送信されてもよい。ビームフォーミー（例えば、ステーション）が、（例えば、それぞれの）３つの組＜ビームＩＤ、ＴｘアンテナＩＤ、ＲｘアンテナＩＤ＞に関連付けられるＳＮＲ、および／または３つの組＜ビームＩＤ、ＴｘアンテナＩＤ、ＲｘアンテナＩＤ＞に関連付けられるＣＳＩなどのチャネル測定値を含み、または示す情報をフィードバックしてもよい。ＴｘアンテナＩＤおよびＲｘアンテナＩＤのペア（例えば、固定のペアまたは選択されたペア）について、最良および／または最悪のビームに関連付けられる１つまたは複数のビームＩＤが選択および／またはレポートされてもよい。１つまたは複数のビームＩＤは、１つまたは複数の最良および／または最悪のビーム／ビームのペアに関連付けられてもよい。
【００６４】
ＡＰ／ＰＣＰはインジケーションを受信し、かつ／またはインジケーションを使用して、ユーザおよび／またはステーションをグルーピングおよび／または分離してもよい。本明細書で説明される実装は１つまたは複数のステーションに適用可能であってもよい。例えば、ＡＰ／ＰＣＰは、あるステーションから、ステーションについてのＡＰ／ＰＣＰの最良のビームのインジケーションを受信してもよい。ステーションについてのＡＰ／ＰＣＰの最良のビームは、ＴｘおよびＲｘ仮想アンテナのペアについての複数のビーム／ビームのペアから識別／選択されてもよい。ＡＰ／ＰＣＰは、別のステーションから、別のＴｘおよびＲｘ仮想アンテナのペアについてのその別のステーションについてのＡＰの最悪のビームのインジケーションを受信してもよい。ＡＰ／ＰＣＰは、複数のステーションについてのインジケーションの１つまたは複数に基づいて、あるステーションについての最良のビームが別のステーションについての最悪のビームの中のものであってもよいと決定してもよい。ＡＰ／ＰＣＰは、複数のステーションについてのインジケーションの１つまたは複数に基づいて、ＡＰ／ＰＣＰの仮想アンテナがあるステーションについての最良のビームを含んでもよいこと、およびＡＰ／ＰＣＰの別の仮想アンテナが別のステーションについての最良のビームを含んでもよいことを決定してもよい。ＡＰ／ＰＣＰは、伝送（例えば、ＤＬ  ＭＵ−ＭＩＭＯ伝送）のために２つのステーションをグルーピングすることを決定してもよい。ＡＰ／ＰＣＰは、グルーピングについて両方のステーションに示してもよい。
【００６５】
この例では、ＡＰ／ＰＣＰは、それぞれのステーションへのそれぞれのビーム／ＲＦチェーン／仮想アンテナ割り当てについてステーションに示してもよい。ＡＰ／ＰＣＰは、ＤＬ  ＭＵ−ＭＩＭＯ伝送のためにステーションへの割り当てを実施してもよい。例えば、割り当ては、ユーザに対する空間ストリームの割り当てが明示的であってもよい場合、３つの組＜ビームＩＤ、ＴｘアンテナＩＤ、ＲｘアンテナＩＤ＞のうちの１つまたは複数と、（例えば、それに加えて）例えばユーザＩＤおよび／または空間ストリームＩＤを使用して実施されてもよい。例えば、ＡＰ／ＰＣＰは、４つのビーム／ＲＦチェーン／仮想アンテナ（例えば、仮想アンテナ１〜４）を有してもよい。ＡＰ／ＰＣＰは、ＤＬ  ＭＵ−ＭＩＭＯを通じてユーザ１（例えば、ユーザ１に関連付けられるステーション１）およびユーザ２（例えば、ユーザ２に関連付けられるステーション２）に送信してもよい。一例として、ＡＰ／ＰＣＰは、１つまたは複数のインジケーションに基づいてユーザ１にビーム／ＲＦチェーン／仮想アンテナ１および２を割り振ってもよい。ＡＰ／ＰＣＰは、１つまたは複数のインジケーションに基づいてユーザ２にビーム／ＲＦチェーン／仮想アンテナ３および４を割り振ってもよい。
【００６６】
ステーション（例えば、ユーザに関連付けられるステーション）がアナログ／デジタルビームフォーミングによって分離されてもよい。アナログ／デジタルビームフォーミング技法では、ステーション（例えば、ユーザに関連付けられるステーション）がアナログビームによって完全に分離されないことがある。一例として、ＡＰ／ＰＣＰはユーザ間干渉フィードバックを必要としないことがある。ＡＰ／ＰＣＰは、ステーション（例えば、ユーザに関連付けられるステーション）をグルーピングし、かつ／またはベースバンド／デジタルドメイン内でユーザ間干渉キャンセレーションを実施してもよい。例えば、ＭＵ−ＭＩＭＯ伝送障害が観測されてもよいとき、ＡＰ／ＰＣＰはＭＵ−ＭＩＭＯを停止してもよい。ＡＰ／ＰＣＰは部分ユーザ間干渉フィードバックを使用してもよい（例えば、必要としてもよい）。ＡＰ／ＰＣＰは、部分ユーザ間干渉フィードバックに基づいてステーション（例えば、ユーザに関連付けられるステーション）をグルーピングし、かつ／またはベースバンド／デジタルドメイン内でユーザ間干渉キャンセレーションを実施してもよい。
【００６７】
それぞれのステーションへのそれぞれのビーム／ＲＦチェーン／仮想アンテナの割り当ては、例えばＡＰによってセットアップされ、かつ／またはＭＩＭＯセットアップフレームおよび／または他のフレーム内でシグナリングされてもよい（例えば、ステーションがアナログビームフォーミングまたはアナログ／デジタルビームフォーミングによって分離される場合）。例えば、それぞれのステーションへのそれぞれのビーム／ＲＦチェーン／仮想アンテナの割り当ては、ＴＸ側およびＲＸ側でビーム／ＲＦチェーン／仮想アンテナを位置合せするようにＭＩＭＯセットアップフレームビーム内でシグナリングされてもよい。
【００６８】
詳細なＭＵ−ＭＩＭＯユーザグルーピングおよび／またはビーム／アンテナ割り当てが本明細書で説明されてもよい。図９は、特定のビーム、仮想アンテナ、およびステーションを参照してもよいが、特定のビーム、仮想アンテナ、およびステーションは例示のためのものである。ビーム、仮想アンテナ、およびステーションは、（例えば、実装に応じて）様々な方式でペアリングされてもよい。任意のネットワークエンティティ、ステーション、アンテナ、仮想アンテナは、本明細書の（例えば、最良のビームまたは最悪のビームを決定する）実装または特徴を実施してもよい。
【００６９】
図９は、アナログビームトレーニング、追跡、ダウン選択、および／または改善を使用する、ＭＵ−ＭＩＭＯユーザ選択および／またはビーム／アンテナ割り当ての一例を示す。図９に示される技法は、セクタレベルスウィープおよび／またはビーム改善プロトコルおよび／またはＳＬＳおよびＢＰＲプロトコルの拡張バージョンを使用して実装されてもよい。図９の例では、ＡＰ／ＰＣＰ９０２は、４つの仮想アンテナ９０６〜９１２（例えば、ＰＡＡおよび／または複数の偏波を伴うＰＡＡ）を含んでもよい。仮想アンテナ９０６〜９１２はそれぞれ、８つのアナログビームを形成してもよい。ＳＴＡ９０４およびＳＴＡ９６２は潜在的ビームフォーミーであってもよい。ＳＴＡ９０４は２つの仮想アンテナ９１４および９１６を有してもよい。ＳＴＡ９６２は２つの仮想アンテナ９１８および９２０を有してもよい。仮想アンテナ９１４および９１６はそれぞれ、８つのアナログビームを形成してもよい。仮想アンテナ９１８および９２０はそれぞれ、８つのアナログビームを形成してもよい。本明細書で説明される実装および／または構造は、本明細書の１つまたは複数の例で使用されてもよい。本明細書の実装および／または構造は、任意の数の仮想アンテナおよび／またはステーション（例えば、ユーザに関連付けられるステーション）に拡張されてもよい。
【００７０】
ＡＰ／ＰＣＰ９０２は、１つまたは複数のＳＴＡと共に（例えば、ＡＰ／ＰＣＰの送信アナログビームをスウィープすることによって）アナログビームトレーニング、追跡、ダウン選択、および／または改善を実施してもよい。ＡＰ／ＰＣＰ９０２は、ランダムな順序または事前選択された順序で一度に（例えば、１つの）仮想アンテナでビームをスウィープしてもよい。例えば、ＡＰ／ＰＣＰ９０２が仮想アンテナ９０６でビームをスウィープすることを完了した後、ＡＰ／ＰＣＰ９０２は、仮想アンテナ９０６およびスウィープ仮想アンテナ９０８でビームをスウィープしてもよい。ＡＰ／ＰＣＰ９０２は、仮想アンテナ９１０および／または仮想アンテナ９１２で（例えば、類似の方式、または異なる方式で）ビームをスウィープしてもよい。ＡＰ／ＰＣＰ９０２が仮想アンテナ（例えば、仮想アンテナ９０６〜９１２）を通じて動作する順序は変動してもよい。例えば、ＡＰ／ＰＣＰ９０２は、ビーム９２２〜９２８を含む８つのビームをスウィープしてもよい。ＡＰ／ＰＣＰ９０２は、仮想アンテナ９０６に関連付けられる８つのビームを介して複数のアナログ伝送を送信してもよい。ＡＰ／ＰＣＰ９０２は、ビームごとにアナログ伝送を送信してもよい。例えば、ＡＰ／ＰＣＰ９０２は、ビーム９２２を介してアナログ伝送を送信してもよい。アナログ伝送は、サウンディング信号またはサウンディングフレームを含んでもよい。ＳＴＡ９０４は、ＳＴＡ９０４の仮想アンテナ９１４および／または仮想アンテナ９１６で、ビーム９２２からの伝送を受信してもよい。例えば、仮想アンテナ９１４は、ビーム９３８〜９４２を含む８つのビームを含んでもよい。ＳＴＡ９０４は、仮想アンテナ９１４のうちの１つ、いくつか、またはすべての８つのビームで、ビーム９２２からのアナログ伝送を受信してもよい。ＳＴＡ９０４は、ＴＸおよびＲＸビームのペアについてのアナログ伝送のユーザ間干渉情報を測定してもよい。
【００７１】
ＳＴＡ９０４は、ＴＸおよびＲＸビームのペアを介してＳＴＡ９０４が受信するアナログ伝送上で測定されたユーザ間干渉情報に基づいて、ＴＸおよびＲＸビームのペアを特徴付けてもよい。ＳＴＡ９０４は、測定されたユーザ間干渉情報に基づいてアナログ伝送を特徴付けてもよく、かつ／またはアナログ伝送の特徴付けに基づいてＴＸおよびＲＸビームのペアを特徴付けてもよい。例えば、ユーザ間干渉情報はＳＮＲおよび／またはＳＩＮＲを含んでもよい。図９に示される例では、ＳＴＡ９０４は、ＴＸビーム９２２およびＲＸビーム９３８のペアを介してＳＴＡ９０４が受信した伝送のＳＮＲを測定してもよい。ＳＴＡ９０４は、ＴＸビーム９２２およびＲＸビーム９３８のペアを介してＳＴＡ９０４が受信した伝送を特徴付けてもよい。ＳＴＡ９０４は、他のＴＸビームおよびＲＸビームのペアを介してＳＴＡ９０４が受信した伝送の中で、ＴＸビーム９２２およびＲＸビーム９３８のペアを介してＳＴＡ９０４が受信した伝送をランク付けしてもよい。ＳＴＡ９０４は、仮想アンテナ９１４でＴＸビーム９２２および他のＲＸビームのビームのペア（例えば、ＴＸ９２２およびＲＸ９４２ビームのペア）を介してＳＴＡ９０４が受信した伝送の中で、ＴＸビーム９２２およびＲＸビーム９３８のペアを介してＳＴＡ９０４が受信した伝送をランク付けしてもよい。ＳＴＡ９０４は、ビーム９２２〜９２８を含む仮想アンテナ９０６の他のビーム（例えば、ＴＸ９２８およびＲＸ９３８ビームのペア）からＳＴＡ９０４が受信したアナログ伝送の中で、ＴＸビーム９２２およびＲＸビーム９３８のペアを介してＳＴＡ９０４が受信したアナログ伝送をランク付けしてもよい。ＳＴＡ９０４は、比較的低いＳＮＲまたはＳＩＮＲに関連付けられる他のアナログ伝送よりも高い、比較的高いＳＮＲまたはＳＩＮＲに関連付けられるアナログ伝送をランク付けしてもよい。
【００７２】
ＳＴＡは、ユーザ間干渉情報の１つまたは複数の閾値に基づいて、かつ／または（例えば、ビームまたはビームのペアの間の）ユーザ間干渉情報の比較に基づいて、ＴＸおよびＲＸビームのペアを介してＳＴＡが受信する伝送（例えば、アナログ伝送）を、例えば最良のアナログ伝送または最悪のアナログ伝送として特徴付けてもよい。ＳＴＡ９０４は、１つまたは複数のＳＮＲ閾値を受信し、または使用するための１つまたは複数の予め構成されたＳＮＲ閾値を決定してもよい。図９に示される例では、ＳＴＡ９０４は、ＴＸビーム９２２およびＲＸビーム９３８のペアを介してＳＴＡ９０４が受信したアナログ伝送のＳＮＲを測定してもよい。ＳＴＡ９０４は、測定されたアナログ伝送を、ＳＴＡ９０４が受信した比較的高いＳＮＲ閾値と比較してもよい。測定されたアナログ伝送が比較的高いＳＮＲ閾値よりも高い場合、ＳＴＡ９０４は、測定されたアナログ伝送が最良のアナログ伝送であると決定してもよい。ＳＴＡ９０４は、比較的低いＳＮＲ閾値を受信してもよい。ＳＴＡ９０４は、測定されたアナログ伝送を比較的低いＳＮＲ閾値と比較してもよい。測定されたアナログ伝送が比較的低いＳＮＲ閾値未満である場合、ＳＴＡ９０４は、測定されたアナログ伝送が最悪のアナログ伝送であると決定してもよい。
【００７３】
ＳＴＡは、ＴＸビーム、ＲＸビーム、またはＴＸおよびＲＸビームのペアを介してＳＴＡが受信したアナログ伝送の特徴付けに基づいて、ＴＸビーム、ＲＸビーム、またはＴＸおよびＲＸビームのペアを最良のビーム／ビームのペアまたは最悪のビーム／ビームのペアとして特徴付けてもよい。図９に示される例では、ＳＴＡ９０４は、ビーム９２２から仮想アンテナ９１４でのビームへのアナログ伝送を受信してもよい。ＳＴＡ９０４は、ビーム９３８〜９４２を含む、１つ、いくつか、またはすべての８つのビームで、アナログ伝送のＳＮＲを測定してもよい。例えば、ＳＴＡ９０４は、ＴＸ９２２およびＲＸ９３８ビームのペアの間のアナログ伝送（９２２／９３８アナログ伝送）のＳＮＲを測定し、かつ／または測定されたＳＮＲを比較的低いＳＮＲ閾値と比較してもよい。ＳＴＡ９０４は、測定されたＳＮＲが比較的低いＳＮＲ閾値未満であると決定し、かつ／または９２２／９３８アナログ伝送が最悪のアナログ伝送であると決定してもよい。ＳＴＡ９０４は、ＴＸ９２４およびＲＸ９４２ビームのペアの間のアナログ伝送（９２４／９４２アナログ伝送）のＳＮＲを測定し、かつ／または測定されたＳＮＲを比較的高いＳＮＲ閾値と比較してもよい。ＳＴＡ９０４は、測定されたＳＮＲが比較的高いＳＮＲ閾値よりも高いと決定し、かつ／または９２４／９４２アナログ伝送が最良のアナログ伝送であると決定してもよい。ＳＴＡ９０４は、９２４／９４２アナログ伝送が最良のアナログ伝送であるという決定に基づいて、ＴＸ９２４およびＲＸ９４２ビームのペアが最良のビームのペアであると決定してもよい。ＳＴＡ９０４は、９２４／９４２アナログ伝送が最良のアナログ伝送であるという決定に基づいて、ＴＸ９２４ビームおよび／またはＲＸ９４２ビームが最良のビームであると決定してもよい。ＳＴＡ９０４は、９２２／９３８アナログ伝送が最悪のアナログ伝送であるという決定に基づいて、９２２／９３８アナログ伝送が最悪のビームのペアであると決定してもよい。ＳＴＡ９０４は、９２２／９３８アナログ伝送が最悪のアナログ伝送であるという決定に基づいて、ＴＸ９２２ビームおよび／またはＲＸ９３８ビームが最悪のビームであると決定してもよい。
【００７４】
ＳＴＡは、最良のビーム／ビームのペアおよび／または最悪のビーム／ビームのペアの決定を仮想アンテナのペアと関連付けてもよい。図９に示される例では、Ｔｘビーム９２４は仮想Ｔｘアンテナ９０６からのものであり、Ｒｘビーム９４２は仮想Ｒｘアンテナ９１４からのものである。ＳＴＡ９０４は、本明細書で論じられるような最良のビームのペアの決定に基づいて、仮想アンテナのペア９０６および９１４について、最良のビームのペアがＴＸ９２４およびＲＸ９４２ビームのペアであると決定してもよい。類似の方式、または同じ方式で、ＳＴＡ９０４は、仮想アンテナのペア９０８および９１６について、最良のビームのペアがＴＸ９３２およびＲＸ９４０ビームのペアであると決定してもよい。
【００７５】
ＳＴＡ９０４は、最良および／または最悪のビーム／ビームのペアについて、最良および／または最悪のビーム／ビームのペアにそれぞれ関連付けられる、ＡＰ／ＰＣＰ、ＡＰ／ＰＣＰの仮想アンテナ、ＡＰ／ＰＣＰの仮想アンテナのビーム、ステーション、ステーションの仮想アンテナ、ステーションの仮想アンテナのビームを認識し、または識別することができる。ＡＰ／ＰＣＰ、ＡＰ／ＰＣＰの仮想アンテナ、ＡＰ／ＰＣＰの仮想アンテナのビーム、ステーション、ステーションの仮想アンテナ、および／またはステーションの仮想アンテナのビームが、索引および／または識別に関連付けられてもよい。索引および／または識別が、ＡＰ／ＰＣＰとステーションとの間で、例えばフレームを介して通信されてもよい。例えば、ＡＰ／ＰＣＰ９０２は、仮想アンテナ９０６のビーム９２４からサウンディングフレームを送信してもよい。サウンディングフレームは、ビーム９２４の識別（例えば、ビームＩＤ）および／または仮想アンテナ９０６の識別（例えば、仮想アンテナＩＤ）を含んでもよい。フレームは、ＡＰ／ＰＣＰがそれによってＡＰ／ＰＣＰのＴＸ仮想アンテナＩＤおよびＴＸビームＩＤに関連付けることができる識別を含んでもよい。ＡＰ／ＰＣＰがそれによってＡＰ／ＰＣＰのＴＸ仮想アンテナＩＤおよびＴＸビームＩＤに関連付けることができる識別は、固有のものであってもよい。ステーション９０４は、仮想アンテナ９１４で、ビーム９４２を介してフレーム（例えば、サウンディングフレーム）を受信してもよい。ステーション９０４は、最良のアナログ伝送がＴＸ９２４およびＲＸ９４２ビームのペアに関連付けられると決定してもよい。ステーション９０４は、最良のアナログ伝送がＴＸ９０６およびＲＸ９１４アンテナのペアに関連付けられると決定してもよい。ステーション９０４は、ＡＰ／ＰＣＰ９０２に決定をフィードバックしてもよい。フィードバック情報は、（例えば、それぞれの）組合せおよび／またはセット＜ＴｘアンテナＩＤ、ＲｘアンテナＩＤ、ＲｘビームＩＤ、ＲｘビームＩＤ＞についてのＳＮＲ測定値やＣＳＩなどのチャネル測定値を含み、または示してもよい。ＲｘアンテナＩＤおよび／またはＲｘビームＩＤは明示的ではないことがある。受信機（例えば、ステーション９０４）は、ＲｘアンテナＩＤおよび／またはＲｘビームＩＤを決定し、対応するＴｘアンテナＩＤおよび／またはＴｘビームＩＤに関連付けてもよい。
【００７６】
ステーション（例えば、ＳＴＡ９０４）は、本明細書で説明される実装を使用して、他の仮想アンテナのペアについての最良および／または最悪のビーム／ビームのペアを決定してもよい。図９に示される例では、ＳＴＡ９０４は、ＴＸ９０８およびＲＸ９１４アンテナのペアについての最良のＴＸビームがビーム９３０であり、ＴＸ９０８およびＲＸ９１４アンテナのペアについての最悪のＴＸビームがビーム９３６であると決定してもよい。ＳＴＡ９０４は、ＴＸ９１０およびＲＸ９１４アンテナのペアについての最良のＴＸビームがビーム９４８であり、ＴＸ９１０およびＲＸ９１４アンテナのペアについての最悪のＴＸビームがビーム９４４であると決定してもよい。ＳＴＡ９０４は、ＴＸ９１２およびＲＸ９１４アンテナのペアについての最良のＴＸビームがビーム９５４であり、ＴＸ９１２およびＲＸ９１４アンテナのペアについての最悪のＴＸビームがビーム９５８であると決定してもよい。ＳＴＡ９０４は、ＴＸ９０６およびＲＸ９１６アンテナのペアについての最良のＴＸビームがビーム９２６であり、ＴＸ９０６およびＲＸ９１６アンテナのペアについての最悪のＴＸビームがビーム９２８であると決定してもよい。ＳＴＡ９０４は、ＴＸ９０８およびＲＸ９１６アンテナのペアについての最良のＴＸビームがビーム９３２であり、ＴＸ９０８およびＲＸ９１６アンテナのペアについての最悪のＴＸビームがビーム９３４であると決定してもよい。ＳＴＡ９０４は、ＴＸ９１０およびＲＸ９１６アンテナのペアについての最良のＴＸビームがビーム９５０であり、ＴＸ９１０およびＲＸ９１６アンテナのペアについての最悪のＴＸビームがビーム９４４であると決定してもよい。ＳＴＡ９０４は、ＴＸ９１２およびＲＸ９１６アンテナのペアについての最良のＴＸビームがビーム９６０であり、ＴＸ９１２およびＲＸ９１６アンテナのペアについての最悪のＴＸビームがビーム９５８であると決定してもよい。ＳＴＡ９０４は、決定のうちの１つまたは複数を（例えば、揮発性または不揮発性メモリ内に）記録および／または記憶してもよい。
【００７７】
１つまたは複数のステーションは、本明細書で説明される実装を使用して、仮想アンテナについての最良および／または最悪のビーム／ビームのペアを決定してもよい。図９に示される例では、ＳＴＡ９６２は、ビーム９２４およびビーム９３２が仮想アンテナ９１８または仮想アンテナ９２０についての最良のＴＸビームではない（例えば、最悪のビームの中のものである）と決定してもよい。ＳＴＡ９６２は、ビーム９４４およびビーム９５８がＳＴＡ９６２についての最良のビームの中のものである（例えば、最良のＴＸビームである）と決定してもよい。例えば、ＳＴＡ９６２は、ビーム９４４がＲＸビーム９６４に対応する仮想アンテナ９１８についての最良のＴＸビームであり、ビーム９５８がＲＸビーム９６６に対応する仮想アンテナ９２０についての最良のＴＸビームであると決定してもよい。
【００７８】
１つまたは複数の例では、ＡＰ／ＰＣＰは、ＡＰ／ＰＣＰが１つまたは複数のステーションから受信するユーザ間干渉情報に基づいて、仮想アンテナについての最良および／または最悪のビーム／ビームのペアを決定してもよい。例えば、図９では、ＡＰ／ＰＣＰ９０２は、仮想アンテナのペア９０６および９１４についての１つまたは複数のビーム／ビームのペアについてのユーザ間干渉情報を受信してもよい。ＡＰ／ＰＣＰ９０２は、フレームを介してユーザ間干渉情報を受信してもよい。ＡＰ／ＰＣＰ９０２は、ユーザ間干渉情報の１つまたは複数の閾値を受信してもよい。ＡＰ／ＰＣＰ９０２は、予め構成された指定またはインジケーションに基づいて、ユーザ間干渉情報の１つまたは複数の閾値を決定してもよい。ＡＰ／ＰＣＰ９０２は、受信されたユーザ間干渉情報を閾値と比較し、かつ／または最良および／または最悪のビーム／ビームのペアを決定してもよい。ＡＰ／ＰＣＰ９０２は、受信されたユーザ間干渉情報を互いに比較し、かつ／または最良および／または最悪のビーム／ビームのペアを決定してもよい。
【００７９】
ＡＰ／ＰＣＰは、例えば複数の仮想アンテナを同時に使用することによって、同時に複数のビームをトレーニングしてもよい。ＡＰ／ＰＣＰは、すべての可能なアナログビームをスウィープしないことがあり、例えば、可能なアナログビーム（例えば、決定されたアナログビーム）のサブセットをスウィープしてもよい。
【００８０】
ＳＴＡ９０４は、ＳＴＡ１でのＶＡ２では、ＡＰ  ＶＡ１からの最良のビームがビームｘであること、ＡＰ  ＶＡ２からの最良のビームがビーム３であること、ＡＰ  ＶＡ３からの最良のビームがビームｘであること、ＡＰ  ＶＡ４からの最良のビームがビームｘであること、および対応するＳＮＲ／ＳＩＮＲをフィードバックしてもよい。情報は、ＳＴＡ１でのＶＡ２では、ＡＰ  ＶＡ１からの最悪のビームがビームｘであること、ＡＰ  ＶＡ２からの最悪のビームがビームｘであること、ＡＰ  ＶＡ３からの最悪のビームがビーム６であること、ＡＰ  ＶＡ４からの最悪のビームがビーム７であること、および対応するＳＮＲ／ＳＩＮＲを含んでもよい。最悪のビームについて、測定値（ＳＮＲ／ＳＩＮＲ）がノイズおよび／または干渉によって支配されてもよい。測定値は信頼でき、または信頼できないことがある。そのケースでは、一定の閾値未満に測定されたＳＮＲまたはＳＩＮＲを有してもよいビームインデックスのセットがフィードバックされてもよい。最良のビームおよび／または最悪のビームが、本明細書での１つまたは複数の例で利用されてもよい。
【００８１】
ＳＴＡ９０４（ＳＴＡ１）は、ビーム／ビームのペアの特徴付けを示す１つまたは複数のインジケーションを（例えば、フレームを介して）ＡＰ／ＰＣＰ９０２にフィードバックしてもよい。例えば、ＳＴＡ９０４は、仮想アンテナのペアについての最良のビーム／ビームのペアを示すインジケーションをＡＰ／ＰＣＰ  ９０２にフィードバックしてもよい。ＳＴＡ９０４は、例えばアナログビームトレーニングフレームの受信に関する以下の情報を含むインジケーションをフィードバックしてもよい。情報は、ＳＴＡ１での仮想アンテナ９１４（ＶＡ１）について、仮想アンテナ９０６（ＡＰ  ＶＡ１）からの最良のビームがＴＸビーム９２４（ビーム４）であることを含んでもよい。情報は、ＳＴＡ１での仮想アンテナ９１４（ＶＡ１）について、仮想アンテナ９０８（ＡＰ  ＶＡ２）からの最良のビームがＴＸビーム９３０であることを含んでもよい。情報は、ＳＴＡ１での仮想アンテナ９１４（ＶＡ１）について、仮想アンテナ９１０（ＡＰ  ＶＡ３）からの最良のビームがＴＸビーム９４８であることを含んでもよい。情報は、ＳＴＡ１での仮想アンテナ９１４（ＶＡ１）について、仮想アンテナ９１２（ＡＰ  ＶＡ４）からの最良のビームがＴＸビーム９５４であることを含んでもよい。
【００８２】
ＳＴＡ９０４は、仮想アンテナのペアについての最悪のビーム／ビームのペアを示すインジケーションをＡＰ／ＰＣＰ９０２にフィードバックしてもよい。情報は、ＳＴＡ１での仮想アンテナ９１４（ＶＡ１）について、仮想アンテナ９０６（ＡＰ  ＶＡ１）からの最悪のビームがＴＸビーム９２２であることを含んでもよい。情報は、ＳＴＡ１での仮想アンテナ９１４（ＶＡ１）について、仮想アンテナ９０８（ＡＰ  ＶＡ２）からの最悪のビームがＴＸビーム９３６であることを含んでもよい。情報は、ＳＴＡ１での仮想アンテナ９１４（ＶＡ１）について、仮想アンテナ９１０（ＡＰ  ＶＡ３）からの最悪のビームがＴＸビーム９４４（ビーム６）であることを含んでもよい。情報は、ＳＴＡ１での仮想アンテナ９１４（ＶＡ１）について、仮想アンテナ９１２（ＡＰ  ＶＡ４）からの最悪のビームがＴＸビーム９５８（ビーム７）であることを含んでもよい。
【００８３】
情報は、仮想アンテナのペアについての最良および／または最悪のビーム／ビームのペアについての対応するＳＮＲ／ＳＩＮＲを含んでもよい。情報は、ビームインデックスおよび／または対応する測定されたＳＮＲもしくはＳＩＮＲのセットを含んでもよい。例えば、ビームインデックスのセットは、３つの組＜ＴｘアンテナＩＤ、ＲｘアンテナＩＤ、（Ｔｘ）ビームＩＤ＞および／または３つの組にリンクすることができる（例えば、一意にリンクすることができる）識別を含んでもよい）。ユーザ間干渉情報の測定値は、ノイズおよび／または干渉によって影響を受けることがある。例えば、最悪のビームについて、測定値（例えば、ＳＮＲ／ＳＩＮＲ）はノイズおよび／または干渉によって支配されてもよい。そのようなケースでは、測定値は信頼できないことがある。情報は、（例えば、そのようなケースでは）ビームのセットおよび／またはビームのペアを識別するビームインデックスのセットを含んでもよい。例えば、ビームインデックスのセットは、３つの組＜ＴｘアンテナＩＤ、ＲｘアンテナＩＤ、およびＴｘビームＩＤ＞を含んでもよい。ビームインデックスのセットは、３つの組にリンクすることができる（例えば、一意にリンクすることができる）識別を含んでもよい。例えば、ビームインデックスのセットは、ＴｘアンテナＩＤ、ＲｘアンテナＩＤ、およびＴｘビームＩＤ、または一定の閾値（例えば、比較的低い閾値）未満に測定されるＳＮＲまたはＳＩＮＲを有する３つの組に一意にリンクすることができる識別を含んでもよい。
【００８４】
ＳＴＡ９０４（ＳＴＡ１）は、追加の仮想アンテナ／アンテナのペアについてのビーム／ビームのペアの特徴付けのインジケーションのうちの１つまたは複数と共に、ＡＰ／ＰＣＰ９０２に（例えば、フレームを介して）インジケーションをフィードバックしてもよい。例えば、ＳＴＡ９０４は、例えばアナログビームトレーニングフレームの受信に関する以下の情報を示してもよい。情報は、ＳＴＡ１での仮想アンテナ９１６（ＶＡ２）について、仮想アンテナ９０６（ＡＰ  ＶＡ１）からの最良のビームがＴＸビーム９２６であることを含んでもよい。情報は、ＳＴＡ１での仮想アンテナ９１６（ＶＡ２）について、仮想アンテナ９０８（ＡＰ  ＶＡ２）からの最良のビームがＴＸビーム９３２であることを含んでもよい。情報は、ＳＴＡ１での仮想アンテナ９１６（ＶＡ２）について、仮想アンテナ９１０（ＡＰ  ＶＡ３）からの最良のビームがＴＸビーム９５０であることを含んでもよい。情報は、ＳＴＡ１での仮想アンテナ９１６（ＶＡ２）について、仮想アンテナ９１２（ＡＰ  ＶＡ４）からの最良のビームがＴＸビーム９６０であることを含んでもよい。
【００８５】
ＳＴＡ９０４は、追加の仮想アンテナ／アンテナのペアについての最悪のビーム／ビームのペアを示すインジケーションをＡＰ／ＰＣＰ９０２にフィードバックしてもよい。情報は、ＳＴＡ１での仮想アンテナ９１６（ＶＡ２）について、仮想アンテナ９０６（ＡＰ  ＶＡ１）からの最悪のビームがＴＸビーム９２８であることを含んでもよい。情報は、ＳＴＡ１での仮想アンテナ９１６（ＶＡ２）について、仮想アンテナ９０８（ＡＰ  ＶＡ２）からの最悪のビームがＴＸビーム９３４であることを含んでもよい。情報は、ＳＴＡ１での仮想アンテナ９１６（ＶＡ２）について、仮想アンテナ９１０（ＡＰ  ＶＡ３）からの最悪のビームがＴＸビーム９４４（ビーム６）であることを含んでもよい。情報は、ＳＴＡ１での仮想アンテナ９１６（ＶＡ２）について、仮想アンテナ９１２（ＡＰ  ＶＡ４）からの最悪のビームがＴＸビーム９５８（ビーム７）であることを含んでもよい。
【００８６】
ＳＴＡ９０４は、複数の最良のビーム／ビームのペアおよび／または複数の最悪のビーム／ビームのペアについての情報をＡＰ／ＰＣＰにフィードバックしてもよい。情報は、最良のビーム数（例えば、Ｋ）および／または最悪のビーム数（例えば、Ｎ）を示してもよい。Ｋおよび／またはＮは、トレーニングフレーム、トレーニングセットアップフレーム、ビーコンフレーム、またはＡＰ／ＰＣＰによって送信される他の種類の制御／管理フレーム内にＡＰ／ＰＣＰによって設定されてもよい。トレーニングフレーム、トレーニングセットアップフレーム、ビーコンフレーム、またはＡＰ／ＰＣＰによって送信される他の種類の制御／管理フレームのうちの１つまたは複数は、１つまたは複数のＳＮＲ閾値を含んでもよい。１つまたは複数のＳＮＲ閾値は予め構成されてもよい。ＫとＮは同一であり、または互いに異なってもよい。Ｋおよび／またはＮは、標準内で明示的または暗黙的に指定されてもよい。
【００８７】
本明細書の実装は例示のためのものであってもよい。任意のＳＴＡが本明細書の特徴を実施してもよく、かつ／または送受信機および／または受信機で最良のビーム／ビームのペアおよび／または最悪のビーム／ビームのペアを決定してもよい。ＳＴＡは、仮想アンテナのペアについての１つまたは複数のビーム／ビームのペアが最良のビーム／ビームのペアであり、またはビーム／ビームのペアのいずれも最良のビーム／ビームのペアではないと決定してもよい。ＳＴＡは、仮想アンテナのペアについてのいくつかの、またはすべてのビーム／ビームのペアが最悪のビーム／ビームのペアであり、またはビーム／ビームのペアのいずれも最悪のビーム／ビームのペアではないと決定してもよい。
【００８８】
１つまたは複数のステーションが、本明細書で説明されるように１つまたは複数のＡＰ／ＰＣＰにインジケーションをフィードバックしてもよい。図９に示される例では、ＳＴＡ９６２（ＳＴＡ２）は、仮想アンテナのペアについてのビーム／ビームのペアの特徴付けのインジケーションのうちの１つまたは複数と共に、（例えば、フレームを介して）ＡＰ／ＰＣＰ９０２にインジケーションをフィードバックしてもよい。ＳＴＡ９６２は、例えばアナログビームトレーニングフレームの受信時に、以下の情報を含むインジケーションをフィードバックしてもよい。ＳＴＡ２によってフィードバックされるインジケーションは、ＳＴＡ２によってフィードバックされるインジケーションと（例えば、フォーマットにおいて）同一または同様であってもよい。ＳＴＡ２によってフィードバックされるインジケーションは、ＳＴＡ２の測定値に基づいてもよい。例えば、インジケーションは、ＡＰ  ＶＡ１からのビーム４および／またはＡＰ  ＶＡ１からのビーム３がＳＴＡ２についての最良のビームではない（例えば、最悪のビームの中のものである）ことを示してもよい。フレームは、ＡＰ  ＶＡ３からのビーム７および／またはＡＰ  ＶＡ４からのビーム７がＳＴＡ２についての最良のビームの中のものである（例えば、最良のビームである）ことを示してもよい。
【００８９】
本明細書の構成および／または実装は例示のためのものに過ぎない。例えば、ステーション９０４についての最良のＴＸビームとステーション９６２についての最悪のＴＸビームは重複し、または重複しないことがある。ステーション９０４についての最良のＴＸビームとステーション９６２についての最悪のＴＸビームが重複しない場合、ＡＰは、ステーション９０４および／またはステーション９６２をステーション９０４またはステーション９６２のどちらかとは異なるステーションとグルーピングし、またはグルーピングすることを試みてもよい。
【００９０】
ＡＰ／ＰＣＰ９０２は、ＳＴＡ１および／またはＳＴＡ２から本明細書のインジケーションのうちの１つまたは複数を受信してもよい。ＡＰ／ＰＣＰ９０２は、インジケーションのうちの１つまたは複数に基づいてユーザグルーピングまたは分離を実施してもよい。ＡＰ／ＰＣＰ９０２は、一定のルールおよび／またはプロセス使用して、ステーション（例えば、ユーザに関連付けられるステーション）をグルーピングまたは分離してもよい。使用されるルールおよび／またはプロセスは、実装に依存してもよい。例えば、ＡＰ／ＰＣＰ９０２は、ユーザ間干渉を最小限に抑えるようにステーション（例えば、ユーザに関連付けられるステーション）をグルーピングしてもよい。ＡＰ／ＰＣＰは、ＭＵ−ＭＩＭＯ伝送についてＳＴＡをペアリングまたはグルーピングしてもよい。例えば、ＡＰ／ＰＣＰ９０２は、最良のビームおよび／またはビームのペアを有するステーションをグルーピングしてもよい。ＡＰ／ＰＣＰ９０２は、最悪のビームおよび／またはビームのペアを有するステーションをグルーピングしてもよい。ＡＰ／ＰＣＰ９０２は、最良のビームおよび／またはビームのペアを有するステーションと、最悪のビームおよび／またはビームのペアを有するステーションとをグルーピングしてもよい。
【００９１】
ＡＰ／ＰＣＰ９０２は、１つまたは複数のステーション（例えば、グルーピングに関係するステーション）のグルーピングのインジケーションを送信してもよい。グルーピングのインジケーションは、ステーションについての識別を含んでもよい。グルーピングのインジケーションはアンテナ／ビーム構成を含んでもよく、アンテナ／ビーム構成は、（例えば、それぞれの）ユーザ／空間ストリームについての３つの組＜ＴｘアンテナＩＤ、ＲｘアンテナＩＤ、ＴｘビームＩＤ＞を含んでもよい。アンテナ／ビーム構成は、（例えば、それぞれの）ユーザ／空間ストリームについての３つの組＜ＴｘアンテナＩＤ、ＲｘアンテナＩＤ、ＴｘビームＩＤ＞を導出するために使用されてもよい情報を含んでもよい。
【００９２】
ＡＰ／ＰＣＰ９０２は、インジケーションのうちの１つまたは複数に基づいてアンテナ割り当てを実施してもよい。図９に示される例では、本明細書で説明されるように、ＡＰ  ＶＡ１およびＡＰ  ＶＡ２は、ＳＴＡ１についての（例えば、ＳＴＡ２についての最悪のビームの中であってもよい）最良のビームを含んでもよい。ＡＰ  ＶＡ３およびＡＰ  ＶＡ４は、ＳＴＡ２についての（例えば、ＳＴＡ１についての最悪のビームの中であってもよい）最良のビームを含んでもよい。ＡＰ／ＰＣＰ９０２は、ＡＰ  ＶＡ１およびＡＰ  ＶＡ２をＳＴＡ１に割り振ってもよい。ＡＰ／ＰＣＰは、ＡＰ  ＶＡ３およびＡＰ  ＶＡ４をＳＴＡ２に割り振ってもよい。ＳＴＡ１および／またはＳＴＡ２は、本明細書で説明されるような最良のビーム／ビームのペアの決定に基づいて使用する、対応するＶＡを認識してもよい。
【００９３】
ＡＰ／ＰＣＰ９０２は、インジケーションのうちの１つまたは複数に基づいてビーム割り当てを実施してもよい。図９に示される例では、本明細書で説明されるように、ＡＰ  ＶＡ１およびＡＰ  ＶＡ２は最良のビームを含んでもよい。例えば、ビーム４が、ＡＰ  ＶＡ１／ＶＡ１のペアについての最良のビームと決定されていることがある。ビーム３が、ＡＰ  ＶＡ２／ＶＡ２のペアについての最良のビームと決定されていることがある。ＡＰ／ＰＣＰ９０２は、ＡＰ  ＶＡ１のビーム４をＳＴＡ１に割り当て、かつ／またはＡＰ  ＶＡ２のビーム３をＳＴＡ１に割り振ってもよい。ＳＴＡ１は、本明細書で説明されるような最良のビーム／ビームのペアの決定に基づいて、対応するビームおよび／または使用するＶＡを認識してもよい。
【００９４】
ＡＰ／ＰＣＰ９０２は、ステーションへのビーム／アンテナ割り当てを示し、かつ／またはシグナリングしてもよい。グルーピングインジケーションはビーム／アンテナ割り当てを含んでもよい。例えば、ＡＰ／ＰＣＰ９０２は、（例えば、ＴＸ側およびＲＸ側でビームを位置合せするように）ＭＩＭＯセットアップフレームまたは他のフレームでビーム／アンテナ割り当てを示し、かつ／またはシグナリングしてもよい。ＳＴＡ１および／またはＳＴＡ２は、ＳＴＡ１および／またはＳＴＡ２の対応する受信アンテナ／ビームを準備してもよい。インジケーション（例えば、グルーピングのインジケーション）はビーム／アンテナ割り当てを示してもよい。図９に示される例では、この例でのビーム割り当てシグナリングは、［ＳＴＡ１：ＶＡ１、ビーム４；ＶＡ２、ビーム３］および［ＳＴＡ２：ＶＡ３、ビーム６；ＶＡ４、ビーム７］を含んでもよい。この例でのビーム割り当てシグナリングは、［ＳＴＡ１：ＴｘＶＡ１、Ｔｘビーム４、ＲｘＶＡ１；ＴｘＶＡ２、Ｔｘビーム３、ＲｘＶＡ２］および／または［ＳＴＡ２：ＴｘＶＡ３、Ｔｘビーム６、ＲｘＶＡ１；ＴｘＶＡ４、Ｔｘビーム７、ＲｘＶＡ２］を含んでもよい。
【００９５】
特定のビーム割り当ておよび／または詳細なビームインデックスは、いくつかのケースでは省略されてもよい。例えば、ＡＰ／ＰＣＰおよびステーションが、一定のビームに関して合意してもよい。ビームは、１つまたは複数の態様でのＡＰ／ＰＣＰおよび／またはステーションについての最適なビームであってもよい。例えば、最適なビームがＡＰ／ＰＣＰとＳＴＡ１／ＳＴＡ２との間で合意される場合、シグナリングは［ＳＴＡ１：ＶＡ１；ＶＡ２］および［ＳＴＡ２：ＶＡ３；ＶＡ４］であってもよい。シグナリングは他のフォーマットを使用してもよい。例えば、ビットマップが使用されてもよい。
【００９６】
ＭＵ−ＭＩＭＯセットアップ実装が提供されてもよい。図１０Ａは例示的なＭＵ−ＭＩＭＯセットアップ実装を示してもよい。
【００９７】
例示的な図１０Ａに示されるように、ＳＴＡ１００２（例えば、ＡＰ／ＰＣＰ）がＭＵ−ＭＩＭＯセットアップフレーム１００４を送信してもよい。ＭＵ−ＭＩＭＯセットアップフレームは実装に応じてグラントフレームであってもよい。ＭＵ−ＭＩＭＯセットアップフレーム１００４は、デフォルトマルチキャスト制御フレーム伝送モード、例えばタイプＩビームモードでの単一データストリーム伝送またはタイプＩＩビームモードでのＫ個の準無指向性ビームについての基本準無指向性モードまたは準無指向性モードで送信されてもよい。ＳＴＡ１０１４は、デフォルトビームモードを使用してＭＩＭＯセットアップフレーム１００４の受信を準備してもよい。ＳＴＡ１０１４からの応答フレーム１０１６の受信時に、ＳＴＡ１００２はＳＴＡ１０２０にポーリングしてもよい。ＳＴＡ１００２は、ＳＴＡ１０１４およびＳＴＡ１０２０から応答フレーム１０１６および１０２２を成功して受信してもよい。ＳＴＡ１００２は、シグナリングされたビームモードを使用して、計画通りＳＴＡ１０１４およびＳＴＡ１０２０にＭＵ−ＭＩＭＯ  ＰＰＤＵを送信してもよい。ＳＴＡ１００２は、所望のステーション（例えば、ユーザに関連付けられるステーション）のうちのいくつかから応答フレームを成功して受信してもよい。ＳＴＡ１００２は、すべての所望のステーション（例えば、ユーザに関連付けられるステーション）から応答フレームを成功して受信しないことがある。例えば、ＳＴＡ１００２は、ＳＴＡ１０１４から応答フレーム１０１６を成功して受信してもよく、かつ／またはＳＴＡ１０２０から応答フレーム１０２２を成功して受信しないことがある。ＳＴＡ１００２が応答フレーム１０２２を成功して受信しない場合、１つまたは複数のスキームが使用されてもよい。
【００９８】
ＭＵ−ＭＩＭＯセットアップフレーム１００４が、単一データストリーム伝送を伴うデフォルトマルチキャスト制御フレーム伝送モードで送信されてもよい。一例として、フレーム１００４はレガシーＤＭＧ  ＰＰＤＵを使用して送信されてもよい。ヘッダフィールドがレガシーユーザによって検出されてもよい。パケットの開始からデータ部分の終わりまで準無指向性アンテナパターンが使用されてもよい。例えば、複数のＲＦフロントエンド／チェーンがＳＴＡ１００２側で利用可能であってもよいケースでは、ＳＴＡ１００２は、（例えば、単一の）ＲＦチェーンを使用してフレーム１００４を送信してもよい。ＲＦチェーンのうちのいくつか、またはすべてが利用されてもよい。準無指向性ビームが（例えば、それぞれの）ＲＦチェーンによって形成されてもよい。１つまたは複数の例では、ＥＤＭＧ  ＳＵ  ＰＰＤＵフォーマットを使用してフレーム１００４が送信されてもよい。例えば、ＥＤＧＭ−Ｈｅａｄｅｒ−Ｂフィールドはプリアンブル内に存在しないことがある。Ｌ−ＳＴＦ、レガシーロングトレーニングフィールド（Ｌ−ＬＴＦ）、Ｌ−Ｈｅａｄｅｒ、および／またはＥＤＭＧ−Ｈｅａｄｅｒ−Ａフィールドが、単一のＲＦチェーンを使用して送信されてもよい。Ｌ−ＳＴＦ、Ｌ−ＬＴＦ、Ｌ−Ｈｅａｄｅｒ、および／またはＥＤＭＧ−Ｈｅａｄｅｒ−Ａフィールドが、ＲＦチェーンのうちのいくつか、またはすべてを使用して送信されてもよい。詳細な伝送技法／手順が本明細書で開示されてもよい。ＥＤＭＧ−ＳＴＦ、ＥＤＭＧ−ＣＥ、およびデータフィールドについて、ＳＴＡ１００２は、異なるアンテナパターンを使用してフィールドを送信してもよい。例えば、ＳＴＡ１００２は、複数のＲＦチェーンを使用し、かつ／またはデジタル／ベースバンドドメインプリコーディングを変更して、１つまたは複数のデータストリーム伝送をサポートすることができる。ＳＴＡ１００２は、同一のアンテナパターンを使用して、レガシー部分とＥＤＭＧ部分の両方を送信してもよい。ＤＭＧ  ＰＰＤＵによって搬送されるＭＡＣパケットはＥＤＭＧ  ＭＡＣパケットであってもよく、ＥＤＭＧ  ＭＡＣパケットは、例えばレガシーユーザによって部分的に理解されてもよい。
【００９９】
ＭＵ−ＭＩＭＯセットアップフレーム１００４は、ＭＵ指向性伝送モードを使用して送信される、フレームのある部分と共にデフォルトマルチキャスト制御フレーム伝送モードで送信されてもよい。例えば、ＳＴＡ１００２は、ＭＵ−ＭＩＭＯセットアップフレームについてのＤＬ  ＭＵ−ＭＩＭＯデータ伝送のために使用されてもよいＭＵ−ＭＩＭＯ伝送ビームを利用してもよい。フレーム１００４はレガシーＤＭＧ  ＰＰＤＵを使用して送信されてもよい。ＭＵ−ＭＩＭＯビームは伝送の初めから使用されてもよい。フレーム１００４はＥＤＭＧ  ＰＰＤＵを使用して送信されてもよい。レガシープリアンブル部分（例えば、Ｌ−ＳＴＦ、Ｌ−ＣＥＦ、Ｌ−Ｈｅａｄｅｒ、および／またはＥＤＭＧ−Ｈｅａｄｅｒ−Ａフィールドを含む）は準無指向性ビームモードを使用して送信されてもよい。ＥＤＭＧ部分（例えば、ＥＤＭＧ−ＳＴＦ、ＥＤＭＧ−ＣＥＦ、ＥＤＭＧ−Ｈｅａｄｅｒ−Ｂ、および／またはデータフィールド）はＭＵ−ＭＩＭＯビームモードを使用して送信されてもよい。このモードでは、単一のデータストリームおよび／または複数のデータストリーム伝送が可能であってもよい。
【０１００】
ＭＵ−ＭＩＭＯセットアップフレーム１００４は、デフォルトマルチキャスト制御フレーム伝送モードで送信されてもよく、ＳＴＡ１００２は、ＥＤＭＧ  ＭＩＭＯセットアップＭＡＣフレーム内の続くＵＬ応答フレームについての伝送ルールを示す。例えば、ＳＴＡ１００２は、応答フレーム伝送のためにＳＴＡ１０１４および／またはＳＴＡ１０２０によって使用されると予想されるアンテナ／ビームモードまたはアナログビームモードを示してもよい。例えば、（例えば、それぞれの）ユーザ／空間ストリームまたは類似の（例えば、同等の）情報についての３つの組＜ＴｘアンテナＩＤ、ＲｘアンテナＩＤ、ＴｘビームＩＤ＞が搬送されてもよい。応答フレームがデフォルトビームモードを使用して送信してもよいとき、インジケーションは省略されてもよい。デフォルトビームモードは、ＡＰ／ＰＣＰによってビーコンのような管理フレームでシグナリングされてもよい。デフォルトビームモードは標準によって指定されてもよい。ＳＴＡ１００２は、応答フレームについてのデータストリーム数を示してもよい。ＳＴＡ１００２は、ＳＴＢＣ、スペース周波数ブロックコード（ＳＦＢＣ）、ＣＳＤ、開ループプリコーディング、閉ループプリコーディング、および／またはアンテナ／偏波選択などの、応答フレームのために使用されるベースバンド／デジタル空間スキームを示してもよい。ＳＴＡ１００２は、応答フレームについての変調およびコーディングスキームを示してもよい。ＳＴＡ１００２は、応答フレームがポーリングベースであるかどうかを示してもよい。応答フレームがポーリングベースである場合、ＳＴＡ１００２は、応答フレーム（例えば、第１の応答フレーム）がＳＴＡ１によってポーリングされてもよいかどうかを示してもよい。ＳＴＡ（例えば、ＳＴＡ１０１４およびＳＴＡ１０２０）は、順序を使用して応答フレームが異なる時間スロットで送信されてもよいように順序付けられてもよい。
【０１０１】
ＭＵ−ＭＩＭＯセットアップフレーム１００４は、デフォルトマルチキャスト制御フレーム伝送モードで送信されてもよく、例えばポーリングフレームが存在する場合、ＳＴＡ１００２は、ＥＤＭＧＭＩＭＯセットアップＭＡＣフレーム内でＳＴＡ１００２によって送信されるべきポーリングフレーム（例えば、ポーリングフレーム１００６）についての伝送ルールを示す。例えば、ＳＴＡ１００２は、ポーリングフレーム伝送のためにＳＴＡ１００２によって使用されると予想されるビームモードまたはアナログビームモードを示してもよい。ポーリングフレームがデフォルトビームモードを使用して送信してもよいとき、インジケーションは省略されてもよい。デフォルトビームモードは、ＡＰ／ＰＣＰ（例えば、ＳＴＡ１００２）によってビーコンのような管理フレームでシグナリングされてもよい。デフォルトビームモードは標準によって指定されてもよい。ＳＴＡ１００２は、ＳＴＢＣ、ＳＦＢＣ、ＣＳＤ、開ループプリコーディング、閉ループプリコーディング、および／またはアンテナ／偏波選択などの、ポーリングフレーム（例えば、ポーリングフレーム１００６）のために使用されるベースバンド／デジタル空間スキームを示してもよい。ＳＴＡ１００２は、ポーリングフレーム変調のためのデータストリーム数および／またはポーリングフレームのためのコーディングスキームを示してもよい。
【０１０２】
ＭＵ−ＭＩＭＯセットアップフレーム１００４は、デフォルトマルチキャスト制御フレーム伝送モードで送信されてもよく、ＳＴＡ１００２は、ＥＤＭＧ  ＭＩＭＯセットアップＭＡＣフレーム内のＳＴＡ１００２によって送信されるべきＭＵ−ＭＩＭＯ伝送についての伝送ルールを示す。例えば、ＥＤＭＧ  ＭＩＭＯセットアップＭＡＣフレームは、共通フィールドおよび／またはユーザ特有のフィールドを含んでもよい。ＥＤＭＧ  ＭＩＭＯセットアップＭＡＣフレームは情報（例えば、ビーム／アンテナ割り当て情報）を搬送してもよい。情報は、ＤＬ  ＭＵ−ＭＩＭＯ伝送のためのビームモードまたはアナログビームモードを含んでもよい。ＳＴＡ１００２は、（例えば、それぞれの）ユーザにとって利用可能なビーム／ＲＦチェーン／仮想アンテナの数を示してもよい。ＳＴＡ１００２は、（例えば、それぞれの）ユーザに対して割り振られるビーム／ＲＦチェーン／仮想アンテナインデックスを示してもよい。例えば、ＳＴＡ１００２は４つのＲＦチェーンを有してもよく、ＳＴＡ１００２は、２人のユーザ（例えば、ＳＴＡ１０１４およびＳＴＡ１０２０）に送信してもよい。ＳＴＡ１００２は、ＳＴＡ１０１４に２つの空間ストリームを送信し、ＳＴＡ１０２０に１つの空間ストリームを送信してもよい。ＳＴＡ１００２は、ＳＴＡ１０１４にＭＵ−ＭＩＭＯ伝送１０１０を送信し、ＳＴＡ１０２０にＭＵ−ＭＩＭＯ伝送１００８を送信してもよい。この例では、ビーム／アンテナ割り当ては、明示的または暗黙的に実施および／またはシグナリングされてもよい。ＳＴＡ１００２は、ＳＴＡ１０１４に２つのビーム／ＲＦチェーン／仮想アンテナを割り当て、ＳＴＡ１０２０に２つのビーム／ＲＦチェーンを割り振ってもよい。ＳＴＡ１０１４についてのユーザ特有のフィールドでは、ＳＴＡ１００２は、ＳＴＡ１０１４を指し示すＴｘアンテナ１、Ｔｘビームｘ１と、Ｔｘアンテナ２、Ｔｘビームｙ１とが使用されてもよいことを示してもよい。（例えば、それぞれの）ＳＴＡについての対応するＲｘアンテナＩＤまたは予想されるＲｘアンテナＩＤが、明示的または暗黙的に示されてもよい。ＳＴＡ１０２０についてのユーザ特有のフィールドでは、ＳＴＡ１００２は、ＳＴＡ１０１４を指し示すＴｘアンテナ３、Ｔｘビームｘ２と、Ｔｘアンテナ４、Ｔｘビームｙ２とが使用されてもよいことを示してもよい。（例えば、それぞれの）ＳＴＡについての対応するＲｘアンテナＩＤまたは予想されるＲｘアンテナＩＤが、明示的または暗黙的に示されてもよい。
【０１０３】
ビーム／アンテナ割り当てが（例えば、異なるステーションについて）不均等に実施されてもよい。送信電力は、ユーザごとに一様なＴＸ電力を割り振ることによって、ユーザ（例えば、ユーザに関連付けられる２つのステーション）の間で等しく分配されてもよい。送信電力は、ビーム／アンテナごとに一様なＴＸ電力を割り振ることによって、ユーザ（例えば、ユーザに関連付けられる２つのステーション）の間で不均等に分配されてもよい。例えば、ＳＴＡ１００２は、ＳＴＡ１０１４に３つのビーム／ＲＦチェーン／仮想アンテナを割り当て、ＳＴＡ１０２０に１つのビーム／ＲＦチェーンを割り振ってもよい。ＳＴＡ１０１４についてのユーザ特有のフィールドでは、ＳＴＡ１００２は、ＳＴＡ１０１４を指し示すＴｘアンテナ１、Ｔｘビームｘ１と、Ｔｘアンテナ２、Ｔｘビームｙ１と、Ｔｘアンテナ３、Ｔｘビームｚ１とが使用されてもよいことを示してもよい。ＳＴＡ１０２０についてのユーザ特有のフィールドでは、ＳＴＡ１００２は、ＳＴＡ１０１４を指し示すＴｘアンテナ４、Ｔｘビームｘ２が使用されてもよいことを示してもよい。例えば不平衡ビーム／アンテナ割り当てのケースでは、電力割り当てまたは電力割り当て手法がシグナリングされてもよい。本明細書で説明される手法では、ビーム／ＶＡの（例えば、１つの）セットが（例えば、それぞれの）ユーザに割り振られてもよい。ＳＴＡ１００２は、ビーム／ＶＡのいくつかのセットを（例えば、それぞれの）ユーザ（例えば、ＳＴＡ１０１４およびＳＴＡ１０２０）に割り振ってもよい。ビームのセットは順番であってもよい。例えば、第１の選択肢は（例えば、順序内の）第１のセットであってもよい。第１のセットが成功しないことがあるケースでは、送信機および／または受信機は第２のセットなどに進んでもよい。
【０１０４】
情報は、ＳＴＢＣ、ＳＦＢＣ、ＣＳＤ、開ループプリコーディング、閉ループプリコーディング、およびアンテナ／偏波選択などの、（例えば、それぞれの）ユーザフレームについてのＭＵ−ＭＩＭＯ伝送のために使用されるベースバンド／デジタル空間スキームを含んでもよい。ユーザごとに異なる空間スキームが可能にされてもよい。情報は、ＭＵ−ＭＩＭＯ伝送のためのユーザ当たりのデータストリーム数を含んでもよい。情報は、ＭＵ−ＭＩＭＯ伝送のためのユーザ当たりの変調およびコーディングスキームを含んでもよい。情報は、ユーザ当たりのチャネルボンディング／アグリゲーション情報を含んでもよい。
【０１０５】
ＭＵ−ＭＩＭＯセットアップフレームは、デフォルトマルチキャスト制御フレーム伝送モードで送信されてもよく、ＳＴＡ１００２は、例えばＥＤＭＧ  ＭＩＭＯセットアップＭＡＣフレームで、続くアップリンク（ＵＬ）ＡＣＫフレーム１０１８および／または１０２４についての伝送ルールを示す。アンテナ相互関係が仮定される場合、例えば、ＵＬ  ＭＵ−ＭＩＭＯがＡＣＫ伝送を可能にされてもよいケースでは、ＳＴＡ１０１４およびＳＴＡ１０２０は、ＤＬ  ＭＵ−ＭＩＭＯ受信のために使用されるのと同一のビームを使用してもよい。
【０１０６】
例えば、ＡＣＫフレーム１０１８および／または１０２４が異なる時間スロットで次々に送信されてもよいケースでは、ＳＴＡ１０１４およびＳＴＡ１０２０は、伝送のために異なるビームのセットを使用してもよい。ＳＴＡ１００２は、ＡＣＫフレーム伝送のためにＳＴＡ１０１４およびＳＴＡ１０２０によって使用されると予想されるビームモードまたはアナログビームモードを示してもよい。ＡＣＫフレーム１０１８および／または１０２４がデフォルトビームモードを使用して送信してもよいとき、インジケーションは省略されてもよい。デフォルトビームモードは、ＡＰ／ＰＣＰによってビーコンのような管理フレームでシグナリングされてもよい。デフォルトビームモードは標準によって指定されてもよい。デフォルトモードは、準無指向性伝送であり、または指向性ビームが（例えば、事前に）トレーニングおよび／または合意されてもよい場合、指向性単一データストリーム伝送であってもよい。
【０１０７】
ＳＴＡ１００２は、ＡＣＫフレーム（例えば、ＡＣＫフレーム１０１８および／または１０２４）についてのデータストリーム数を示してもよい。ＡＣＫフレーム（例えば、ＡＣＫフレーム１０１８および／または１０２４）がデフォルトデータストリーム数で送信されてもよいとき、データストリーム数のインジケーションは省略されてもよい。ＳＴＡ１００２は、ＳＴＢＣ、ＳＦＢＣ、ＣＳＤ、開ループプリコーディング、閉ループプリコーディング、および／またはアンテナ／偏波選択などの、ＡＣＫフレーム（例えば、ＡＣＫフレーム１０１８および／または１０２４）のために使用されるベースバンド／デジタル空間スキームを示してもよい。ＳＴＡ１００２は、ＡＣＫフレーム（例えば、ＡＣＫフレーム１０１８および／または１０２４）のための変調およびコーディングスキームを示してもよい。ＡＣＫフレームがデフォルトＭＣＳレベルで送信されてもよいとき、ＡＣＫフレームのための変調およびコーディングスキームのインジケーションは省略されてもよい。ＳＴＡ１００２は、ＡＣＫフレームがポーリングベースであるかどうかを示してもよい。そうである場合、ＳＴＡ１００２は、（例えば、第１の）ＡＣＫフレームがＳＴＡ１００２によってポーリングされてもよいかどうかを示してもよい。ＳＴＡ（例えば、ＳＴＡ１０１４および１０２０）は、順序を使用してＡＣＫフレームが異なる時間スロットで送信されてもよいように順序付けられてもよい。
【０１０８】
ＭＵ−ＭＩＭＯセットアップ実装では、ＳＴＡ１０１４は、デフォルトビームモードを使用してＭＩＭＯセットアップフレーム１００４の受信を準備してもよい。ＭＩＭＯセットアップフレーム１００４の受信時に、ＳＴＡ１０１４は、ポーリングと共に、またはポーリングなしで、ＳＴＡ１０１４が応答フレームを送信する第１のユーザであってもよいという知識を取得してもよい（例えば、認識してもよい）。ＳＴＡ１０１４は、デフォルトビームモードおよび／またはＳＴＡ１００２によってＭＩＭＯセットアップフレーム１００４で割り振られたビームモードを使用して、ＳＴＡ１００２に応答フレーム１０１６を送信してもよい。応答フレーム１０１６は、ＳＴＡ１０１４が、ＳＴＡ１００２によって示されるビーム／アンテナ割り当てを伴う、続くＭＵ−ＭＩＭＯモードの準備ができていることがあってもよいことを示す情報を搬送してもよい。
【０１０９】
ＭＵ−ＭＩＭＯセットアップ実装では、ＳＴＡ１０１４からの応答フレーム１０１６の受信時に、ＳＴＡ１００２はＳＴＡ１０２０にポーリングしてもよい。ＳＴＡ１０２０は、デフォルトビームモードを使用してＭＩＭＯセットアップフレーム１００４およびポーリングフレーム１００６の受信を準備してもよい。ＭＩＭＯセットアップフレーム１００４の受信時に、ＳＴＡ１０２０は、ポーリングと共に、またはポーリングなしで、ＳＴＡ１０２０が応答フレーム１０２２を送信する第２のユーザであってもよいという知識を取得してもよい（例えば、認識してもよい）。ポーリングフレーム１０１２の受信時に、ＳＴＡ１０２０は、デフォルトビームモードまたはＭＩＭＯセットアップフレーム１００４でＳＴＡ１００２によって割り振られたビームモードを使用して、ＳＴＡ１００２に応答フレーム１０２２を送信してもよい。応答フレーム１０２２は、ＳＴＡ１０２０が、ＳＴＡ１００２によって示されるビーム／アンテナ割り当てを伴う、続くＭＵ−ＭＩＭＯモードの準備ができていることがあってもよいことを示す情報を搬送してもよい。
【０１１０】
ＭＵ−ＭＩＭＯセットアップ実装のいくつかのケースでは、ＳＴＡ１００２は、ＳＴＡ１０１４およびＳＴＡ１０２０からそれぞれ応答フレーム１０１６および１０２２を成功して受信してもよい。ＳＴＡ１００２は、シグナリングされたビームモードを使用して、計画通りＳＴＡ１０１４およびＳＴＡ１０２０にＭＵ−ＭＩＭＯ  ＰＰＤＵを送信してもよい。
【０１１１】
ＭＵ−ＭＩＭＯセットアップ実装のいくつかのケースでは、ＳＴＡ１００２は、ステーション（例えば、所望のユーザまたはユーザに関連付けられるステーション）のうちのいくつかから応答フレームを成功して受信してもよい。ＳＴＡ１００２は、所望のユーザのすべてから応答フレームを成功して受信しないことがある。この例では、ＳＴＡ１００２は、ＳＴＡ１０１４から応答フレームを受信してもよい（例えば、受信してもよいだけである）。ＳＴＡ１００２は、（例えば、図１０Ｂに示されるような）部分伝送障害スキームまたは（例えば、図１０Ｃに示されるような）伝送障害スキームのうちの１つまたは複数を使用してもよい。（例えば、図１０Ｂに示されるような）部分伝送障害スキームについて、様々な手法が使用されてもよい。手法のうちの１つでは、ＳＴＡ１００２が、ＳＴＡ１０１４についてのビームモードを使用してＭＩＭＯ終了フレーム１０２６を送信してもよい。ｘＩＦＳ期間後に、図１０Ｂに示されるように、ＳＴＡ１００２は、デフォルトモードまたは準無指向性モードを使用して別のＭＩＭＯ終了フレーム１０２８を送信し、現ＭＵ−ＭＩＭＯ伝送機会（ＴＸＯＰ）を終了してもよい。手法のうちの１つでは、ＳＴＡ１０１４は、指向性ＭＩＭＯ終了フレーム１０２６伝送についてのＡＣＫフレームを応答してもよい。ＳＴＡ１００２は、例えばｘＩＦＳ後に、ＭＩＭＯ終了フレーム１０２８を送信してもよい。手法のうちの１つでは、準無指向性ＭＩＭＯ終了フレーム１０２８は省略されてもよい。
【０１１２】
（例えば、図１０Ｃに示されるような）伝送障害スキームでは、ＳＴＡ１００２は伝送（例えば、ＭＵ−ＭＩＭＯ伝送１０３０）を続行してもよい。ＳＴＡ１００２は、ＳＴＡ１０１４を指し示すビーム／アンテナを使用してもよい（例えば、使用してもよいだけである）。ＳＴＡ１００２は、ユーザのサブセット（例えば、ＳＴＡ１０１４）に電力（例えば、全電力）を割り振ってもよい。ＳＴＡ１０１４は、図１０Ｃに示されるように、ＡＣＫフレーム１０３２で応答してもよい。
【０１１３】
ＭＵ−ＭＩＭＯセットアップ実装のいくつかのケースでは、ＳＴＡ１００２は、潜在的なＭＵ−ＭＩＭＯユーザまたはユーザに関連付けられるステーション（例えば、ユーザまたはステーションのすべて）から応答フレームを（例えば、どんな応答フレームも）受信しないことがある。ＳＴＡ１００２は、ＭＩＭＯ終了フレームを送信することによってＭＵ−ＭＩＭＯ  ＴＸＯＰを終了してもよい。
【０１１４】
ＳＵ−ＭＩＭＯセットアップ実装が提供されてもよい。ＳＵ−ＭＩＭＯセットアップ実装は図１１に示されてもよい。スキームは、（例えば、１人の）ユーザを伴う例示的なＭＵ−ＭＩＭＯセットアップと見なされてもよい。例示的な図１１に示されるように、ＳＴＡ１１１０（例えば、ＡＰ／ＰＣＰ）はＭＵ−ＭＩＭＯセットアップフレーム１１０２を送信してもよい。ＭＵ−ＭＩＭＯセットアップフレーム１１０２は、デフォルトマルチキャスト制御フレーム伝送モード、例えばタイプＩビームモードでの単一データストリーム伝送またはタイプＩＩビームモードでのＫ個の準無指向性ビームについての基本準無指向性モードまたは準無指向性モードで送信されてもよい。ＳＴＡ１１１２は、デフォルトビームモードを使用してＭＩＭＯセットアップフレーム１１０２の受信を準備してもよい。ＳＴＡ１１１２からの応答フレーム１０１６の受信時に、ＳＴＡ１１１０はＭＵ−ＭＩＭＯ１１０４を送信し、ＡＣＫフレーム１１０８を受信してもよい。
【０１１５】
トレーニング／追跡は、ＭＩＭＯセットアップ実装の部分として、かつ／またはＭＩＭＯセットアップ実装と共に実施されてもよい。ＭＩＭＯセットアップフレームがサウンディングシーケンス（例えば、追加のサウンディングシーケンス）に付加されてもよい。例えば、ＭＩＭＯセットアップ実装は、ＭＩＭＯセットアップフレームを伴うチャネルアクセスのためのものであってもよい。トレーニング／追跡は追加のトレーニング／追跡を含んでもよい。追加のトレーニング／追跡は追加のトレーニングを実現してもよい。本明細書の実装は、ＳＵ−ＭＩＭＯおよび／またはＭＵ−ＭＩＭＯに適用されてもよい。
【０１１６】
一例として、サウンディングシーケンスは、ベースバンド／デジタルＢＦ／ＭＩＭＯモード適合／選択のために使用されてもよい。例えば、ＭＩＭＯセットアップフレームは、単一データストリームを伴う準無指向性モードを使用して送信されてもよい。ＣＥＦフィールド（Ｌ−ＣＥＦおよびＥＤＭＧ−ＣＥＦフィールドを含む）は、単一データストリーム推定のために設計および／または使用されてもよい。ＭＩＭＯ伝送のＴＸＯＰホルダ／イニシエータは、アナログビームフォーミング後の有効なＭＩＭＯチャネルについての全情報または部分情報を知りたいことがあってもよい。ＭＩＭＯ伝送のＴＸＯＰホルダ／イニシエータは、例えばＰＰＤＵ伝送の終わりに追加の既知のトレーニングシーケンスを付加することによって、有効なＭＩＭＯチャネルについての全情報または部分情報を獲得してもよい。Ｔｘおよび／またはＲｘは、トレーニングされたアナログビームを使用してもよい。レスポンダ（例えば、ステーションなどの受信機）は、トレーニングシーケンス（例えば、追加の既知のトレーニングシーケンス）を使用して、イニシエータ（例えば、ＡＰなどの送信機）によって要求されるベースバンドＭＩＭＯチャネルおよび／またはフィードバック情報を推定してもよい。フィードバックされた情報を用いて、イニシエータはベースバンド／デジタルＭＩＭＯ／ＢＦモードを判断してもよい。ＭＩＭＯ応答フレームが、ベースバンドチャネル状態情報（ＣＳＩ）フィードバックを搬送するために使用されてもよい。ベースバンドＢＦ／ＭＩＭＯトレーニングがＭＩＭＯセットアップ実装と組み合わされ、かつ／またはシステム効率を改善してもよい。
【０１１７】
追加のトレーニング／追跡を伴うＭＩＭＯセットアップ実装の一例として、サウンディングシーケンス（例えば、追加のサウンディングシーケンス）がアナログビーム追跡／改善のために使用されてもよい。例えば、単一データストリームを伴う準無指向性モードを使用して、ＭＩＭＯセットアップフレームが送信されてもよい。ＣＥＦフィールド（Ｌ−ＣＥＦおよびＥＤＭＧ−ＣＥＦフィールドを含む）は、単一データストリーム推定のために設計および／または使用されてもよい。ＴＸＯＰホルダ／イニシエータは、送信ビームまたは受信ビームあるいは両方が十分に良好ではないことがあることを認識してもよい。例えば、送信ビームまたは受信ビームあるいは両方を介する伝送が、一定の品質基準を満たさないことがある。ＴＸＯＰホルダ／イニシエータは、ＭＩＭＯセットアップ実装の間にビーム追跡／改善を実施することを判断してもよい。追加のトレーニングシーケンスは、ビームトレーニングを送信し、ビームトレーニングを受信し、またはビームトレーニングを送信／受信するために使用されてもよい。レスポンダ（例えば、ステーションなどの受信機）は、追加のトレーニングシーケンスを使用して、送信機および／または受信機についての良好なビームおよび／または不良なビームを決定してもよい。良好なビームおよび／または不良なビームの決定と共に、イニシエータ（例えば、ＡＰなどの送信機）およびレスポンダ（例えば、ステーションなどの受信機）はアナログビームを更新してもよい。追加のトレーニングを伴うＭＩＭＯセットアップ実装の一例が、（例えば、図１２に示されるように）本明細書で説明されてもよい。追加のトレーニングを伴うＭＩＭＯセットアップ実装の例は、以下のうちの１つまたは複数を含んでもよい。
【０１１８】
図１２に示されるように、追加のトレーニングを伴うＭＩＭＯセットアップ実装の例は、ＳＴＡ１２２０（例えば、ＡＰ／ＰＣＰ）がＭＩＭＯセットアップフレーム１２０４（例えば、ＭＵ−ＭＩＭＯセットアップフレームまたはＳＵ−ＭＩＭＯセットアップフレーム）を送信してもよいことを含んでもよい。ＭＩＭＯセットアップフレーム１２０４の伝送はＰＬＣＰヘッダ１２０２を含んでもよい。追加のトレーニングフィールドは、複数のトレーニングシーケンス（例えば、トレーニングシーケンス１２０６、トレーニングシーケンス１２０８、および／またはトレーニングシーケンス１２１２）を搬送してもよい。トレーニングシーケンスは相互に異なるアンテナ／ビームパターンを使用して送信されてもよい。トレーニングシーケンスは、アンテナパターン（例えば、固定アンテナ／ビームパターン）を使用して反復および／または送信されてもよい。受信機は、受信機のアンテナ／ビームパターンをスウィープし、１つまたは複数の受信ビームをトレーニングしてもよい。トレーニングフィールド（例えば、追加のトレーニングフィールド）の長さは、ＰＬＣＰヘッダ１２０２またはＰＬＣＰヘッダ１２０２の一部からトレーニングシーケンス（例えば、トレーニングシーケンス１２０８）の終わりまで延長してもよい。トレーニングの目的および／またはフィードバック要求が、ＭＩＭＯセットアップフレームのＭＡＣボディ内で搬送されてもよい。別の実施形態では、トレーニングの目的および／またはフィードバック要求がＰＬＣＰヘッダ内で搬送されてもよい。一例として、フレーム１２０４はレガシーＤＭＧ  ＰＰＤＵを使用して送信されてもよい。ヘッダフィールドはレガシーユーザによって検出されてもよい。準無指向性アンテナパターンが、パケットの開始からトレーニングシーケンスの終わりまで使用されてもよい。パケットがＴＲＮフィールドに添付されてもよい（例えば、データ部分の後にＴＲＮフィールドが添付されてもよい）ことを示すために、ヘッダ内のパケットタイプフィールドが使用されてもよい。トレーニング長フィールド内の値Ｎが、ＴＲＮフィールド１２２４の長さを示してもよい。一例として、ＥＤＭＧ  ＳＵ  ＰＰＤＵフォーマットを使用してフレームが送信されてもよい。例えば、ＥＤＧＭ−Ｈｅａｄｅｒ−Ｂフィールドがプリアンブル内に存在しないことがある。レガシーヘッダ（Ｌ−ｈｅａｄｅｒ）フィールドでは、パケットタイプおよび／またはトレーニング長フィールドが、パケットの終わりでのＴＲＮ−Ｔフィールドの存在を示すために設定されてもよい。Ｌ−ＳＴＦ、Ｌ−ＬＴＦ、Ｌ−Ｈｅａｄｅｒ、および／またはＥＤＭＧ−Ｈｅａｄｅｒ−Ａフィールドが（例えば、単一の）ＲＦチェーンを使用して送信されてもよい。Ｌ−ＳＴＦ、Ｌ−ＬＴＦ、Ｌ−Ｈｅａｄｅｒ、および／またはＥＤＭＧ−Ｈｅａｄｅｒ−Ａフィールドが、ＲＦチェーンのうちのいくつかの、またはすべてを使用して送信されてもよい。（例えば、本明細書で説明される）伝送技法が使用されてもよい。
【０１１９】
一例として、ＰＬＣＰヘッダ１２０４はＬ−ｈｅａｄｅｒを含んでもよい。Ｌ−ｈｅａｄｅｒでは、パケットがＴＲＮフィールドに添付されてもよい（例えば、データ部分の後にＴＲＮフィールドが添付されてもよい）ことを示すために、パケットタイプフィールドが使用されてもよい。トレーニング長フィールド内の値Ｎが、ＴＲＮフィールドの長さを示してもよい。
【０１２０】
ＰＬＣＰヘッダ１２０４の一例として、ＥＤＭＧ−Ｈｅａｄｅｒ−Ａが使用されてもよい。ＥＤＭＧ−Ｈｅａｄｅｒ−Ａでは、ＥＤＭＧ−Ｈｅａｄｅｒ−Ａが即時使用フィールド（use immediately field）を示し／含んでもよい。即時使用フィールドは、ＭＩＭＯ伝送（例えば、ＭＩＭＯセットアップ交換の直後のＭＩＭＯ伝送）が、更新後アナログ／ベースバンドビームまたはスキーム、例えばＭＩＭＯセットアップフレームの後に添付された追加のトレーニングフィールドを使用してトレーニングから導出される更新後アナログ／ベースバンドビームまたはスキームを使用してもよいかどうかを示すために使用されてもよい。例えば、送信機／受信機が更新後ビームまたはスキームを使用するための十分な時間を有さないことがあるケースでは、即時使用フィールドは０に設定されてもよい。トレーニング結果は後に伝送で使用されてもよい。
【０１２１】
ＥＤＭＧ−Ｈｅａｄｅｒ−Ａは、追加のトレーニングフィールド（例えば、ＥＤＭＧ−Ｈｅａｄｅｒ−Ａ）の目的を示し／含んでもよい。追加のトレーニングフィールドの目的は、ベースバンドＭＩＭＯチャネルサウンディング、および／またはアナログビーム追跡／改善などを含んでもよい。アナログビーム追跡／改善のために使用されるとき、追加のトレーニングフィールドは、ＴｘスウィープなどのＴｘトレーニングのために（例えば、Ｔｘトレーニングのみのために）、かつ／または異なるビームをトレーニングするために使用されてもよい。追加のトレーニングフィールドは、Ｒｘトレーニングのために（例えば、Ｒｘトレーニングのみのために）使用されてもよい。Ｔｘビームは、ＲｘがＲｘのビームをスウィープすることを可能にする、一定の長さについて使用（例えば、固定）および／または反復されてもよい。アナログビーム追跡／改善のために使用されるとき、追加のトレーニングフィールドは、ＴｘトレーニングとＲｘトレーニングの組合せのために使用されてもよい。Ｔｘおよび／またはＲｘトレーニングが指定されてもよい順序である。例えば、Ｔｘトレーニングがまず実施され、次いでＲｘトレーニングが実施されてもよい。Ｒｘトレーニングがまず実施され、Ｔｘトレーニングがその後に続いてもよい。例えば、等しくない数のＴｘ／Ｒｘトレーニングが適用されてもよい場合、Ｔｘ／Ｒｘトレーニングの数が指定されてもよい。例えば、ＴｘトレーニングについてのＮ１シーケンスと、その後に続くＲｘトレーニングについてのＮ２シーケンスである。
【０１２２】
ＥＤＭＧ−Ｈｅａｄｅｒ−Ａはフィードバックタイプを示し／含んでもよい。フィードバックタイプは、Ｔｘ／Ｒｘアンテナのペア当たりの平均ＳＮＲ／ＳＩＮＲフィードバックなどの、限定されたチャネル状態情報フィードバックを含んでもよい。例えば、ＳＴＡ１２２０がベースバンド／デジタルドメイン送信／受信ビーム／偏波選択を実施することを計画するとき、ＳＴＡ１２２０は平均ＳＮＲまたはＳＩＮＲフィードバックを要求してもよい。フィードバックタイプは、Ｔｘ／Ｒｘアンテナのペア当たりの全チャネル状態情報フィードバックを含んでもよい。例えば、ＳＴＡ１２２０が閉ループプリコーディングを実施することを計画するとき、ＳＴＡ１２２０は全ＣＳＩフィードバックを要求してもよい。
【０１２３】
ＥＤＭＧ−Ｈｅａｄｅｒ−Ａは、チャネルフィードバック分解能（例えば、Ｔｘ／Ｒｘアンテナのペア当たりのチャネルフィードバック分解能）を示し／含んでもよい。チャネルフィードバック分解能は、フィードバックの定量化レベルを示してもよい。例えば、チャネルフィードバック分解能は、フィードバックタイプに応じて実数／複素数値を表すビット数を示してもよい（例えば、定義してもよい）。実数／複素数値は、ＳＮＲ／ＳＩＮＲ値、またはＳＮＲ／ＳＩＮＲ値の平均であってもよい。実数／複素数値は、遅延、時間領域タップ強度、および／または時間領域タップ位相などを含んでもよい。
【０１２４】
ＭＩＭＯセットアップフレームの伝送はＭＡＣパケットを含んでもよい。ＭＡＣパケットはＥＤＭＧ  ＭＡＣパケットを含んでもよい。いくつかのシナリオでは、例えば、ＭＡＣパケットはＤＭＧ  ＰＰＤＵによって搬送されてもよい。ＥＤＭＧ  ＭＡＣパケットは、レガシーユーザによって部分的に理解されてもよい。ＥＤＭＧ  ＭＡＣパケットは（例えば、本明細書で説明されるような）ＭＩＭＯセットアップ情報を搬送してもよい。ＥＤＭＧ  ＭＡＣパケットは、ベースバンドＢＦトレーニング設定要件についての情報を搬送してもよい。ベースバンドＢＦトレーニング設定要件についての情報は即時使用フィールドを含んでもよい。即時使用フィールドは、ＥＤＭＧ−Ｈｅａｄｅｒ−Ａフィールド内で使用されるものと同一であってもよい。即時使用フィールド情報を含むベースバンドＢＦトレーニング設定要件についての情報は、ＰＬＣＰヘッダおよび／またはＭＡＣパケット内で搬送されてもよい。ベースバンドＢＦトレーニング設定要件についての情報は、追加のトレーニングフィールドの目的を含んでもよい。追加のトレーニングフィールドの目的を示すフィールドが（例えば、他のフィールドと共に）、ＥＤＭＧ−Ｈｅａｄｅｒ−Ａフィールドおよび／またはＭＡＣボディ内で搬送されてもよい。
【０１２５】
即時使用フィールドは、チャネルフィードバック分解能（例えば、Ｔｘ／Ｒｘアンテナのペア当たりのチャネルフィードバック分解能）を示し／含んでもよい。チャネルフィードバック分解能は、フィードバックの定量化レベルを示してもよい。例えば、チャネルフィードバック分解能は、フィードバックタイプに応じて実数／複素数値を表すビット数を示してもよい（例えば、定義してもよい）。実数／複素数値は、ＳＮＲ／ＳＩＮＲ値、またはＳＮＲ／ＳＩＮＲ値の平均であってもよい。実数／複素数値は、遅延、時間領域タップ強度、および／または時間領域タップ位相などを含んでもよい。
【０１２６】
追加のトレーニングフィールドの目的を含むベースバンドＢＦトレーニング設定要件についての情報は、ＰＬＣＰヘッダおよび／またはＭＡＣパケット内で搬送されてもよい。ベースバンドＢＦトレーニング設定要件についての情報は、チャネルフィードバックタイプを含んでもよい。フィードバックタイプは、ＥＤＭＧ−Ｈｅａｄｅｒ−Ａフィールド内で使用されるものと同一であってもよい。チャネルフィードバックタイプは、チャネルフィードバック分解能（例えば、Ｔｘ／Ｒｘアンテナのペア当たりのチャネルフィードバック分解能）を示し／含んでもよい。チャネルフィードバック分解能は、フィードバックの定量化レベルを示してもよい。例えば、チャネルフィードバック分解能は、フィードバックタイプに応じて実数／複素数値を表すビット数を示してもよい（例えば、定義してもよい）。実数／複素数値は、ＳＮＲ／ＳＩＮＲ値、またはＳＮＲ／ＳＩＮＲ値の平均であってもよい。実数／複素数値は、遅延、時間領域タップ強度、および／または時間領域タップ位相などを含んでもよい。
【０１２７】
チャネルフィードバックタイプ情報を含むベースバンドＢＦトレーニング設定要件についての情報は、ＰＬＣＰヘッダおよび／またはＭＡＣパケット内で搬送されてもよい。ベースバンドＢＦトレーニング設定要件についての情報は、Ｔｘ／Ｒｘアンテナのペア当たりのチャネルフィードバック分解能を含んでもよい。このフィールドは、ＥＤＭＧ−Ｈｅａｄｅｒ−Ａフィールド内で使用されるものと同一であってもよい。Ｔｘ／Ｒｘアンテナのペア当たりのチャネルフィードバック分解能は、チャネルフィードバック分解能（例えば、Ｔｘ／Ｒｘアンテナのペア当たりのチャネルフィードバック分解能）を示し／含んでもよい。チャネルフィードバック分解能は、フィードバックの定量化レベルを示してもよい。例えば、チャネルフィードバック分解能は、フィードバックタイプに応じて実数／複素数値を表すビット数を示してもよい（例えば、定義してもよい）。実数／複素数値は、ＳＮＲ／ＳＩＮＲ値、またはＳＮＲ／ＳＩＮＲ値の平均であってもよい。実数／複素数値は、遅延、時間領域タップ強度、および／または時間領域タップ位相などを含んでもよい。Ｔｘ／Ｒｘアンテナのペア当たりのチャネルフィードバック分解能を含むベースバンドＢＦトレーニング設定要件についての情報は、ＰＬＣＰヘッダおよび／またはＭＡＣパケット内で搬送されてもよい。
【０１２８】
ＭＩＭＯセットアップフレームの伝送はトレーニングシーケンス（例えば、追加のトレーニングフィールド）を含んでもよい。追加のトレーニングフィールドでは、ＳＴＡ１２２０は、例えばトレーニングされるべきアンテナおよびビームを使用して、トレーニングシーケンスを送信してもよい。一例として、追加のトレーニングフィールドはＭＡＣパケットの直後に添付されてもよい。本明細書の例のうちの１つまたは複数では、使用されるべきＴＸアンテナおよびビームを取得するためのより多くの処理時間をビームフォーミー（例えば、この例ではＳＴＡ１２２２）に与えるために、追加のトレーニングフィールドが、ＥＤＭＧ  ＭＡＣパケット伝送の終わりのｘＩＦＳ時間後に送信されてもよい。
【０１２９】
追加のトレーニングを伴うＭＩＭＯセットアップ実装の例は、ＳＴＡ１２２２が応答フレーム１２１０を送信してもよいことを含んでもよい。ＳＴＡ１２２２は、（例えば、応答フレーム１２１０内で）ＳＴＡ１２２０によって要求されたフィードバック情報を搬送してもよい。ＳＴＡ１２２２は、ＭＩＭＯセットアップ実装（例えば、本明細書で説明されるＭＩＭＯセットアップ実装）に従って実施してもよい。ＳＴＡ１２２２はＡＣＫ／ＢＡ１２１８を送信してもよい。ＴＸ／ＲＸアンテナはデフォルトモードに戻されてもよい。
【０１３０】
追加のトレーニングを伴うＭＩＭＯセットアップ実装の例は、例えば即時使用フィールドが設定される場合、フィードバックによって更新された情報を使用してＳＴＡ１２２０がＭＩＭＯ伝送１２１６を実施してもよいことを含んでもよい。ＳＴＡ１２２０は、ＭＩＭＯセットアップフレーム１２０４によってシグナリングされた（例えば、明示的にシグナリングされた）ビームおよび／または伝送スキームを使用してもよい。
【０１３１】
追加のトレーニングを伴うＭＩＭＯセットアップ実装の例では、追加のトレーニングフィールドがＭＩＭＯセットアップフレームに添付されてもよい。追加のトレーニングを伴うＭＩＭＯセットアップ実装の例は、より一般的なケースに拡張されてもよい。例えば、任意のビーム改善プロトコル（ＢＲＰ）または拡張ＢＲＰフレームでは、追加のトレーニングフィールドが同一または類似の目的で、例えばベースバンド全／部分ＣＳＩサウンディング、アナログビーム追跡／改善などのために添付されてもよい。ここで説明されるシグナリングは、ＢＲＰまたはｅＢＲＰフレームのＰＬＣＰヘッダ、ＢＲＰまたはｅＢＲＰ  ＭＡＣパケット、あるいはＭＡＣヘッダのうちの１つまたは複数の中で搬送されてもよい。
【０１３２】
ＭＩＭＯセットアップフレームは様々なフィールドを含んでもよい。ＭＩＭＯセットアップフレームは、共通フィールドおよび／またはユーザ特有のフィールドを含んでもよい。ＳＵ−ＭＩＭＯセットアップでは、（例えば、１つの）ユーザ特有のフィールドが存在してもよい。ＭＩＭＯセットアップフレームは、Ｔｘ／Ｒｘ  ＩＤ、続くＭＩＭＯデータ伝送で（例えば、それぞれの）ユーザについて予想されるＮｓｓ、ＭＩＭＯ伝送で使用されるべきアナログビームパターン、ＳＴＡから予想される応答フレームをセットアップする、ＭＩＭＯ伝送で使用されるべきベースバンドＭＩＭＯタイプ、および／または追加のトレーニングフィールドが添付される場合の他の情報のうちの１つまたは複数を示す１つまたは複数のフィールドを含んでもよい。ＭＩＭＯ伝送で使用されるべきアナログビームパターンを示すために使用されるフィールドは、１つまたは複数のＰＡＡ情報／インデックス、偏波情報／インデックス、アナログビームインデックス、または他のビーム候補を示し、または含んでもよい。ＭＩＭＯ伝送で使用されるべきベースバンドＭＩＭＯタイプを示すために使用されるフィールドは、アンテナ／ＰＡＡ／偏波選択、選択されたインデックス、ＳＴＢＣのようなスキーム（例えば、ＳＦＢＣ）、２重搬送波変調、または空間／周波数／時間領域２重搬送波変調、または閉ループ（ＣＬ）プリコーディング、または開ループ（ＯＬ）プリコーディングのうちの１つまたは複数を示し、または含んでもよい。選択されたインデックスが、例えばＭＩＭＯ伝送の前にシグナリングされてもよい。ＳＴＡから予想される応答フレームをセットアップするために使用されるフィールドは、ＭＩＭＯセットアップフレームについての１つまたは複数の応答フレーム、またはＭＩＭＯ伝送についてのＡＣＫフレームを示し、または含んでもよい。追加のトレーニングフィールドが添付されてもよい場合の他の情報は、１つまたは複数の即時使用フィールド、追加のトレーニングフィールドの目的、チャネルフィードバックタイプ、またはチャネルフィードバック分解能を示し、または含んでもよい。
【０１３３】
同一のレガシーフィールド（例えば、レガシーショートトレーニングフィールド（ＳＴＦ）、チャネル推定フィールド（ＣＥＦ）、およびヘッダ）を含む複数のストリームが複数のアンテナから送信されるとき、送信された信号間の強い相関のために、意図しないビームフォーミングが、受信された信号に関して生じることがある。受信された信号電力の変動が、レガシーデバイスでレガシーヘッダを復号化するための次善のＡＧＣ設定を引き起こすことがある。例えば送信信号を無相関にするために、異なる巡回シフトが、送信される信号に適用されてもよい。送信される信号に異なる巡回シフトを適用する操作は、巡回プレフィックス（ＣＰ）−ＯＦＤＭ伝送と互換性があってもよい。
【０１３４】
プリアンブルについてのＭＩＭＯ伝送実装が、例えば意図しないビームフォーミングを低減するために使用されてもよい。線形シフトやブロックベースの循環シフトなど、シングルキャリア波形についていくつかの技法が提供されてもよい。（例えば、図１３Ａ〜１３Ｃに示されるような）技法の選択肢が、レガシーデバイスについての干渉のないチャネル推定を可能にしてもよい。
【０１３５】
例えば、線形シフトについて、送信機は、相互に異なるアンテナを通じて送信される空間ストリームを意図的にシフトしてもよい。（例えば、線形シフティング時の）シングルキャリア波形は受信機で位置合せされないことがあり、かつ／または意図しないビームフォーミングを回避してもよい。送信機は、ブロックベースの循環シフトを適用してもよい。例えば、ＰＰＤＵのレガシーフィールドが循環シフトされてもよい。（例えば、本明細書で説明されるような）１つまたは複数のレガシーフィールドは、事前ＥＤＭＧ変調フィールドであってもよく、または事前ＥＤＭＧ変調フィールドを含んでもよい。事前ＥＤＭＧ変調フィールドは、レガシーＳＴＦフィールド、レガシーＣＥＦフィールド、およびヘッダを含んでもよい。グルーピングされるＳＴＦ、ＣＥＦ、および／またはヘッダに循環シフトが適用されてもよい。本明細書の１つまたは複数の例では、特定のグループのフィールドまたはサブフィールド（例えば、特定のＧｏｌａｙシーケンス）に循環シフトが適用されてもよい。例えば、図１３に示されるように、空間ストリーム１３２６は、ショートトレーニングフィールド１３０２、チャネル推定フィールド１３０６、ヘッダ１３０８、および他の１１ａｙフィールド１３１０を含んでもよい。空間ストリーム１３２８は、ショートトレーニングフィールド１３１２、チャネル推定フィールド１３１４、ヘッダ１３１６、および他の１１ａｙフィールド１３１８を含んでもよい。空間ストリーム１３２８は、ショートトレーニングフィールド１３１２、チャネル推定フィールド１３１４、ヘッダ１３１６、および他の１１ａｙフィールド１３１８を含んでもよい。空間ストリーム１３３０は、ショートトレーニングフィールド１３１９、チャネル推定フィールド１３２０、ヘッダ１３２２、および他の１１ａｙフィールド１３２４を含んでもよい。図１３Ａは線形シフトの一例を示してもよい。空間ストリーム１３２６は、空間ストリーム１３２８から線形シフトされていることがあってもよい（例えば、１３３２で示されている）。空間ストリーム１３２８は、空間ストリーム１３３０から線形シフトされていることがあってもよい（例えば、１３３４で示されている）。
【０１３６】
送信機はブロックベースの循環シフトを適用してもよい。例えば、ＰＰＤＵのレガシーフィールドが循環シフトされてもよい。ＳＴＦ、ＣＥＦ、および／またはヘッダがグルーピングされてもよく、かつ／または循環シフトがグループに適用されてもよい。グルーピングされるＳＴＦ、ＣＥＦ、および／またはヘッダに循環シフトが適用されてもよい。本明細書の１つまたは複数の例では、選択された（例えば、特定の）グループのフィールドまたはサブフィールド（例えば、Ｇｏｌａｙシーケンス）に循環シフトが適用されてもよい。グルーピングは、ＳＴＦの終わりのＧｏｌａｙシーケンス（例えば、−Ｇａ１２８）を除外するＳＴＦ、ＳＴＦの終わりのＧｏｌａｙシーケンス（例えば、−Ｇａ１２８）を含むＣＥＦ、またはヘッダのうちの１つまたは複数を考慮してもよい。図１３Ｂに示されるように、グルーピングは、ＳＴＦの終わりのＧｏｌａｙシーケンス（例えば、−Ｇａ１２８）を除外するＳＴＦを考慮してもよい。空間ストリーム１３２８について、ＳＴＦの終わりのＧｏｌａｙシーケンス（例えば、−Ｇａ１２８）を除外するＳＴＦのブロックシフトが、ブロック循環シフト１３３２で示されてもよい。空間ストリーム１３３０について、ＳＴＦの終わりのＧｏｌａｙシーケンス（例えば、−Ｇａ１２８）を除外するＳＴＦのブロックシフトが、ブロック循環シフト１３３８で示されてもよい。図１３Ｂに示されるように、グルーピングは、ＳＴＦの終わりのＧｏｌａｙシーケンス（例えば、−Ｇａ１２８）を含むＣＥＦを考慮してもよい。空間ストリーム１３２８について、ＳＴＦの終わりのＧｏｌａｙシーケンス（例えば、−Ｇａ１２８）を含むＣＥＦのブロックシフトが、ブロック循環シフト１３３４で示されてもよい。空間ストリーム１３３０について、ＳＴＦの終わりのＧｏｌａｙシーケンス（例えば、−Ｇａ１２８）を含むＣＥＦのブロックシフトが、ブロック循環シフト１３４０で示されてもよい。図１３Ｂに示されるように、グルーピングはヘッダを考慮してもよい。空間ストリーム１３２８について、ヘッダのブロックシフトがブロック循環シフト１３３６で示されてもよい。空間ストリーム１３３０について、ヘッダのブロックシフトがブロック循環シフト１３４２で示されてもよい。
【０１３７】
ブロックベースのシフトは、サブフィールドおよびサブフィールドの目的を考慮してもよい。図１３Ｃは、サブフィールドの目的を考慮するブロックベースのシフトの一例を示してもよい。空間ストリーム１３２８について、ブロックシフト１３４４は、サブフィールド１３１２〜１３１６の目的を考慮してもよい。空間ストリーム１３３０について、ブロックシフト１３４６は、サブフィールド１３１９〜１３２２の目的を考慮してもよい。（例えば、図１５Ｂに示されるような）意図しないビームフォーミングブロックベースのシフトを回避するための技法の選択肢は、レガシーデバイスについての干渉のないチャネル推定を可能にしてもよい。
【０１３８】
複数のストリーム（例えば、ストリーム１４０２およびストリーム１４０４）について循環ＣＥＦが使用されてもよい。ＩＥＥＥ  ８０２．１１ａｄでは、ＣＥＦ内のシーケンスはプロパティゼロ自己相関ゾーンを導入してもよく、プロパティゼロ自己相関ゾーンは、図１４に示されるように、相関動作を介して時間領域内のチャネル推定を可能にしてもよい。図１４に示されるように、ストリーム１４０２およびストリーム１４０４という２つのストリームが、ゼロ相関ゾーン１４２０を共有してもよい。ストリーム１４０４は、ショートトレーニングフィールド１４２２、チャネル推定フィールド１４２４、および−Ｇｂ１２８  １４１２を含んでもよい。−Ｇｂ１２８  １４１２は保護として使用されてもよい。ショートトレーニングフィールド１４２２は、−Ｇａ１２８  １４０６を含むいくつかの−Ｇａ１２８を含んでもよい。チャネル推定フィールド１４２４は、いくつかのＧａ１２８および−Ｇｂ１２８（例えば、Ｇｂ１２８  １４１６）を含んでもよい。ストリーム１４０４はゼロ自己相関ゾーン１４２０を含んでもよい。ストリーム１４０２は、ゼロ自己相関ゾーン１４２０内に含まれるいくつかのＧａ１２８および−Ｇｂ１２８を含む、いくつかのＧａ１２８および−Ｇｂ１２８（例えば、−Ｇｂ１２８  １４０８）を含んでもよい。ゼロ自己相関ゾーン１４２０はＧａ１２８  １４１０を含んでもよい。ストリーム１４０２は、ラグ１４１４で示されるように、ストリーム１４０４より遅れてもよい。
【０１３９】
グラフ１４２６に示されるように、ｘ軸はラグを指し、ｙ軸はエネルギーを指す。一実施形態では、ｙ軸は相関を指してもよい。ストリーム１４０２とストリーム１４０４との間のｘ軸に沿って、エネルギーは（ゼロエネルギーに向かって、またはゼロエネルギーで）低いままであり、ゼロ自己相関ゾーン１４２８を示す。
【０１４０】
一例として、ゼロ相関ゾーン（例えば、ストリーム１５０２について１５０６、ストリーム１５０４について１５１６）が複数のストリーム（例えば、ストリーム１５０２およびストリーム１５０４）と共有され、異なるストリーム（例えば、ストリーム１５０２およびストリーム１５０４）についてのチャネル推定が可能とされてもよい。例えば、８０２．１１ａｄの元のＣＥＦ、または全ゼロ自己相関ゾーンを有するシーケンス（例えば、Ｚａｄｏｆｆ−ｃｈｕシーケンス）を含む、ゼロ自己相関ゾーンを有する任意の他のシーケンスを循環シフトすることによって、２つの直交ＣＥＦが生成されてもよい。シフト（例えば、循環シフト１５１０および１５１２）が図１５Ａに示されるように少なくとも−６４および＋６４である場合、直交ＣＥＦが生成されてもよい。図１５Ｂは、例えば図１５Ａの実装に基づいて、様々な自己／相互相関結果を示してもよい。
【０１４１】
シーケンス１５０２および１５０４が循環シフトまたは線形シフトを使用することによって元のシーケンス１４０２および１４０４から導出されるので、シーケンス１５０２および１５０４は、図１４に示されるのと同一のゼロ自己相関ゾーンを維持してもよい。例えば、ゼロ自己相関ゾーン１４２０はゼロ自己相関ゾーン１５０６と同一である。シーケンス１５０２および１５０４は互いに相互に直交してもよい（例えば、＋−６４サンプルシフト）。類似の技法が、例えばより小さい循環シフト値を導入することによって、マルチビームトレーニング目的に拡張されてもよい。
【０１４２】
マルチストリームサポートのために段階的実装が使用されてもよい。複数のＳＴＡ、例えばＳＴＡのペア、例えばＥＤＭＧＡＰ／ＰＣＰおよびＥＤＭＧ  ＳＴＡ、または２つのＥＤＭＧ  ＳＴＡ。それらの間の複数のデータストリームの送信および／または受信を確立するために段階的実装が使用されてもよい。ＳＴＡのペアは、ＥＤＭＧＡＰ／ＰＣＰおよびＥＤＭＧ  ＳＴＡ、または２つのＥＤＭＧ  ＳＴＡを含んでもよい。段階的実装の一例は、以下のうちの１つまたは複数を含んでもよい。
【０１４３】
段階的実装は、準無指向性ビームを使用して別のＳＴＡとの初期伝送を実施してもよいＳＴＡ、例えばＥＤＭＧ  ＡＰ／ＰＣＰまたはＥＤＭＧ  ＳＴＡを備えてもよい。
【０１４４】
段階的実装は、初期準無指向性伝送の後、ＳＴＡのペアは、例えばＳＬＳまたはＢＲＰを使用して、ビームトレーニングを実施することに進むことができることを含んでもよい。ＳＬＲおよびＢＲＰの間、１つまたは複数のＴＸセクタ、および／またはＲＸセクタのうちの１つまたは複数が選択されてもよい。ＳＴＡが複数のＰＡＡを備える場合、ＳＴＡは、相互に異なるＰＡＡを同時に使用してＳＬＳおよび／またはＢＲＰを実施してもよい。ＳＬＳおよび／またはＢＲＰパターンは、送信側ＳＴＡ上の相互に異なるＰＡＡがビームにおいて重複しないことがあり（例えば、ビームのカバレッジが重複しないことがあり）、受信側ＳＴＡ上の相互に異なるＰＡＡがビームにおいて重複しないことがあるようなものであってもよい。送信側ＳＴＡ上の相互に異なるＰＡＡは、直交コードまたは副搬送波のセットを使用するなど、直交シグナリングを使用して送信してもよい。直交シグナリングは、相互に異なるＰＡＡの識別を搬送してもよい。受信側ＳＴＡは、異なるＰＡＡを使用して直交シグナリングを復号化し、かつ／または受信された信号がそれから受信される送信側ＰＡＡを識別してもよい。複数のＰＡＡの間の同時送信および／または受信を使用して、複数のＳＴＡ（例えば、ＳＴＡのペア）が、送信側ＳＴＡおよび受信側ＳＴＡ上で１つまたは複数のＰＡＡに関連付けられてもよい１つまたは複数のＴｘセクタおよび１つまたは複数のＲｘセクタを選択してもよい。複数のＰＡＡに関連付けられてもよいＴｘセクタおよびＲｘセクタのセットが使用されて、複数の間の（例えば、ＳＴＡのペアの間の）ＭＩＭＯ伝送が確立されてもよい。
【０１４５】
段階的実装は、ＳＴＡのペア上の相互に異なるＰＡＡに関連付けられてもよい１つまたは複数のＴｘセクタおよびＲｘセクタが選択される場合、ＳＴＡ（例えば、ＳＴＡのうちの１つ）、例えばＥＤＭＧ  ＡＰ／ＰＣＰまたはＥＤＭＧ  ＳＴＡが、より多数のデータストリームを要求してもよいことを含んでもよい。１つまたは複数のＴｘ／Ｒｘセクタのペアについて、例えば、１つまたは複数のＴｘ／Ｒｘセクタのペアを使用して、より多数のストリームを送信するために、ＳＴＡは偏波トレーニングを要求してもよい。要求ＳＴＡは、円形、線形、混合、垂直、水平などの、要求される偏波タイプを示してもよい。要求ＳＴＡは、例えば（例えば、既存の）偏波または座標系に対するオイラー角を使用して、要求される偏波タイプを表現してもよい。要求ＳＴＡ（例えば、ＡＰなどの送信機）および応答ＳＴＡ（例えば、ＳＴＡなどの受信機）は、要求される偏波タイプについての偏波トレーニングを実施してもよい。応答ＳＴＡは、偏波トレーニングについてのフィードバックを提供してもよい。要求ＳＴＡは偏波モード変更を要求してもよい。要求ＳＴＡは、追加のストリームを追加することによって偏波モード変更を要求してもよい。例えば、同一のＴｘ／Ｒｘセクタのペアを使用してより多数のデータストリームを提供するために、追加のストリームが異なる偏波タイプを使用して送信されてもよい。
【０１４６】
段階的実装は、要求ＳＴＡがより高い／低いデータ転送速度を使用する場合、要求ＳＴＡは、より広い／狭いチャネル帯域、例えばより多くの、または少ない副搬送波を使用することを要求してもよいことを含んでもよい。応答ＳＴＡがより広いチャネル伝送が可能である場合、応答ＳＴＡは肯定的に応答してもよい。複数のＳＴＡ（例えば、ＳＴＡのペア）は、その後で、Ｔｘ／Ｒｘセクタのうちの１つまたは複数についてより広いまたは狭いチャネルを使用してもよい。
【０１４７】
本発明の特徴および要素が好ましい実施形態において特定の組合せで説明されるが、それぞれの特徴または要素は、好ましい実施形態の他の特徴および要素なしに単独で、あるいは本発明の他の特徴および要素と様々に組み合わせて、または組み合わせずに使用されてもよい。本明細書で説明される解決策は８０２．１１特有のプロトコルを考慮するが、本明細書で説明される解決策はこのシナリオに制限されず、他の無線システムに適用可能であることを理解されたい。
【０１４８】
図１６Ａは例示的な無線ローカルエリアネットワーク（ＷＬＡＮ）デバイスを示す。デバイスのうちの１つまたは複数は、本明細書で説明される特徴のうちの１つまたは複数を実装するために使用されてもよい。ＷＬＡＮは、限定はしないが、アクセスポイント（ＡＰ）１０２、ステーション（ＳＴＡ）１１０、およびＳＴＡ１１２を含んでもよい。ＳＴＡ１１０および１１２は、ＡＰ１０２に関連付けられてもよい。ＷＬＡＮは、ＤＳＳＳ、ＯＦＤＭ、ＯＦＤＭＡなどのチャネルアクセススキームを含んでもよい、ＩＥＥＥ  ８０２．１１通信標準の１つまたは複数のプロトコルを実装するように構成されてもよい。ＷＬＡＮは、モード、例えばインフラストラクチャモード、アドホックモードなどで動作してもよい。
【０１４９】
インフラストラクチャモードで動作するＷＬＡＮは、１つまたは複数の関連するＳＴＡと通信する１つまたは複数のＡＰを備えてもよい。ＡＰとＡＰに関連付けられるＳＴＡとは、基本サービスセット（ＢＳＳ）を備えてもよい。例えば、ＡＰ１０２、ＳＴＡ１１０、およびＳＴＡ１１２はＢＳＳ１２２を備えてもよい。拡張サービスセット（ＥＳＳ）は、（１つまたは複数のＢＳＳを備える）１つまたは複数のＡＰと、ＡＰに関連付けられるＳＴＡとを備えてもよい。ＡＰは、配信システム（ＤＳ）１１６へのアクセスおよび／またはインターフェースを有してもよい。ＤＳ１１６は、有線および／または無線であってもよく、ＡＰに、かつ／またはＡＰからトラフィックを搬送してもよい。ＷＬＡＮの外側から発信されるＷＬＡＮ内のＳＴＡへのトラフィックが、ＷＬＡＮ内のＡＰで受信されてもよく、ＡＰは、ＷＬＡＮ内のＳＴＡにトラフィックを送信してもよい。ＷＬＡＮ内のＳＴＡからＷＬＡＮの外側の宛先、例えばサーバ１１８に発信されるトラフィックが、ＷＬＡＮ内のＡＰに送信されてもよく、ＡＰは、サーバ１１８に送信されるように、宛先に、例えばＤＳ１１６を介してネットワーク１１４にトラフィックを送信してもよい。ＷＬＡＮ内のＳＴＡ間のトラフィックが、１つまたは複数のＡＰを通じて送信されてもよい。例えば、ソースＳＴＡ（例えば、ＳＴＡ１１０）が、宛先ＳＴＡ（例えば、ＳＴＡ１１２）のためのトラフィックを有してもよい。ＳＴＡ１１０は、ＡＰ１０２にトラフィックを送信してもよく、ＡＰ１０２は、ＳＴＡ１１２にトラフィックを送信してもよい。
【０１５０】
ＷＬＡＮはアドホックモードで動作してもよい。アドホックモードＷＬＡＮは独立基本サービスセット（ＩＢＢＳ）と称されてもよい。アドホックモードＷＬＡＮでは、ＳＴＡが互いに直接的に通信してもよい（例えば、ＳＴＡ１１０は、そのような通信がＡＰを通じて経路指定されることなくＳＴＡ１１２と通信してもよい）。
【０１５１】
ＩＥＥＥ  ８０２．１１デバイス（例えば、ＢＳＳ内のＩＥＥＥ  ８０２．１１ＡＰ）は、ビーコンフレームを使用してＷＬＡＮネットワークの存在を告知してもよい。ＡＰ１０２などのＡＰは、チャネル、例えばプライマリチャネルなどの固定チャネル上でビーコンを送信してもよい。ＳＴＡは、プライマリチャネルなどのチャネルを使用して、ＡＰとの接続を確立してもよい。
【０１５２】
ＳＴＡおよび／またはＡＰは、搬送波検知多元接続／衝突回避（ＣＳＭＡ／ＣＡ）チャネルアクセス機構を使用してもよい。ＣＳＭＡ／ＣＡでは、ＳＴＡおよび／またはＡＰがプライマリチャネルを感知してもよい。例えば、ＳＴＡが送信するためのデータを有する場合、ＳＴＡはプライマリチャネルを感知してもよい。プライマリチャネルがビジーであると検出される場合、ＳＴＡはバックオフしてもよい。例えば、１つのＳＴＡが所与の時刻に、例えば所与のＢＳＳで送信してもよいように、ＷＬＡＮまたはその部分が構成されてもよい。チャネルアクセスはＲＴＳおよび／またはＣＴＳシグナリングを含んでもよい。例えば、ｒｅｑｕｅｓｔ  ｔｏ  ｓｅｎｄ（ＲＴＳ）フレームの交換が、送信側デバイスによって送信されてもよく、受信側デバイスによって送信されてもよいｃｌｅａｒ  ｔｏ  ｓｅｎｄ（ＣＴＳ）フレーム。例えば、ＡＰがＳＴＡに送信するためのデータを有する場合、ＡＰは、ＳＴＡにＲＴＳフレームを送信してもよい。ＳＴＡがデータを受信する準備ができている場合、ＳＴＡはＣＴＳフレームで応答してもよい。ＣＴＳフレームは、ＲＴＳを開始するＡＰがそのデータを送信してもよい間、媒体にアクセスするのを延期するように他のＳＴＡに警報してもよい時刻値を含んでもよい。ＳＴＡからＣＴＳフレームを受信したとき、ＡＰはＳＴＡにデータを送信してもよい。
【０１５３】
デバイスは、ネットワーク割り当てベクトル（ＮＡＶ）フィールドを介してスペクトルを予約してもよい。例えば、ＩＥＥＥ  ８０２．１１フレームでは、ＮＡＶフィールドは、時間枠についてチャネルを予約するために使用されてもよい。データを送信することを望むＳＴＡは、チャネルを使用することを予想してもよい時刻にＮＡＶを設定してもよい。ＳＴＡがＮＡＶを設定したとき、ＮＡＶが、関連するＷＬＡＮまたはそのサブセット（例えば、ＢＳＳ）について設定されてもよい。他のＳＴＡは、ＮＡＶを０までカウントダウンしてもよい。カウンタが値ゼロに達したとき、ＮＡＶ機能は、チャネルがその時点で利用可能であることを他のＳＴＡに示してもよい。
【０１５４】
ＡＰやＳＴＡなどのＷＬＡＮ内のデバイスは、プロセッサ、メモリ、無線受信機および／または送信機（例えば、送受信機として組み合わされてもよい）、１つまたは複数のアンテナ（例えば、図１６Ａのアンテナ１０６）などのうちの１つまたは複数を含んでもよい。プロセッサ機能は１つまたは複数のプロセッサを備えてもよい。例えば、プロセッサは、汎用プロセッサ、専用プロセッサ（例えば、ベースバンドプロセッサ、ＭＡＣプロセッサなど）、デジタル信号プロセッサ（ＤＳＰ）、特定用途向け集積回路（ＡＳＩＣ）、フィールドプログラマブルゲートアレイ（ＦＰＧＡ）回路、任意の他のタイプの集積回路（ＩＣ）、状態機械などのうちの１つまたは複数を備えてもよい。１つまたは複数のプロセッサは互いに統合され、または統合されないことがある。プロセッサ（例えば、１つまたは複数のプロセッサまたはそのサブセット）は、１つまたは複数の他の機能（例えば、メモリなどの他の機能）と統合されてもよい。プロセッサは、信号コーディング、データ処理、電力制御、入力／出力処理、変調、復調、および／またはデバイスが図１６ＡのＷＬＡＮなどの無線環境内で動作することを可能にしてもよい任意の他の機能を実施してもよい。プロセッサは、例えばソフトウェアおよび／またはファームウェア命令を含むプロセッサ実行可能コード（例えば、命令）を実行するように構成されてもよい。例えば、プロセッサは、プロセッサ（例えば、メモリおよびプロセッサを含むチップセット）またはメモリのうちの１つまたは複数の上に含まれるコンピュータ可読命令を実行するように構成されてもよい。命令の実行は、本明細書で説明される機能のうちの１つまたは複数をデバイスに実施させてもよい。
【０１５５】
デバイスは１つまたは複数のアンテナを含んでもよい。デバイスは多入力多出力（ＭＩＭＯ）技法を利用してもよい。１つまたは複数のアンテナは無線信号を受信してもよい。プロセッサは、例えば１つまたは複数のアンテナを介して、無線信号を受信してもよい。１つまたは複数のアンテナは、（例えば、プロセッサから送信される信号に基づいて）無線信号を送信してもよい。
【０１５６】
デバイスは、プロセッサ実行可能コードまたは命令（例えば、ソフトウェア、ファームウェアなど）、電子データ、データベース、他のデジタル情報などのプログラミングおよび／またはデータを記憶するための１つまたは複数のデバイスを含んでもよいメモリを有してもよい。メモリは１つまたは複数のメモリユニットを含んでもよい。１つまたは複数のメモリユニットは、１つまたは複数の他の機能（例えば、プロセッサなどのデバイス内に含まれる他の機能）と統合されてもよい。メモリは、読取り専用メモリ（ＲＯＭ）（例えば、消去可能プログラマブル読取り専用メモリ（ＥＰＲＯＭ）、電気消去可能プログラマブル読取り専用メモリ（ＥＥＰＲＯＭ）など）、ランダムアクセスメモリ（ＲＡＭ）、磁気ディスク記憶媒体、光記憶媒体、フラッシュメモリデバイス、および／または情報を記憶するための他の非一時的コンピュータ可読媒体を含んでもよい。メモリはプロセッサに結合されてもよい。プロセッサは、例えばシステムバスを介して、直接的に、などで、メモリの１つまたは複数のエンティティと通信してもよい。
【０１５７】
図１６Ｂは、１つまたは複数の開示される特徴が実装されてもよい例示的な通信システム１００の図である。例えば、無線ネットワークを越えて（例えば、無線ネットワークに関連付けられる壁付きの庭を超えて）延びるベアラがＱｏＳ特性を振り振ることができるように、無線ネットワーク（例えば、通信システム１００の１つまたは複数の構成要素を備える無線ネットワーク）が構成されてもよい。
【０１５８】
通信システム１００は、音声、データ、ビデオ、メッセージング、ブロードキャストなどのコンテンツを複数の無線ユーザに提供する多元接続システムであってもよい。通信システム１００は、無線帯域幅を含むシステムリソースの共有を通じて複数の無線ユーザがそのようなコンテンツにアクセスすることを可能にしてもよい。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を利用してもよい。
【０１５９】
図１６Ｂに示されるように、通信システム１００は、複数の無線送受信ユニット（ＷＴＲＵ）、例えばＷＴＲＵ１０２ａ、１０２ｂ、１０２ｃ、および１０２ｄなどの少なくとも１つのＷＴＲＵ、無線アクセスネットワーク（ＲＡＮ）１０４、コアネットワーク１０６、公衆交換電話網（ＰＳＴＮ）１０８、インターネット１１０、および他のネットワーク１１２を含んでもよいが、開示される実施形態は任意の数のＷＴＲＵ、基地局、ネットワーク、および／またはネットワーク要素を企図することを理解されたい。ＷＴＲＵ１０２ａ、１０２ｂ、１０２ｃ、１０２ｄのそれぞれは、無線環境内で動作および／または通信するように構成された任意のタイプのデバイスであってもよい。例として、ＷＴＲＵ１０２ａ、１０２ｂ、１０２ｃ、１０２ｄは、無線信号を送信および／または受信するように構成されてもよく、ユーザ装置（ＵＥ）、移動局（例えば、ＷＬＡＮ  ＳＴＡ）、固定または移動サブスクライバユニット、ページャ、セルラ電話、携帯情報端末（ＰＤＡ）、スマートフォン、ラップトップ、ネットブック、パーソナルコンピュータ、無線センサ、コンシューマエレクトロニクスなどを含んでもよい。
【０１６０】
通信システム１００はまた、基地局１１４ａおよび基地局１１４ｂをも含んでもよい。基地局１１４ａ、１１４ｂのそれぞれは、ＷＴＲＵ１０２ａ、１０２ｂ、１０２ｃ、１０２ｄのうちの少なくとも１つと無線にインターフェースして、コアネットワーク１０６、インターネット１１０、および／またはネットワーク１１２などの１つまたは複数の通信ネットワークへのアクセスを容易にするように構成された任意のタイプデバイスであってもよい。例として、基地局１１４ａ、１１４ｂは、送受信基地局（ＢＴＳ）、Ｎｏｄｅ−Ｂ、ｅＮｏｄｅ  Ｂ、Ｈｏｍｅ  Ｎｏｄｅ  Ｂ、Ｈｏｍｅ  ｅＮｏｄｅ  Ｂ、サイトコントローラ、アクセスポイント（ＡＰ）、無線ルータなどであってもよい。基地局１１４ａ、１１４ｂがそれぞれ単一の要素として示されるが、基地局１１４ａ、１１４ｂは任意の数の相互接続された基地局および／またはネットワーク要素を含んでもよいことを理解されたい。
【０１６１】
基地局１１４ａはＲＡＮ１０４の部分であってもよく、ＲＡＮ１０４はまた、基地局コントローラ（ＢＳＣ）、無線ネットワークコントローラ（ＲＮＣ）、中継ノードなどの他の基地局および／またはネットワーク要素（図示せず）をも含んでもよい。基地局１１４ａおよび／または基地局１１４ｂは、セル（図示せず）と称されてもよい特定の地理的領域内で無線信号を送信および／または受信するように構成されてもよい。セルはセルセクタにさらに分割されてもよい。例えば、基地局１１４ａに関連付けられるセルは、３つのセクタに分割されてもよい。したがって、一実施形態では、基地局１１４ａは、３つの送受信機、すなわちセルの各セクタについて１つの送受信機を含んでもよい。別の実施形態では、基地局１１４ａは、多入力多出力（ＭＩＭＯ）技術を利用してもよく、したがってセルの各セクタについて複数の送受信機を利用してもよい。
【０１６２】
基地局１１４ａ、１１４ｂは、エアインターフェース１１６を介してＷＴＲＵ１０２ａ、１０２ｂ、１０２ｃ、１０２ｄのうちの１つまたは複数と通信してもよく、エアインターフェース１１６は、任意の適切な無線通信リンク（例えば、無線周波数（ＲＦ）、マイクロ波、赤外線（ＩＲ）、紫外線（ＵＶ）可視光など）であってもよい。エアインターフェース１１６は、任意の適切な無線アクセス技術（ＲＡＴ）を使用して確立されてもよい。
【０１６３】
より具体的には、上記のように、通信システム１００は多元接続システムであってもよく、ＣＤＭＡ、ＴＤＭＡ、ＦＤＭＡ、ＯＦＤＭＡ、ＳＣ−ＦＤＭＡなどの１つまたは複数のチャネルアクセススキームを利用してもよい。例えば、ＲＡＮ１０４内の基地局１１４ａと、ＷＴＲＵ１０２ａ、１０２ｂ、１０２ｃとは、広帯域ＣＤＭＡ（ＷＣＤＭＡ）を使用してエアインターフェース１１６を確立してもよい、ユニバーサル移動通信システム（ＵＭＴＳ）地上無線アクセス（ＵＴＲＡ）などの無線技術を実装してもよい。ＷＣＤＭＡは、高速パケットアクセス（ＨＳＰＡ）および／または進化型ＨＳＰＡ（ＨＳＰＡ＋）などの通信プロトコルを含んでもよい。ＨＳＰＡは、高速ダウンリンクパケットアクセス（ＨＳＤＰＡ）および／または高速アップリンクパケットアクセス（ＨＳＵＰＡ）を含んでもよい。
【０１６４】
別の実施形態では、基地局１１４ａおよびＷＴＲＵ１０２ａ、１０２ｂ、１０２ｃは、Ｌｏｎｇ  Ｔｅｒｍ  Ｅｖｏｌｕｔｉｏｎ（ＬＴＥ）および／またはＬＴＥ  Ａｄｖａｎｃｅｄ（ＬＴＥ−Ａ）を使用してエアインターフェース１１６を確立してもよい、進化型ＵＭＴＳ地上無線アクセス（Ｅ−ＵＴＲＡ）などの無線技術を実装してもよい。
【０１６５】
他の実施形態では、基地局１１４ａおよびＷＴＲＵ１０２ａ、１０２ｂ、１０２ｃは、ＩＥＥＥ  ８０２．１６（すなわち、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００  ＩＸ、ＣＤＭＡ２０００  ＥＶ−ＤＯ、Ｉｎｔｅｒｉｍ  Ｓｔａｎｄａｒｄ  ２０００（ＩＳ−２０００）、Ｉｎｔｅｒｉｍ  Ｓｔａｎｄａｒｄ  ９５（ＩＳ−９５）、Ｉｎｔｅｒｉｍ  Ｓｔａｎｄａｒｄ  ８５６（ＩＳ−８５６）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、ＧＳＭ  ＥＤＧＥ（ＧＥＲＡＮ）などの無線技術を実装してもよい。
【０１６６】
図１６Ｂの基地局１１４ｂは、例えば無線ルータ、Ｈｏｍｅ  Ｎｏｄｅ  Ｂ、Ｈｏｍｅ  ｅＮｏｄｅ  Ｂ、またはアクセスポイントであってもよく、事業所、自宅、車両、構内などの局所化されたエリア内の無線接続性を容易にするための任意の適切なＲＡＴを利用してもよい。一実施形態では、基地局１１４ｂおよびＷＴＲＵ１０２ｃ、１０２ｄは、ＩＥＥＥ  ８０２．１１などの無線技術を実装して、無線ローカルエリアネットワーク（ＷＬＡＮ）を確立してもよい。別の実施形態では、基地局１１４ｂおよびＷＴＲＵ１０２ｃ、１０２ｄは、ＩＥＥＥ  ８０２．１５などの無線技術を実装して、無線パーソナルエリアネットワーク（ＷＰＡＮ）を確立してもよい。さらに別の実施形態では、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立してもよい。図１６Ｂに示されるように、基地局１１４ｂはインターネット１１０への直接接続を有してもよい。したがって、基地局１１４ｂは、コアネットワーク１０６を介してインターネット１１０にアクセスする必要がないことがある。
【０１６７】
ＲＡＮ１０４はコアネットワーク１０６と通信してもよく、コアネットワーク１０６は、ＷＴＲＵ１０２ａ、１０２ｂ、１０２ｃ、１０２ｄのうちの１つまたは複数に、音声、データ、アプリケーション、および／またはボイスオーバーインターネットプロトコル（ＶｏＩＰ）サービスを提供するように構成された任意のタイプのネットワークであってもよい。例えば、コアネットワーク１０６は、呼出し制御、課金サービス、モバイル位置ベースのサービス、プリペイド呼出し、インターネット接続性、ビデオ配信などを提供してもよく、かつ／またはユーザ認証などの高レベルセキュリティ機能を実施してもよい。図１６Ｂには図示していないが、ＲＡＮ１０４および／またはコアネットワーク１０６が、ＲＡＮ１０４と同一のＲＡＴまたは異なるＲＡＴを利用する他のＲＡＮと直接的または間接的に通信してもよいことを理解されたい。例えば、Ｅ−ＵＴＲＡ無線技術を利用してもよいＲＡＮ１０４に接続されることに加えて、コアネットワーク１０６は、ＧＳＭ無線技術を利用する別のＲＡＮ（図示せず）とも通信してもよい。
【０１６８】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとしても機能してもよい。ＰＳＴＮ１０８は、簡易電話サービス（ＰＯＴＳ）を提供する回線交換電話網を含んでもよい。インターネット１１０は、ＴＣＰ／ＩＰインターネットプロトコルスイート内の伝送制御プロトコル（ＴＣＰ）、ユーザデータグラムプロトコル（ＵＤＰ）、インターネットプロトコル（ＩＰ）などの共通通信プロトコルを使用する、相互接続されたコンピュータネットワークおよびデバイスのグローバルシステムを含んでもよい。ネットワーク１１２は、他のサービスプロバイダによって所有および／または運用される有線または無線通信ネットワークを含んでもよい。例えば、ネットワーク１１２は、ＲＡＮ１０４と同一のＲＡＴまたは異なるＲＡＴを利用してもよい１つまたは複数のＲＡＮに接続された別のコアネットワークを含んでもよい。
【０１６９】
通信システム１００内のＷＴＲＵ１０２ａ、１０２ｂ、１０２ｃ、１０２ｄのうちのいくつか、またはすべては、マルチモード機能を含んでもよく、すなわちＷＴＲＵ１０２ａ、１０２ｂ、１０２ｃ、１０２ｄは、異なる無線リンクを介して異なる無線ネットワークと通信するための複数の送受信機を含んでもよい。例えば、図１６Ｂに示されるＷＴＲＵ１０２ｃは、セルラベースの無線技術を利用してもよい基地局１１４ａ、およびＩＥＥＥ  ８０２無線技術を利用してもよい基地局１１４ｂと通信するように構成されてもよい。
【０１７０】
図１６Ｃは例示的な無線送受信ユニット、ＷＴＲＵ１０２を示す。ＷＴＲＵは、ユーザ装置（ＵＥ）、移動局、ＷＬＡＮ  ＳＴＡ、固定または移動サブスクライバユニット、ページャ、セルラ電話、携帯情報端末（ＰＤＡ）、スマートフォン、ラップトップ、ネットブック、パーソナルコンピュータ、無線センサ、コンシューマエレクトロニクスなどであってもよい。ＷＴＲＵ１０２は、本明細書で説明される通信システムのうちの１つまたは複数で使用されてもよい。図１６Ｃに示されるように、ＷＴＲＵ１０２は、プロセッサ１１８、送受信機１２０、送信／受信素子１２２、スピーカ／マイクロフォン１２４、キーパッド１２６、ディスプレイ／タッチパッド１２８、取外し不能メモリ１３０、取外し可能メモリ１３２、電源１３４、全地球測位システム（ＧＰＳ）チップセット１３６、および他の周辺機器１３８を含んでもよい。ＷＴＲＵ１０２は、実施形態に適合したままで、上記の要素の任意の部分組合せを含んでもよいことを理解されたい。
【０１７１】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などであってもよい。プロセッサ１１８は、信号コーディング、データ処理、電力制御、入力／出力処理、および／またはＷＴＲＵ１０２が無線環境内で動作することを可能にする任意の他の機能を実施してもよい。プロセッサ１１８は送受信機１２０に結合されてもよく、送受信機１２０は送信／受信素子１２２に結合されてもよい。図１６Ｃはプロセッサ１１８および送受信機１２０を別々の構成要素として示すが、プロセッサ１１８および送受信機１２０が電子パッケージまたはチップ内で互いに統合されてもよいことを理解されたい。
【０１７２】
送信／受信素子１２２は、エアインターフェース１１６を介して基地局（例えば、基地局１１４ａ）に信号を送信し、または基地局から信号を受信するように構成されてもよい。例えば、一実施形態では、送信／受信素子１２２は、ＲＦ信号を送信および／または受信するように構成されたアンテナであってもよい。別の実施形態では、送信／受信素子１２２は、例えばＩＲ、ＵＶ、または可視光信号を送信および／または受信するように構成された放射器／検出器であってもよい。さらに別の実施形態では、送信／受信素子１２２は、ＲＦ信号と光信号の両方を送信および受信するように構成されてもよい。送信／受信素子１２２が無線信号の任意の組合せを送信および／または受信するように構成されてもよいことを理解されたい。
【０１７３】
さらに、図１６Ｃには送信／受信素子１２２が単一の素子として示されているが、ＷＴＲＵ１０２は任意の数の送信／受信素子１２２を含んでもよい。より具体的には、ＷＴＲＵ１０２はＭＩＭＯ技術を利用してもよい。したがって、一実施形態では、ＷＴＲＵ１０２は、エアインターフェース１１６を介して無線信号を送信および受信するための２つ以上の送信／受信素子１２２（例えば、複数のアンテナ）を含んでもよい。
【０１７４】
送受信機１２０は、送信／受信素子１２２によって送信されるべき信号を変調し、送信／受信素子１２２によって受信される信号を復調するように構成されてもよい。上記のように、ＷＴＲＵ１０２はマルチモード機能を有してもよい。したがって、送受信機１２０は、ＷＴＲＵ１０２が例えばＵＴＲＡやＩＥＥＥ８０２．１１などの複数のＲＡＴを介して通信することを可能にするための複数の送受信機を含んでもよい。
【０１７５】
ＷＴＲＵ１０２のプロセッサ１１８は、スピーカ／マイクロフォン１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）に結合されてもよく、それらからユーザ入力データを受信してもよい。プロセッサ１１８はまた、スピーカ／マイクロフォン１２４、キーパッド１２６、および／またはディスプレイ／タッチパッド１２８にユーザデータを出力してもよい。さらに、プロセッサ１１８は、取外し不能メモリ１３０および／または取外し可能メモリ１３２などの任意のタイプの適切なメモリからの情報にアクセスし、その中にデータを記憶してもよい。取外し不能メモリ１３０は、ランダムアクセスメモリ（ＲＡＭ）、読取り専用メモリ（ＲＯＭ）、ハードディスク、または任意の他のタイプのメモリ記憶デバイスを含んでもよい。取外し可能メモリ１３２は、加入者識別モジュール（ＳＩＭ）カード、メモリスティック、セキュアデジタル（ＳＤ）メモリカードなどを含んでもよい。他の実施形態では、プロセッサ１１８は、サーバやホームコンピュータ（図示せず）などのＷＴＲＵ１０２上に物理的に位置していないメモリからの情報にアクセスし、その中にデータを記憶してもよい。
【０１７６】
プロセッサ１１８は、電源１３４から電力を受信してもよく、ＷＴＲＵ１０２内の他の構成要素に電力を分配および／または制御するように構成されてもよい。電源１３４は、ＷＴＲＵ１０２に電力供給するための任意の適切なデバイスであってもよい。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含んでもよい。
【０１７７】
プロセッサ１１８はまた、ＧＰＳチップセット１３６に結合されてもよく、ＧＰＳチップセット１３６は、ＷＴＲＵ１０２の現在位置に関する位置情報（例えば、経度および緯度）を提供するように構成されてもよい。ＧＰＳチップセット１３６からの情報に加えて、またはその代わりに、ＷＴＲＵ１０２は、エアインターフェース１１６を介して基地局（例えば、基地局１１４ａ、１１４ｂ）から位置情報を受信してもよく、かつ／または２つ以上の近隣の基地局から受信される信号のタイミングに基づいてその位置を決定してもよい。ＷＴＲＵ１０２は、実施形態に適合したままで、任意の適切な位置決定方法によって位置情報を取得してもよいことを理解されたい。
【０１７８】
プロセッサ１１８は他の周辺機器１３８にさらに結合されてもよく、他の周辺機器１３８は、追加の特徴、機能、および／または有線もしくは無線接続性を提供する１つまたは複数のソフトウェアおよび／またはハードウェアモジュールを含んでもよい。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビジョン送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザなどを含んでもよい。
【０１７９】
特徴および要素が特定の組合せまたは順序で上記で説明されてもよいが、それぞれの特徴または要素が、単独で、または他の特徴および要素との任意の組合せで使用されてもよいことを当業者は理解されよう。さらに、本明細書で説明される方法は、コンピュータまたはプロセッサによる実行のためにコンピュータ可読媒体内に組み込まれたコンピュータプログラム、ソフトウェア、またはファームウェアで実装されてもよい。コンピュータ可読媒体の例は、（有線または無線接続を介して伝送される）電子信号およびコンピュータ可読記憶媒体を含んでもよい。コンピュータ可読記憶媒体の例は、限定はしないが、読取り専用メモリ（ＲＯＭ）、ランダムアクセスメモリ（ＲＡＭ）、レジスタ、キャッシュメモリ、半導体メモリデバイス、内部ハードディスクや取外し可能ディスクなどの磁気媒体、光磁気媒体、およびＣＤ−ＲＯＭディスクやデジタルバーサタイルディスク（ＤＶＤ）などの光媒体を含む。ソフトウェアに関連するプロセッサは、ＷＴＲＵ、ＵＥ、端末、基地局、ＲＮＣ、または任意のホストコンピュータで使用するための無線周波数送受信機を実装するために使用されてもよい。
【図１】
2019528595.tif 000007
【図２】
2019528595.tif 000008
【図３】
2019528595.tif 000009
【図４】
2019528595.tif 000010
【図５】
2019528595.tif 000011
【図６】
2019528595.tif 000012
【図７】
2019528595.tif 000013
【図８】
2019528595.tif 000014
【図９】
2019528595.tif 000015
【図１０Ａ】
2019528595.tif 000016
【図１０Ｂ】
2019528595.tif 000017
【図１０Ｃ】
2019528595.tif 000018
【図１１】
2019528595.tif 000019
【図１２】
2019528595.tif 000020
【図１３Ａ】
2019528595.tif 000021
【図１３Ｂ】
2019528595.tif 000022
【図１３Ｃ】
2019528595.tif 000023
【図１４】
2019528595.tif 000024
【図１５Ａ】
2019528595.tif 000025
【図１５Ｂ】
2019528595.tif 000026
【図１６Ａ】
2019528595.tif 000027
【図１６Ｂ】
2019528595.tif 000028
【図１６Ｃ】
2019528595.tif 000029
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
マルチユーザ多入力多出力（ＭＵ−ＭＩＭＯ）通信に対して構成されたステーション（ＳＴＡ）であって、
プロセッサと、
少なくとも第１のレスポンダＳＴＡおよび第２のレスポンダＳＴＡを含むレスポンダＳＴＡのグループに、前記ＳＴＡからＭＵ−ＭＩＭＯ伝送を受信するように前記グループを構成するＭＵ−ＭＩＭＯセットアップフレームを送信するように構成された送信機回路であって、前記セットアップフレームは、前記ＳＴＡから前記第１のレスポンダＳＴＡへのＭＵ−ＭＩＭＯ伝送に対する第１のアンテナ割り当て、および前記ＳＴＡから前記第２のレスポンダＳＴＡへのＭＵ−ＭＩＭＯ伝送に対する第２のアンテナ割り当てを示しており、前記第１のアンテナ割り当ては、前記第２のアンテナ割り当てとは異なる、送信機回路と、
前記第１のアンテナ割り当てに基づいて、前記第１のレスポンダＳＴＡに第１のＭＵ−ＭＩＭＯ伝送を、および前記第２のアンテナ割り当てに基づいて、前記第２のレスポンダＳＴＡに第２のＭＵ−ＭＩＭＯ伝送を送信するように構成された前記送信機回路と、
前記第１のＭＵ−ＭＩＭＯ伝送に応答して、前記第１のレスポンダＳＴＡから応答フレームを、および前記第２のＭＵ−ＭＩＭＯ伝送に応答して、前記第２のレスポンダＳＴＡから応答フレームを受信するように構成された受信機回路と
を備えたことを特徴とするＳＴＡ。
【請求項２】
前記第１のアンテナ割り当ては、無線周波数（ＲＦ）チェーンの第１のセットを含み、および前記第２のアンテナ割り当ては、ＲＦチェーンの第２のセットを含むことを特徴とする請求項１に記載のＳＴＡ。
【請求項３】
前記第１のアンテナ割り当ては、仮想アンテナの第１のセットを含み、および前記第２のアンテナ割り当ては、仮想アンテナの第２のセットを含むことを特徴とする請求項１に記載のＳＴＡ。
【請求項４】
前記第１のＭＵ−ＭＩＭＯ伝送を含む空間ストリームの第１の数は、前記第２のＭＵ−ＭＩＭＯ伝送を含む空間ストリームの第２の数とは異なることを特徴とする請求項１に記載のＳＴＡ。
【請求項５】
前記ＭＵ−ＭＩＭＯセットアップフレームは、拡張指向性マルチギガビット（ＥＤＭＧ）ＭＵ−ＭＩＭＯセットアップフレームを含むことを特徴とする請求項１に記載のＳＴＡ。
【請求項６】
前記ＭＵ−ＭＩＭＯセットアップフレームは、媒体アクセス制御（ＭＡＣ）フレームを含むことを特徴とする請求項１に記載のＳＴＡ。
【請求項７】
前記ＳＴＡは、アクセスポイント（ＡＰ）を含むことを特徴とする請求項１に記載のＳＴＡ。
【請求項８】
前記送信機回路は、前記グループのレスポンダＳＴＡに終了フレームを送信するようにさらに構成されていることを特徴とする請求項１に記載のＳＴＡ。
【請求項９】
前記送信機回路は、前記ＳＴＡがＭＵ−ＭＩＭＯ伝送に応答して前記グループのレスポンダＳＴＡから応答フレームを受信しないことを条件に、前記グループの前記レスポンダＳＴＡに終了フレームを送信するようにさらに構成されていることを特徴とする請求項１に記載のＳＴＡ。
【請求項１０】
前記グループは、第３のレスポンダＳＴＡを含み、ならびに前記ＭＵ−ＭＩＭＯセットアップフレームは、前記ＳＴＡから前記第３のレスポンダＳＴＡへのＭＵ−ＭＩＭＯ伝送に対する第３のアンテナ割り当てを示し、前記第３のアンテナ割り当ては、前記第１のアンテナ割り当て、前記第２のアンテナ割り当て、または前記第１のアンテナ割り当ておよび前記第２のアンテナ割り当ての両方とは異なることを特徴とする請求項１に記載のＳＴＡ。
【請求項１１】
ステーション（ＳＴＡ）において実施されるマルチユーザ多入力多出力（ＭＵ−ＭＩＭＯ）通信のための方法であって、
前記ＳＴＡの送信機回路によって、少なくとも第１のレスポンダＳＴＡおよび第２のレスポンダＳＴＡを含むレスポンダＳＴＡのグループに、前記ＳＴＡからＭＵ−ＭＩＭＯ伝送を受信するように前記グループを構成するＭＵ−ＭＩＭＯセットアップフレームを送信するステップであって、前記セットアップフレームは、前記ＳＴＡから前記第１のレスポンダＳＴＡへのＭＵ−ＭＩＭＯ伝送に対する第１のアンテナ割り当て、および前記ＳＴＡから前記第２のレスポンダＳＴＡへのＭＵ−ＭＩＭＯ伝送に対する第２のアンテナ割り当てを示しており、前記第１のアンテナ割り当ては、前記第２のアンテナ割り当てとは異なる、ステップと、
前記送信機回路によって、前記第１のアンテナ割り当てに基づいて、前記第１のレスポンダＳＴＡに第１のＭＵ−ＭＩＭＯ伝送を、および前記第２のアンテナ割り当てに基づいて、前記第２のレスポンダＳＴＡに第２のＭＵ−ＭＩＭＯ伝送を送信するステップと、
前記ＳＴＡの受信機回路によって、前記第１のＭＵ−ＭＩＭＯ伝送に応答して、前記第１のレスポンダＳＴＡから応答フレームを、および前記第２のＭＵ−ＭＩＭＯ伝送に応答して、前記第２のレスポンダＳＴＡから応答フレームを受信するステップと
を備えたことを特徴とする方法。
【請求項１２】
前記第１のアンテナ割り当ては、無線周波数（ＲＦ）チェーンの第１のセットを含み、および前記第２のアンテナ割り当ては、ＲＦチェーンの第２のセットを含むことを特徴とする請求項１１に記載の方法。
【請求項１３】
前記第１のアンテナ割り当ては、仮想アンテナの第１のセットを含み、および前記第２のアンテナ割り当ては、仮想アンテナの第２のセットを含むことを特徴とする請求項１１に記載の方法。
【請求項１４】
前記第１のＭＵ−ＭＩＭＯ伝送を含む空間ストリームの第１の数は、前記第２のＭＵ−ＭＩＭＯ伝送を含む空間ストリームの第２の数とは異なることを特徴とする請求項１１に記載の方法。
【請求項１５】
前記ＭＵ−ＭＩＭＯセットアップフレームは、拡張指向性マルチギガビット（ＥＤＭＧ）ＭＵ−ＭＩＭＯセットアップフレームを含むことを特徴とする請求項１１に記載の方法。
【請求項１６】
前記ＭＵ−ＭＩＭＯセットアップフレームは、媒体アクセス制御（ＭＡＣ）フレームを含むことを特徴とする請求項１１に記載の方法。
【請求項１７】
前記ＳＴＡは、アクセスポイント（ＡＰ）を含むことを特徴とする請求項１１に記載の方法。
【請求項１８】
前記グループのレスポンダＳＴＡに終了フレームを送信するステップをさらに備えたことを特徴とする請求項１１に記載の方法。
【請求項１９】
前記ＳＴＡがＭＵ−ＭＩＭＯ伝送に応答して前記グループのレスポンダＳＴＡから応答フレームを受信しないことを条件に、前記グループの前記レスポンダＳＴＡに終了フレームを送信するステップをさらに備えたことを特徴とする請求項１１に記載の方法。
【請求項２０】
前記グループは、第３のレスポンダＳＴＡを含み、ならびに前記ＭＵ−ＭＩＭＯセットアップフレームは、前記ＳＴＡから前記第３のレスポンダＳＴＡへのＭＵ−ＭＩＭＯ伝送に対する第３のアンテナ割り当てを示し、前記第３のアンテナ割り当ては、前記第１のアンテナ割り当て、前記第２のアンテナ割り当て、または前記第１のアンテナ割り当ておよび前記第２のアンテナ割り当ての両方とは異なることを特徴とする請求項１１に記載の方法。
【国際調査報告】
2019528595.tif 000030
2019528595.tif 000031